(57)【要約】  本願は、参照信号送信方法及び送信機器を提供する。参照信号送信方法は、ネットワーク装置により、端末装置の参照情報を取得するステップであって、前記参照情報は前記端末装置の識別子及び前記端末装置のスケジューリング情報のうちの少なくとも１つを含む、ステップと、前記ネットワーク装置により、前記参照情報に基づき、前記端末装置の位相追跡参照信号（PTRS）の送信パラメータを決定するステップであって、前記送信パラメータは、前記PTRSのシーケンス及び前記PTRSの周波数ドメイン位置のうちの少なくとも１つを含む、ステップと、前記ネットワーク装置により、前記送信パラメータに基づき、前記端末装置と共に前記PTRSを送信するステップと、を含む。本願の実施形態で提供される参照信号送信方法及び送信機器によると、PTRSの干渉がランダム化できる。
2020523892.tif 000002
【特許請求の範囲】
【請求項１】
参照信号送信方法であって、
ネットワーク装置により、端末装置の参照情報に基づき、前記端末装置の位相追跡参照信号PTRSの送信パラメータを決定するステップであって、前記参照情報は、前記端末装置の識別子及び前記端末装置のスケジューリング情報のうちの少なくとも１つを含み、前記送信パラメータは、前記PTRSのシーケンス及び前記PTRSの周波数ドメイン位置のうちの少なくとも１つを含む、ステップと、
前記ネットワーク装置により、前記送信パラメータに基づき、前記端末装置と共に前記PTRSを送信するステップと、
を含む送信方法。
【請求項２】
前記送信パラメータが前記PTRSの前記シーケンスを含むとき、ネットワーク装置により、端末装置の参照情報に基づき、前記端末装置の位相追跡参照信号PTRSの送信パラメータを決定する前記ステップは、
前記ネットワーク装置により、前記参照情報に基づき、前記PTRSの前記シーケンスのスクランブリング値を決定するステップと、
前記ネットワーク装置により、前記スクランブリング値に基づき、前記PTRSの前記シーケンスを決定するステップと、
を含む、請求項１に記載の送信方法。
【請求項３】
前記送信パラメータが前記PTRSの前記周波数ドメイン位置を含むとき、ネットワーク装置により、端末装置の参照情報に基づき、前記端末装置の位相追跡参照信号PTRSの送信パラメータを決定する前記ステップは、
前記ネットワーク装置により、前記参照情報に基づき、前記PTRSの前記周波数ドメイン位置のオフセットを決定するステップと、
前記ネットワーク装置により、前記オフセットに基づき、前記PTRSの前記周波数ドメイン位置を決定するステップと、
を含む、請求項１又は２に記載の送信方法。
【請求項４】
前記PTRSの前記周波数ドメイン位置の前記オフセットは、リソースエレメントREのオフセット及び／又はリソースブロックRBのオフセットを含み、前記REの前記オフセットは復調参照信号DMRSポート番号に関連し、前記RBの前記オフセットは前記端末装置の前記識別子に関連する、請求項３に記載の送信方法。
【請求項５】
前記ネットワーク装置により、前記端末装置の前記参照情報に基づき、前記PTRSの前記周波数ドメイン位置のオフセットを決定する前記ステップは、
前記ネットワーク装置により、前記参照情報及び第１マッピング関係に基づき、前記PTRSの前記周波数ドメイン位置の前記オフセットを決定するステップであって、前記第１マッピング関係は、前記参照情報と前記PTRSの前記周波数ドメイン位置の前記オフセットとの間の対応を含む、ステップを含む、請求項３又は４に記載の送信方法。
【請求項６】
前記ネットワーク装置により、前記送信パラメータに基づき、前記端末装置へ前記PTRSを送信する前記ステップの前に、前記送信方法は、
前記ネットワーク装置により、前記端末装置へ前記第１マッピング関係を示すステップ、
を更に含む請求項５に記載の送信方法。
【請求項７】
前記ネットワーク装置により、前記送信パラメータに基づき、前記端末装置と共に前記PTRSを送信する前記ステップの前に、前記送信方法は、
前記ネットワーク装置により、前記端末装置へ前記送信パラメータを送信するステップ、
を更に含む請求項１乃至４のいずれか一項に記載の送信方法。
【請求項８】
前記端末装置の前記スケジューリング情報は、以下の情報：
DMRSのスケジューリング情報、前記PTRSのスケジューリング情報、サウンディング参照信号SRSのスケジューリング情報、及びコードワードのスケジューリング情報、のうちの１つ以上を含み、前記DMRSは前記PTRSに関連付けられたDMRSであり、前記DMRSの前記スケジューリング情報は、以下の情報：
DMRSポート番号、DMRSポート数、DMRSポートパターン、リソースエレメントマッピング、前記DMRSのマッピングされたサブキャリアインデックス、又は前記DMRSのマッピングされたリソースエレメント、のうちの１つ以上を含む、請求項１乃至７のいずれか一項に記載の送信方法。
【請求項９】
前記端末装置の前記PTRSの前記周波数ドメイン位置に対応するリソースブロック番号は、番号０、１、．．．、及びN−１であり、リソーススケジューリングのための物理リソースブロック番号が昇順にソートされた後に取得され、Nは前記端末装置のために前記ネットワーク装置によりスケジューリングされたスケジューリング帯域幅に含まれるRBの数である、請求項１乃至８のいずれか一項に記載の送信方法。
【請求項１０】
参照信号送信方法であって、
端末装置により、位相追跡参照信号PTRSの送信パラメータを取得するステップであって、前記送信パラメータは、前記端末装置の参照情報に基づき決定され、前記送信パラメータは、前記PTRSのシーケンス及び前記PTRSの周波数ドメイン位置のうちの少なくとも１つを含み、前記参照情報は、前記端末装置の識別子及び前記端末装置のスケジューリング情報のうちの少なくとも１つを含む、ステップと、
前記端末装置により、前記送信パラメータに基づき、ネットワーク装置と共に前記PTRSを送信するステップと、
を含む送信方法。
【請求項１１】
端末装置により、位相追跡参照信号PTRSの送信パラメータを取得する前記ステップは、
前記端末装置により、前記参照情報に基づき、前記送信パラメータを決定するステップを含む、請求項１０に記載の送信方法。
【請求項１２】
前記送信パラメータが前記PTRSの前記シーケンスを含むとき、前記端末装置により、前記参照情報に基づき、前記送信パラメータを決定する前記ステップは、
前記端末装置により、前記参照情報に基づき、前記PTRSの前記シーケンスのスクランブリング値を決定するステップと、
前記端末装置により、前記スクランブリング値に基づき、前記PTRSの前記シーケンスを決定するステップと、
を含む、請求項１１に記載の送信方法。
【請求項１３】
前記送信パラメータが前記PTRSの前記周波数ドメイン位置を含むとき、前記端末装置により、前記参照情報に基づき、前記送信パラメータを決定する前記ステップは、
前記端末装置により、前記参照情報に基づき、前記PTRSの前記周波数ドメイン位置のオフセットを決定するステップと、
前記端末装置により、前記オフセットに基づき、前記PTRSの前記周波数ドメイン位置を決定するステップと、
を含む、請求項１１又は１２に記載の送信方法。
【請求項１４】
前記PTRSの前記周波数ドメイン位置の前記オフセットは、リソースエレメントREのオフセット及び／又はリソースブロックRBのオフセットを含み、前記REの前記オフセットは復調参照信号DMRSポート番号に関連し、前記RBの前記オフセットは前記端末装置の前記識別子に関連する、請求項１３に記載の送信方法。
【請求項１５】
前記端末装置により、前記参照情報に基づき、前記PTRSの前記周波数ドメイン位置のオフセットを決定する前記ステップは、
前記端末装置により、前記参照情報及び第１マッピング関係に基づき、前記PTRSの前記周波数ドメイン位置の前記オフセットを決定するステップであって、前記第１マッピング関係は、前記参照情報と前記PTRSの前記周波数ドメイン位置の前記オフセットとの間の対応を含む、ステップを含む、請求項１３又は１４に記載の送信方法。
【請求項１６】
前記端末装置により、前記参照情報及び第１マッピング関係に基づき、前記送信パラメータを決定する前記ステップの前に、前記送信方法は、
前記端末装置により、前記ネットワーク装置により示された前記第１マッピング関係を受信するステップ、
を更に含む請求項１５に記載の送信方法。
【請求項１７】
端末装置により、位相追跡参照信号PTRSの送信パラメータを取得する前記ステップは、
前記端末装置により、前記ネットワーク装置により送信された前記送信パラメータを受信するステップを含む、請求項１０乃至１４のいずれか一項に記載の送信方法。
【請求項１８】
前記端末装置の前記スケジューリング情報は、以下の情報：
DMRSのスケジューリング情報、前記PTRSのスケジューリング情報、サウンディング参照信号SRSのスケジューリング情報、及びコードワードのスケジューリング情報、のうちの１つ以上を含み、前記DMRSは前記PTRSに関連付けられたDMRSであり、前記DMRSの前記スケジューリング情報は、以下の情報：
DMRSポート番号、DMRSポート数、DMRSポートパターン、リソースエレメントマッピング、前記DMRSのマッピングされたサブキャリアインデックス、又は前記DMRSのマッピングされたリソースエレメント、のうちの１つ以上を含む、請求項１０乃至１７のいずれか一項に記載の送信方法。
【請求項１９】
前記端末装置の前記PTRSの前記周波数ドメイン位置に対応するリソースブロック番号は、番号０、１、．．．、及びN−１であり、リソーススケジューリングのための物理リソースブロック番号が昇順にソートされた後に取得され、Nは前記端末装置のために前記ネットワーク装置によりスケジューリングされたスケジューリング帯域幅に含まれるRBの数である、請求項１０乃至１８のいずれか一項に記載の送信方法。
【請求項２０】
参照信号送信機器であって、
端末装置の参照情報に基づき、前記端末装置の位相追跡参照信号PTRSの送信パラメータを決定するよう構成される処理ユニットであって、前記参照情報は、前記端末装置の識別子及び前記端末装置のスケジューリング情報のうちの少なくとも１つを含み、前記送信パラメータは、前記PTRSのシーケンス及び前記PTRSの周波数ドメイン位置のうちの少なくとも１つを含む、処理ユニットと、
前記処理ユニットにより取得された前記送信パラメータに基づき、前記端末装置と共に前記PTRSを送信するよう構成される通信機ユニットと、
を含む送信機器。
【請求項２１】
前記送信パラメータが前記PTRSの前記シーケンスを含むとき、前記処理ユニットは、具体的に、
前記参照情報に基づき、前記PTRSの前記シーケンスのスクランブリング値を決定し、
前記スクランブリング値に基づき、前記PTRSの前記シーケンスを決定する、
よう構成される、請求項２０に記載の送信機器。
【請求項２２】
前記送信パラメータが前記PTRSの前記周波数ドメイン位置を含むとき、前記処理ユニットは、具体的に、
前記参照情報に基づき、前記PTRSの前記周波数ドメイン位置のオフセットを決定し、
前記オフセットに基づき、前記PTRSの前記周波数ドメイン位置を決定する、
よう構成される、請求項２０又は２１に記載の送信機器。
【請求項２３】
前記処理ユニットは、具体的に、
前記参照情報及び第１マッピング関係に基づき、前記PTRSの前記周波数ドメイン位置の前記オフセットを決定するよう構成され、前記第１マッピング関係は、前記参照情報と前記PTRSの前記周波数ドメイン位置の前記オフセットとの間の対応を含む、請求項２２に記載の送信機器。
【請求項２４】
前記通信機ユニットは、
前記送信パラメータに基づき、前記端末装置へ、前記PTRSを送信する前に、前記端末装置へ前記第１マッピング関係を示すよう更に構成される、請求項２３に記載の送信機器。
【請求項２５】
参照信号送信機器であって、
位相追跡参照信号PTRSの送信パラメータを取得するよう構成される取得ユニットであって、前記送信パラメータは、前記送信機器の参照情報に基づき決定され、前記送信パラメータは、前記PTRSのシーケンス及び前記PTRSの周波数ドメイン位置のうちの少なくとも１つを含み、前記参照情報は、前記送信機器の識別子及び前記送信機器のスケジューリング情報のうちの少なくとも１つを含む、取得ユニットと、
前記取得ユニットにより取得された前記送信パラメータに基づき、ネットワーク装置と共に前記PTRSを送信するよう構成される通信機ユニットと、
を含む送信機器。
【請求項２６】
前記取得ユニットは、具体的に、
前記参照情報に基づき、前記送信パラメータを決定するよう構成される、請求項２５に記載の送信機器。
【請求項２７】
前記送信パラメータが前記PTRSの前記シーケンスを含むとき、前記取得ユニットは、具体的に、
前記参照情報に基づき、前記PTRSの前記シーケンスのスクランブリング値を決定し、
前記スクランブリング値に基づき、前記PTRSの前記シーケンスを決定する、
よう構成される、請求項２６に記載の送信機器。
【請求項２８】
前記送信パラメータが前記PTRSの前記周波数ドメイン位置を含むとき、前記取得ユニットは、具体的に、
前記参照情報に基づき、前記PTRSの前記周波数ドメイン位置のオフセットを決定し、
前記オフセットに基づき、前記PTRSの前記周波数ドメイン位置を決定する、
よう構成される、請求項２６又は２７に記載の送信機器。
【請求項２９】
前記取得ユニットは、具体的に、
前記参照情報及び第１マッピング関係に基づき、前記PTRSの前記周波数ドメイン位置の前記オフセットを決定するよう構成され、前記第１マッピング関係は、前記参照情報と前記PTRSの前記周波数ドメイン位置の前記オフセットとの間の対応を含む、請求項２８に記載の送信機器。
【請求項３０】
前記通信機ユニットは、
前記送信パラメータが前記参照情報及び前記第１マッピング関係に基づき決定される前に、前記ネットワーク装置により示された前記第１マッピング関係を受信するよう更に構成される、請求項２９に記載の送信機器。
【請求項３１】
コンピュータ可読記憶媒体であって、前記コンピュータ可読記憶媒体はコンピュータプログラムを格納し、前記コンピュータプログラムがプロセッサ上で実行されると、前記プロセッサは、請求項１乃至９のいずれか一項に記載の方法を実行可能にされる、コンピュータ可読記憶媒体。
【請求項３２】
コンピュータ可読記憶媒体であって、前記コンピュータ可読記憶媒体はコンピュータプログラムを格納し、前記コンピュータプログラムがプロセッサ上で実行されると、前記プロセッサは、請求項１０乃至１９のいずれか一項に記載の方法を実行可能にされる、コンピュータ可読記憶媒体。
【請求項３３】
コンピュータプログラムプロダクトであって、前記コンピュータプログラムプロダクトがコンピュータ上で実行されると、前記コンピュータは、請求項１乃至９のいずれか一項に記載の方法を実行可能にされる、コンピュータプログラムプロダクト。
【請求項３４】
コンピュータプログラムプロダクトであって、前記コンピュータプログラムプロダクトがコンピュータ上で実行されると、前記コンピュータは、請求項１０乃至１９のいずれか一項に記載の方法を実行可能にされる、コンピュータプログラムプロダクト。
【発明の詳細な説明】
【技術分野】
【０００１】
［関連出願］
本願は、中国特許出願番号２０１７１０４５８４９４．１号、２０１７年６月１６日に中国特許庁に出願、名称「REFERENCE  SIGNAL  TRANSMISSION  METHOD  AND  TRANSMISSION  APPARATUS」の優先権を主張する。該出願は、参照によりその全体がここに組み込まれる。
【０００２】
［技術分野］
本願は、通信分野に関し、より具体的に、通信分野における参照信号送信方法及び送信機器に関する。
【背景技術】
【０００３】
ネットワークシステムの発展に伴い、通信レート及び容量に対する要求が増大しており、高周波数リソースに対する要求も増大している。しかしながら、周波数の増大につれて、周波数装置、つまりローカル発振器、のランダムジッタにより生成される位相ノイズも増大する。したがって、高周波数無線通信における位相ノイズの影響は無視できない。通常、送信端装置は、予め知られている位相追跡参照信号（phase  tracking  reference  signal,  PTRS）を追加してよく、受信端装置は、受信したPTRSに基づき位相ノイズを推定できる。
【０００４】
しかしながら、全ての受信端装置のPTRSのシーケンスは同じセル又はセクタ内で同じなので、同じリソースブロックにマッピングされる異なる端末装置のPTRSは、互いに干渉し、位相ノイズの推定に影響を与える。PTRSへの干渉をどのようにランダム化するかが、緊急に解決される必要のある問題になっている。
【発明の概要】
【０００５】
本願は、PTRSへの干渉をランダム化するのを助けるために、参照信号送信方法及び送信機器を提供する。
【０００６】
第１の態様によると、本願は参照信号送信方法を提供する。参照信号送信方法は、ネットワーク装置により、端末装置の参照情報に基づき、前記端末装置の位相追跡参照信号PTRSの送信パラメータを決定するステップであって、前記参照情報は、前記端末装置の識別子及び前記端末装置のスケジューリング情報のうちの少なくとも１つを含み、前記送信パラメータは、前記PTRSのシーケンス及び前記PTRSの周波数ドメイン位置のうちの少なくとも１つを含む、ステップと、前記ネットワーク装置により、前記送信パラメータに基づき、前記端末装置と共に前記PTRSを送信するステップと、を含む。
【０００７】
理解されるべきことに、送信方法は、参照信号のアップリンク送信シナリオに適用されてよく、又は参照信号のダウンリンク送信シナリオに適用されてよい。
【０００８】
ダウンリンク送信シナリオでは、ネットワーク装置により、送信パラメータに基づき端末装置と共にPTRSを送信するステップは、ネットワーク装置により、送信パラメータに基づき端末装置へPTRSを送信するステップとして理解されてよい。
【０００９】
任意的な実施形態では、ネットワーク装置は、PTRSの周波数ドメイン位置に対応するサブキャリア／リソースエレメント（resource  element,  RE）のインデックスに基づき、サブキャリア／REのインデックスに対応し且つサブキャリア／REの位置する物理リソースブロック（physical  resource  block,  PRB）のインデックスを決定してよい。ネットワーク装置は、PRBのインデックスに基づき、PTRSのシーケンスから、PRBのインデックスに対応するシンボルを選択し、該シンボルを、周波数ドメイン位置に対応するサブキャリア／REにマッピングする。
【００１０】
理解されるべきことに、ネットワーク装置がN個の仮想リソースブロック（virtual  resource  block,  VRB）を端末装置に割り当てるとき、N個のVRBのインデックスの昇順に、N個のVRBはN個の連続相対リソースブロック（resource  block,  RB）に順次対応し、N個の相対RBのインデックスは０、１、．．．、及びN−１であり、Nは０より大きい整数である。例えば、０、１、６、及び７のインデックスを有する４個のVRBが、ネットワーク装置により端末装置に割り当てられ、インデックスの昇順に、４個のVRBが０、１、２、及び３のインデックスを有する４個の関連RBに対応する。
【００１１】
更に理解されるべきことに、本願の本実施形態では、PTRSの周波数ドメイン位置は、N個の関連RBにおけるPTRSの周波数ドメイン位置として理解されてよい。
【００１２】
任意で、ネットワーク装置又は端末装置は、関連RBとVRBとの間の対応、及びVRBとPRBとの間の事前設定された対応に基づき、PTRSの周波数ドメイン位置に対応する物理サブキャリア／REのインデックス、及び、物理サブキャリア／REのインデックスに対応し且つ物理サブキャリア／REの位置するPRBのインデックスを決定できる。
【００１３】
アップリンク送信シナリオでは、ネットワーク装置により、送信パラメータに基づき端末装置と共にPTRSを送信するステップは、ネットワーク装置により、送信パラメータに基づき、端末装置により送信されたPTRSを受信するステップとして理解されてよい。任意で、ネットワーク装置が端末装置により送信されたPTRSを受信した後に、ネットワーク装置はPTRSに基づき位相ノイズを推定してよい。
【００１４】
任意的な実施形態では、ネットワーク装置は、PTRSの周波数ドメイン位置に対応するサブキャリア／REのインデックスに基づき、サブキャリア／REのインデックスに対応し且つサブキャリア／REの位置するPRBのインデックスを決定してよい。ネットワーク装置は、PRBの中のサブキャリア／REから、PRBのインデックスに対応するシンボルを取得し、取得したシンボル及びPTRSのシーケンスに基づき、位相ノイズを推定する。
【００１５】
本願の本実施形態で提供される参照信号送信方法によると、端末装置のPTRSのシーケンスは、端末装置の参照情報に基づき決定される。その結果、端末装置のPTRSのシーケンスは、別の端末装置のPTRSのシーケンスと異なり得、端末装置のPTRSへの干渉のランダム化が、別の端末装置のPTRSのランダム化を用いて向上されて、端末装置のPTRSへの干渉のランダム化を助ける。それにより、PTRSを用いてノイズ推定の性能を安定化することを助ける。
【００１６】
さらに、本願の本実施形態で提供される参照信号送信方法によると、複数ユーザ多入力多出力（multi−user  multiple−input  multiple−output,  MU−MIMO）技術は、PTRSポート間の、並びにPTRSポートとデータとの間の、非直交多重化をサポートし、端末装置のPTRSの周波数ドメイン位置は、端末装置の参照情報に基づき決定される。このように、対にされた端末装置のPTRSは、RBレベルの周波数ドメインオフセット又はリソースエレメント（resource  element,  RE）レベルの周波数ドメインオフセットを導入することにより、異なる周波数ドメイン位置にマッピングできる。つまり、端末装置のPTRSへの干渉は、別の端末装置のデータから生じ、端末装置のPTRSへの干渉のランダム化は、別の端末装置のデータのランダム化を用いて向上されて、端末装置のPTRSへの干渉のランダム化を助け、それにより、PTRSを用いるノイズ推定の性能を安定化させる。
【００１７】
理解されるべきことに、ネットワーク装置及び端末装置は、PTRSに基づき位相ノイズを推定してよく、又は位相補償参照信号（phase  compensation  reference  signal,  PCRS）に基づき位相ノイズを推定してよい。PTRS及びPCRSは、本願の本実施形態では集合的にPTRSと呼ばれ、これは本願の本実施形態において限定されない。
【００１８】
可能な実装では前記送信パラメータが前記PTRSの前記シーケンスを含むとき、ネットワーク装置により、端末装置の参照情報に基づき、前記端末装置の位相追跡参照信号PTRSの送信パラメータを決定する前記ステップは、前記ネットワーク装置により、前記参照情報に基づき、前記PTRSの前記シーケンスのスクランブリング値を決定するステップと、前記ネットワーク装置により、前記スクランブリング値に基づき、前記PTRSの前記シーケンスを決定するステップと、を含む。
【００１９】
別の可能な実装では、前記送信パラメータが前記PTRSの前記周波数ドメイン位置を含むとき、ネットワーク装置により、端末装置の参照情報に基づき、前記端末装置の位相追跡参照信号PTRSの送信パラメータを決定する前記ステップは、前記ネットワーク装置により、前記参照情報に基づき、前記PTRSの前記周波数ドメイン位置のオフセットを決定するステップと、前記ネットワーク装置により、前記オフセットに基づき、前記PTRSの前記周波数ドメイン位置を決定するステップと、を含む。
【００２０】
更に別の可能な実装では、前記送信パラメータがPTRSの周波数ドメイン位置を含むとき、前記送信パラメータにより示された関連RB内のマッピングされたM番目のPTRSの周波数ドメイン位置は、｛Δf+M*N｝であってよい。ここで、Δfは周波数ドメイン位置のオフセットを示し、Δfの値範囲は０、１、２、．．．、及びN−１であり、NはPTRSの周波数ドメイン間隔を示し、Mは０以上の整数である。
【００２１】
例えば、各RBがシーケンスの中の１個のシンボルに対応する場合、周波数ドメイン密度は４個のRB毎にマッピングされた１個のPTRSであると仮定すると、第１のマッピングされたPTRSは、シーケンスの中のシンボル０〜シンボル３のうちの１つに対応し、第２のマッピングされたPTRSは、シーケンスの中のシンボル４〜シンボル７のうちの１つに対応する。
【００２２】
更に別の可能な実装では、ネットワーク装置により、端末装置の参照情報に基づき、前記端末装置の位相追跡参照信号PTRSの送信パラメータを決定する前記ステップは、前記ネットワーク装置により、前記参照情報及び第１マッピング関係に基づき、前記送信パラメータを決定するステップであって、前記第１マッピング関係は、前記参照情報と前記送信パラメータとの間の対応を含む、ステップを含む。
【００２３】
任意で、前記ネットワーク装置及び前記端末装置は、前記第１マッピング関係について予め合意してよい。例えば、プロトコルの中で第１マッピング関係に合意してよく、又は前記ネットワーク装置が前記PTRSを前記端末装置へ送信する前に、前記ネットワーク装置が前記第１マッピング関係を前記端末装置に示す。これは、本願の本実施形態において限定されない。
【００２４】
更に別の可能な実装では、前記ネットワーク装置により、前記送信パラメータに基づき、前記端末装置へ前記PTRSを送信する前記ステップの前に、前記送信方法は、前記ネットワーク装置により、前記端末装置へ前記第１マッピング関係を示すステップ、を更に含む。
【００２５】
任意で、前記ネットワーク装置は、第１シグナリングを用いて、前記第１マッピング関係を前記端末装置へ送信してよい。
【００２６】
任意で、第１シグナリングは、無線リソース制御（radio  resource  control,  RRC）シグナリング、媒体アクセス制御（media  access  control,  MAC）制御要素（control  element,  CE）シグナリング、又はダウンリンク制御情報（downlink  control  information,  DCI）シグナリングであってよい。これは、本願の本実施形態において限定されない。
【００２７】
本願の本実施形態で提供される参照情報送信方法によると、ネットワーク装置は、第１シグナリングを用いて第１マッピング関係を端末装置へ送信し、相応して、端末装置は、参照情報及び第１マッピング関係に基づき送信パラメータを決定できる。その結果、ネットワーク装置は、ネットワーク装置がPTRSを送信する度に送信パラメータを端末装置へ送信する必要がない。それにより、シグナリングオーバヘッドを削減する。
【００２８】
更に別の可能な実装では、前記ネットワーク装置により、前記送信パラメータに基づき、前記端末装置と共に前記PTRSを送信する前記ステップの前に、前記送信方法は、前記ネットワーク装置により、前記端末装置へ前記送信パラメータを送信するステップ、を更に含む。
【００２９】
任意で、前記ネットワーク装置は、第２シグナリングを用いて、前記送信パラメータを前記端末装置へ送信してよい。
【００３０】
任意で、第２シグナリングは、無線リソース制御（radio  resource  control,  RRC）シグナリング、媒体アクセス制御（media  access  control,  MAC）制御要素（control  element,  CE）シグナリング、又はダウンリンク制御情報（downlink  control  information,  DCI）シグナリングであってよい。これは、本願の本実施形態において限定されない。
【００３１】
本願の本実施形態で提供される参照情報送信方法によると、前記ネットワーク装置は、シグナリングを用いて、前記送信パラメータを前記端末装置へ直接送信する。ここで、該シグナリングは、簡易であり、低い複雑性を有する。
【００３２】
更に別の可能な実装では、前記端末装置の前記スケジューリング情報は、以下の情報：復調参照信号DMRSのスケジューリング情報、PTRSのスケジューリング情報、サウンディング参照信号SRSのスケジューリング情報、及びコードワードのスケジューリング情報、のうちの少なくとも１つを含む。
【００３３】
任意で、前記DMRSの前記スケジューリング情報は、DMRSポート番号、DMRSポート数、DMRSポートパターン、リソースエレメントマッピング、前記DMRSがマッピングされるサブキャリアインデックス、又は前記DMRSがマッピングされるリソースエレメント、であってよい。前記PTRSの前記スケジューリング情報は、PTRSポート番号、PTRSポート数、PTRSポート周波数ドメイン密度、又はリソースエレメントマッピングであってよい。前記SRSの前記スケジューリング情報は、SRSポート番号、SRSポート数、SRSポートパターン、リソースエレメントマッピング、前記SRSがマッピングされるサブキャリアインデックス、又は前記SRSがマッピングされるリソースエレメントであってよい。前記コードワードの前記スケジューリング情報は、前記コードワードのコードワード番号又はコードワード数であってよい。
【００３４】
第２の態様によると、本願は別の参照信号送信方法を提供する。前記送信方法は、端末装置により、位相追跡参照信号PTRSの送信パラメータを取得するステップであって、前記送信パラメータは、前記PTRSのシーケンス及び前記PTRSの周波数ドメイン位置のうちの少なくとも１つを含み、前記送信パラメータは、前記端末装置の参照情報に基づき決定され、前記参照情報は、前記端末装置の識別子及び前記端末装置のスケジューリング情報のうちの少なくとも１つを含む、ステップと、前記端末装置により、前記送信パラメータに基づき、前記ネットワーク装置と共に前記PTRSを送信するステップと、を含む。
【００３５】
理解されるべきことに、送信方法は、参照信号のアップリンク送信シナリオに適用されてよく、又は参照信号のダウンリンク送信シナリオに適用されてよい。
【００３６】
任意で、アップリンク送信シナリオでは、前記端末装置により、前記送信パラメータに基づきネットワーク装置と共に前記PTRSを送信する前記ステップは、前記端末装置により、前記送信パラメータに基づき前記端末装置へ前記PTRSを送信するステップとして理解されてよい。
【００３７】
任意的な実施形態では、前記端末装置は、前記PTRSの前記周波数ドメイン位置に対応するサブキャリア／REのインデックスに基づき、前記サブキャリア／REの前記インデックスに対応し且つ前記サブキャリア／REの位置するPRBのインデックスを決定してよい。前記端末装置は、前記PRBの前記インデックスに基づき、前記PTRSの前記シーケンスから、前記PRBの前記インデックスに対応するシンボルを選択し、該シンボルを、前記周波数ドメイン位置に対応する前記サブキャリア／REにマッピングする。
【００３８】
理解されるべきことに、ネットワーク装置がN個の仮想リソースブロック（virtual  resource  block,  VRB）を端末装置に割り当てるとき、N個のVRBのインデックスの昇順に、N個のVRBはN個の連続相対リソースブロック（resource  block,  RB）に順次対応し、N個の相対RBのインデックスは０、１、．．．、及びN−１であり、Nは０より大きい整数である。例えば、０、１、６、及び７のインデックスを有する４個のVRBが、ネットワーク装置により端末装置に割り当てられ、インデックスの昇順に、４個のVRBが０、１、２、及び３のインデックスを有する４個の関連RBに対応する。
【００３９】
更に理解されるべきことに、本願の本実施形態では、PTRSの周波数ドメイン位置は、N個の関連RBにおけるPTRSの周波数ドメイン位置として理解されてよい。
【００４０】
任意で、ネットワーク装置又は端末装置は、関連RBとVRBとの間の対応、及びVRBとPRBとの間の事前設定された対応に基づき、PTRSの周波数ドメイン位置に対応する物理サブキャリア／REのインデックス、及び、物理サブキャリア／REのインデックスに対応し且つ物理サブキャリア／REの位置するPRBのインデックスを決定できる。
【００４１】
任意で、ダウンリンク送信シナリオでは、前記端末装置により、前記送信パラメータに基づきネットワーク装置と共に前記PTRSを送信する前記ステップは、前記端末装置により、前記送信パラメータに基づき、前記ネットワーク装置により送信された前記PTRSを受信するステップとして理解されてよい。任意で、前記端末装置が前記ネットワーク装置により送信された前記PTRSを受信した後に、前記端末装置は前記PTRSに基づき位相ノイズを推定してよい。
【００４２】
任意的な実施形態では、前記端末装置は、前記PTRSの前記周波数ドメイン位置に対応するサブキャリア／REのインデックスに基づき、前記サブキャリア／REの前記インデックスに対応し且つ前記サブキャリア／REの位置するPRBのインデックスを決定してよい。前記端末装置は、前記PRBの中の前記サブキャリア／REから、前記PRBの前記インデックスに対応するシンボルを取得し、前記取得したシンボル及び前記PTRSの前記シーケンスに基づき、位相ノイズを推定する。
【００４３】
本願の本実施形態で提供される参照信号送信方法によると、端末装置のPTRSのシーケンスは、端末装置の参照情報に基づき決定される。その結果、端末装置のPTRSのシーケンスは、別の端末装置のPTRSのシーケンスと異なり得、端末装置のPTRSへの干渉のランダム化が、別の端末装置のPTRSのランダム化を用いて向上されて、端末装置のPTRSへの干渉のランダム化を助ける。それにより、PTRSを用いてノイズ推定の性能を安定化することを助ける。
【００４４】
さらに、本願の本実施形態で提供される参照信号送信方法によると、複数ユーザ多入力多出力（multi−user  multiple−input  multiple−output,  MU−MIMO）技術は、PTRSポート間の、並びにPTRSポートとデータとの間の、非直交多重化をサポートし、端末装置のPTRSの周波数ドメイン位置は、端末装置の参照情報に基づき決定される。このように、対にされた端末装置のPTRSは、RBレベルの周波数ドメインオフセット又はリソースエレメント（resource  element,  RE）レベルの周波数ドメインオフセットを導入することにより、異なる周波数ドメイン位置にマッピングできる。つまり、端末装置のPTRSへの干渉は、別の端末装置のデータから生じ、端末装置のPTRSへの干渉のランダム化は、別の端末装置のデータのランダム化を用いて向上されて、端末装置のPTRSへの干渉のランダム化を助け、それにより、PTRSを用いるノイズ推定の性能を安定化させる。
【００４５】
可能な実装では、端末装置により、位相追跡参照信号PTRSの送信パラメータを取得する前記ステップは、前記端末装置により、前記参照情報に基づき、前記送信パラメータを決定するステップを含む。
【００４６】
別の可能な実装では、前記送信パラメータが前記PTRSの前記シーケンスを含むとき、前記端末装置により、前記参照情報に基づき、前記送信パラメータを決定する前記ステップは、前記端末装置により、前記参照情報に基づき、前記PTRSの前記シーケンスのスクランブリング値を決定するステップと、前記端末装置により、前記スクランブリング値に基づき、前記PTRSの前記シーケンスを決定するステップと、を含む。
【００４７】
更に別の可能な実装では、前記送信パラメータが前記PTRSの前記周波数ドメイン位置を含むとき、前記端末装置により、前記参照情報に基づき、前記送信パラメータを決定する前記ステップは、前記端末装置により、前記参照情報に基づき、前記PTRSの前記周波数ドメイン位置のオフセットを決定するステップと、前記端末装置により、前記オフセットに基づき、前記PTRSの前記周波数ドメイン位置を決定するステップと、を含む。
【００４８】
更に別の可能な実装では、前記送信パラメータが前記PTRSの前記周波数ドメイン位置を含むとき、前記送信パラメータにより示されたマッピングされたM番目のPTRSの周波数ドメイン位置は、｛Δf+M*N｝であってよい。ここで、Δfは周波数ドメイン位置のオフセットを示し、Δfの値範囲は０、１、２、．．．、及びN−１であり、NはPTRSの周波数ドメイン間隔を示し、Mは０以上の整数である。
【００４９】
例えば、各RBがシーケンスの中の１個のシンボルに対応する場合、周波数ドメイン密度は４個のRB毎にマッピングされた１個のPTRSであると仮定すると、第１のマッピングされたPTRSは、シーケンスの中のシンボル０〜シンボル３のうちの１つに対応し、第２のマッピングされたPTRSは、シーケンスの中のシンボル４〜シンボル７のうちの１つに対応する。
【００５０】
更に別の可能な実装では、前記端末装置により、前記参照情報に基づき、前記送信パラメータを決定する前記ステップは、前記端末装置により、前記参照情報及び第１マッピング関係に基づき、前記送信パラメータを決定するステップであって、前記第１マッピング関係は、前記参照情報と前記送信パラメータとの間の対応を含む、ステップを含む。
【００５１】
任意で、前記ネットワーク装置及び前記端末装置は、前記第１マッピング関係について予め合意してよい。例えば、プロトコルの中で第１マッピング関係に合意してよく、又は前記ネットワーク装置が前記PTRSを前記端末装置へ送信する前に、前記ネットワーク装置が前記第１マッピング関係を前記端末装置に示す。これは、本願の本実施形態において限定されない。
【００５２】
更に別の可能な実装では、前記端末装置により、前記参照情報及び第１マッピング関係に基づき、前記送信パラメータを決定する前記ステップの前に、前記送信方法は、前記端末装置により、前記ネットワーク装置により示された前記第１マッピング関係を受信するステップ、を更に含む。
【００５３】
任意で、前記端末装置は、第１シグナリングを用いて、前記ネットワーク装置により送信された前記第１マッピング関係を受信してよい。
【００５４】
任意で、第１シグナリングは、無線リソース制御（radio  resource  control,  RRC）シグナリング、媒体アクセス制御（media  access  control,  MAC）制御要素（control  element,  CE）シグナリング、又はダウンリンク制御情報（downlink  control  information,  DCI）シグナリングであってよい。これは、本願の本実施形態において限定されない。
【００５５】
本願の本実施形態で提供される参照情報送信方法によると、端末装置は、第１シグナリングを用いて、ネットワーク装置により送信された第１マッピング関係を受信する。その結果、端末装置は、参照情報及び第１マッピング関係に基づき送信パラメータを決定でき、端末装置がPTRSを送信する度に、ネットワーク装置により送信される送信パラメータを受信する必要がない。それにより、シグナリングオーバヘッドを削減する。
【００５６】
更に別の可能な実装では、端末装置により、位相追跡参照信号PTRSの送信パラメータを取得する前記ステップは、前記端末装置により、前記ネットワーク装置により送信された前記送信パラメータを受信するステップを含む。
【００５７】
任意で、前記端末装置は、第２シグナリングを用いて、前記ネットワーク装置により送信された前記送信パラメータを受信してよい。
【００５８】
任意で、前記第２シグナリングは、無線リソース制御（radio  resource  control,  RRC）シグナリング、媒体アクセス制御（media  access  control,  MAC）制御要素（control  element,  CE）シグナリング、又はダウンリンク制御情報（downlink  control  information,  DCI）シグナリングであってよい。これは、本願の本実施形態において限定されない。
【００５９】
本願の本実施形態で提供される参照情報送信方法によると、前記端末装置は、シグナリングを用いて、前記ネットワーク装置により送信された前記送信パラメータを直接受信する。ここで、該シグナリングは、簡易であり、低い複雑性を有する。
【００６０】
更に別の可能な実装では、前記端末装置の前記スケジューリング情報は、以下の情報：復調参照信号DMRSのスケジューリング情報、PTRSのスケジューリング情報、サウンディング参照信号SRSのスケジューリング情報、及びコードワードのスケジューリング情報、のうちの少なくとも１つを含む。
【００６１】
任意で、前記DMRSの前記スケジューリング情報は、DMRSポート番号、DMRSポート数、DMRSポートパターン、リソースエレメントマッピング、前記DMRSがマッピングされるサブキャリアインデックス、又は前記DMRSがマッピングされるリソースエレメント、であってよい。前記PTRSの前記スケジューリング情報は、PTRSポート番号、PTRSポート数、PTRSポート周波数ドメイン密度、又はリソースエレメントマッピングであってよい。前記SRSの前記スケジューリング情報は、SRSポート番号、SRSポート数、リソースエレメントマッピング、前記SRSがマッピングされるサブキャリアインデックス、又は前記SRSがマッピングされるリソースエレメントであってよい。前記コードワードの前記スケジューリング情報は、前記コードワードのコードワード番号又はコードワード数であってよい。
【００６２】
第３の態様によると、本願は、第１の態様又は第１の態様の可能な実装のうちのいずれか１つによる送信方法を実行するよう構成される参照信号送信機器を提供する。
【００６３】
第４の態様によると、本願は、第２の態様又は第２の態様の可能な実装のうちのいずれか１つによる送信方法を実行するよう構成される参照信号送信機器を提供する。
【００６４】
第５の態様によると、本願は参照信号送信機器を提供する。当該送信機器は、メモリと、プロセッサと、通信機と、前記メモリに格納され前記プロセッサ上で実行可能なコンピュータプログラムとを含み、前記コンピュータプログラムを実行すると、前記プロセッサは第１の態様又は第１の態様の可能な実装のいずれか１つによる送信方法を実行する。
【００６５】
第６の態様によると、本願は参照信号送信機器を提供する。当該送信機器は、メモリと、プロセッサと、通信機と、前記メモリに格納され前記プロセッサ上で実行可能なコンピュータプログラムとを含み、前記コンピュータプログラムを実行すると、前記プロセッサは第２の態様又は第２の態様の可能な実装のいずれか１つによる送信方法を実行する。
【００６６】
第１７の態様によると、本願は、コンピュータ可読媒体であって、コンピュータプログラムを格納するよう構成され、コンピュータプログラムは第１の態様又は第１の態様の可能な実装のうちのいずれか１つによる送信方法を実行するために使用される命令を含む、コンピュータ可読媒体を提供する。
【００６７】
第８の態様によると、本願は、コンピュータ可読媒体であって、コンピュータプログラムを格納するよう構成され、コンピュータプログラムは第２の態様又は第２の態様の可能な実装のうちのいずれか１つによる送信方法を実行するために使用される命令を含む、コンピュータ可読媒体を提供する。
【００６８】
第９の態様によると、本願は、命令を含むコンピュータプログラムプロダクトを提供する。命令がコンピュータ上で実行されると、該コンピュータは、第１の態様又は第１の態様の可能な実装のうちのいずれか１つによる送信方法を実行可能にされる。
【００６９】
第１０の態様によると、本願は、命令を含むコンピュータプログラムプロダクトを提供する。命令がコンピュータ上で実行されると、該コンピュータは、第２の態様又は第２の態様の可能な実装のうちのいずれか１つによる送信方法を実行可能にされる。
【００７０】
第１１の態様によると、本願は、命令を格納する通信チップを提供する。命令がネットワーク装置又は端末装置上で実行されると、ネットワーク装置又は端末装置は、前述の態様の各々による方法を実行可能にされる。
【図面の簡単な説明】
【００７１】
【図１】本願の一実施形態による通信システムの概略アーキテクチャ図である。
【００７２】
【図２】本願の一実施形態による参照信号のPTRS周波数ドメイン密度の概略図である。
【００７３】
【図３】本願の一実施形態による参照信号送信方法の概略フローチャートである。
【００７４】
【図４】本願の一実施形態による、DMRSポート及びPTRSポートのマッピングされる周波数ドメイン位置の概略図である。
【００７５】
【図５】本願の一実施形態による、DMRSポート及びPTRSポートのマッピングされる周波数ドメイン位置の別の概略図である。
【００７６】
【図６】本願の一実施形態によるPTRSの周波数ドメイン位置の概略図である。
【００７７】
【図７】本願の一実施形態によるPTRSの周波数ドメイン位置の別の概略図である。
【００７８】
【図８】本願の一実施形態による別の参照信号送信方法の概略フローチャートである。
【００７９】
【図９】本願の一実施形態による参照信号送信機器の概略ブロック図である。
【００８０】
【図１０】本願の一実施形態による別の参照信号送信機器の概略ブロック図である。
【００８１】
【図１１】本願の一実施形態による更に別の参照信号送信機器の概略ブロック図である。
【００８２】
【図１２】本願の一実施形態による更に別の参照信号送信機器の概略ブロック図である。
【発明を実施するための形態】
【００８３】
以下は、添付の図面を参照して本願の技術的ソリューションを記載する。
【００８４】
理解されるべきことに、本願の実施形態の技術的ソリューションは、グローバル・システム・フォー・モバイル・コミュニケーションズ(global  system  of  mobile  communication,  GSM)、符号分割多元接続(code  division  multiple  access,  CDMA)システム、広帯域符号分割多元接続(wideband  code  division  multiple  access,  WCDMA)システム、汎用パケット無線サービス(general  packet  radio  service,  GPRS)システム、ロングタームエボリューション(long  term  evolution,  LTE)システム、LTE周波数分割複信(frequency  division  duplex,  FDD)システム、LTE時分割複信(time  division  duplex,  TDD)、ユニバーサル・モバイル・テレコミュニケーションズ・システム(universal  mobile  telecommunication  system,  UMTS)、ワールドワイド・インターオペラビリティ・フォー・マイクロウェーブ・アクセス(worldwide  interoperability  for  microwave  access,  WiMAX)通信システム、無線ローカルエリアネットワーク(wireless  local  area  network,  WLAN)、又は将来の第５世代(the  fifth  Generation、５G)無線通信システム、のような種々の通信システムに適用されてよい。
【００８５】
図１は、本願の一実施形態による通信システム１００の概略アーキテクチャ図である。図１に示されるように、通信システム１００は、少なくとも１つのネットワーク装置（ネットワーク装置１１０が図１に示される）及び複数の端末装置（端末装置１２０及び端末装置１３０が図１に示される）を含んでよい。少なくとも１つのネットワーク装置は、複数の端末装置との無線通信を実行できる。
【００８６】
任意で、ネットワーク装置は、特定地理領域に通信カバレッジを提供でき、カバレッジ内のUEと通信できる。ネットワーク装置は、GSMシステム又はCDMAシステムにおける基地通信機局（base  transceiver  station,  BTS）であってよく、又はWCDMAシステムにおけるNodeB（nodeB,  NB）であってよく、又はLTEシステムにおける進化型NodeB（evolved  nodeB、eNB又はeNodeB）、又はクラウド無線アクセスネットワーク（cloud  radio  access  network,  CRAN）における無線コントローラであってよい。ネットワーク装置は、代替として、コアネットワーク、中継局、アクセスポイント、車載装置、ウェアラブル装置、将来の５Gネットワーク側装置、将来の進化型地上波公共移動体ネットワーク（public  land  mobile  network,  PLMN）におけるネットワーク装置、等であってよい。
【００８７】
任意で、端末装置はモバイル又は固定であってよい。端末装置は、アクセス端末、ユーザ機器（User  Equipment,  UE）、加入者ユニット、加入者局、移動局、移動体コンソール、リモート局、リモート端末、モバイル装置、ユーザ端末、端末、無線通信装置、ユーザエージェント、ユーザ機器、等を表してもよい。アクセス端末は、セルラ電話機、コードレス電話機、セッション開始プロトコル（Session  Initiation  Protocol,  SIP）電話機、無線ローカルループ（Wireless  Local  Loop,  WLL）局、パーソナルデジタルアシスタント（Personal  Digital  Assistant,  PDA）、無線通信機能を備えるハンドヘルド装置、コンピューティング装置、無線モデムに接続される別の処理装置、車載装置、ウェアラブル装置、将来の５Gネットワーク、将来の進化型PLMNにおける端末装置、等であってよい。
【００８８】
図１は、１つのネットワーク装置及び２つの端末装置を一例として示す。任意で、通信システム１００は、代替として複数のネットワーク装置を含んでよく、他の数の端末装置が各ネットワーク装置のカバレッジに含まれてよい。これは、本願の本実施形態において限定されない。任意で、通信システム１００は、ネットワーク制御部又は移動性管理エンティティのような別のネットワークエンティティを更に含んでよい。本願の本実施形態はこれに限定されない。
【００８９】
理解されるべきことに、ネットワーク装置及び端末装置は、PTRSに基づき位相ノイズを推定してよく、又は位相補償参照信号（phase  compensation  reference  signal,  PCRS）に基づき位相ノイズを推定してよい。PTRS及びPCRSは、本願の本実施形態では集合的にPTRSと呼ばれ、これは本願の本実施形態において限定されない。
【００９０】
理解されるべきことに、PTRS周波数ドメイン密度が１/nであることは、PTRSがn個のリソースブロック（resource  block,  RB）毎に１個のサブキャリアにマッピングされること、つまり、各RBが１２個のサブキャリアを含むとき、PTRSの周波数ドメイン間隔は１２＊n個のサブキャリアである、として理解されてよい。nの値は、例えば、１、２、４、８、又は１６であってよい。これは、本願の本実施形態において限定されない。
【００９１】
従来、ネットワーク装置及び端末装置は、ポート（port）６０及び／又はポート６１を用いてPTRSを送信してよい。PTRSの周波数ドメイン位置の、ポート６０に対応するオフセットは２３サブキャリアであり、PTRSの周波数ドメイン位置の、ポート６１に対応するオフセットは２４サブキャリアである。
【００９２】
例えば、図２に示されるように、PTRSの周波数ドメイン密度が１／４であり且つ各RBが１２個のサブキャリアを含むとき、PTRSの周波数ドメイン間隔は４８サブキャリアであると仮定する。ネットワーク装置及び端末装置がポート６０を用いてPTRSを送信するとき、PTRSは、２３、２３＋１＊４８、２３＋２＊４８、．．．、及び２３＋m＊４８のインデックスを有するサブキャリアに連続的にマッピングされ、ネットワーク装置及び端末装置がポート６１を用いてPTRSを送信するとき、PTRSは、２４、２４＋１＊４８、２４＋２＊４８、．．．、及び２４＋m＊４８のインデックスを有するサブキャリアに連続的にマッピングされ、ここでmは０以上の整数である。
【００９３】
従来、同じセル／セクタ内の端末装置は、それぞれ、ネットワーク装置により構成されたPTRSのシーケンスのスクランブリング値に基づき、又はセル／セクタの識別子をPTRSのシーケンスのスクランブリング値として用いて、該端末装置のPTRSのシーケンスを生成する。つまり、セル／セクタ内の全ての端末装置は、PTRSの同じシーケンスを有する。セル／セクタ内にいる、同じリソースがスケジューリングされた又は重なり合うスケジューリングされたリソースを有する第１端末装置及び第２端末装置が、両方とも、同じポートを通じてPTRSを送信するとき、第１端末装置のPTRSがマッピングされる周波数ドメイン位置は、第２端末装置のPTRSがマッピングされる周波数ドメイン位置と重なり合う。この場合、第１端末装置及び第２端末装置の同じサブキャリア上で受信されるPTRS信号は、互いに干渉する。結果として、PTRSを用いる位相ノイズの推定の性能が不安定になる。各端末装置のPTRSを用いる位相ノイズ推定の性能を安定化させるために、PTRSへの干渉がランダム化される必要がある。
【００９４】
本願の本実施形態で提供される参照信号送信方法によると、ネットワーク装置及び端末装置は、端末装置のPTRSの送信パラメータに基づき、端末装置のPTRSを送信してよく、ここで、送信パラメータは、PTRSのシーケンス及び／又は周波数ドメイン位置を含み、送信パラメータは、端末装置の参照情報に基づき決定され、参照情報は、端末装置の識別子及び／又は端末装置のスケジューリング情報を含み、PTRSへの干渉をランダム化することを助け、それによりPTRSを用いる位相ノイズ推定の性能を安定化させる。
【００９５】
図３は、本願の一実施形態による参照信号送信方法３００の概略フローチャートである。送信方法３００は、図１に示す通信システム１００に適用されてよく、例えば、参照信号のダウンリンク送信シナリオに適用されてよい。
【００９６】
Ｓ３１０。ネットワーク装置は、端末装置の参照情報に基づき、端末装置のPTRSの送信パラメータを決定する。ここで、参照情報は、端末装置の識別子及び端末装置のスケジューリング情報のうちの少なくとも１つを含み、送信パラメータは、PTRSのシーケンス及びPTRSの周波数ドメイン位置のうちの少なくとも１つを含む。
【００９７】
任意で、参照情報は、端末装置の識別子及び端末装置のスケジューリング情報のうちの少なくとも１つを含んでよい。端末装置の識別子は、端末装置がネットワーク装置のネットワークにアクセスするとき、ネットワーク装置により端末装置に割り当てられてよい。端末装置のスケジューリング情報は、ネットワーク装置により端末装置のためにスケジューリングされたアップリンク／ダウンリンクリソースであってよい。これは、本願の本実施形態において限定されない。
【００９８】
任意で、Ｓ３１０の前に、ネットワーク装置は、端末装置がネットワークにアクセスするとき、端末装置の識別子を取得してよい。Ｓ３１０の前に、ネットワーク装置は、端末装置にスケジューリング情報を割り当て、該スケジューリング情報を端末装置へ送信してよい。相応して、端末装置は、ネットワーク装置により送信されたスケジューリング情報を受信してよい。
【００９９】
例えば、端末装置の識別子は、以下の識別子：セル無線ネットワーク一時識別子（cell  radio  network  temporary  identifier,  C−RNTI）、ランダムアクセス応答一時識別子（random  access  response  temporary  identifier,  RA−RNTI）、一時C−RNTI、及び送信電力制御一時識別子（transmit  power  control  temporary  identifier,  TPC−RNTI）、のうちの少なくとも１つを含んでよい。これは、本願の本実施形態において限定されない。
【０１００】
別の例では、端末装置のスケジューリング情報は、以下の情報：復調参照信号（de−modulation  reference  signal,  DMRS）のスケジューリング情報、PTRSのスケジューリング情報、サウンディング参照信号（sounding  reference  signal,  SRS）のスケジューリング情報、及びコードワードのスケジューリング情報、のうちの少なくとも１つを含んでよい。これは、本願の本実施形態において限定されない。
【０１０１】
DMRSのスケジューリング情報は、DMRSポート番号、DMRSポート数、DMRSポートパターン、リソースエレメントマッピング（resource  element  mapping）、又はDMRSサブキャリアインデックス／リソースエレメント、であってよい。PTRSのスケジューリング情報は、PTRSポート番号、ポート数、ポート周波数ドメイン密度、又はリソースエレメントマッピングであってよい。SRSのスケジューリング情報は、SRSポート番号、SRSポート数、SRSポートパターン、リソースエレメントマッピング、又はSRSサブキャリアインデックス／リソースエレメントであってよい。コードワードのスケジューリング情報は、コードワードのコードワード番号又はコードワード数であってよい。
【０１０２】
理解されるべきことに、DMRSは、PTRSに関連付けられたDMRSであってよい。つまり、DMRSとPTRSは同じプリコーディング行列を使用する。
【０１０３】
任意で、ネットワーク装置により、端末装置の参照情報に基づき、端末装置のPTRSの送信パラメータを決定することは、ネットワーク装置により、参照情報及び第１マッピング関係に基づき送信パラメータを決定することであってよい。
【０１０４】
任意で、ネットワーク装置及び端末装置は、第１マッピング関係について予め合意してよい。例えば、プロトコルの中で第１マッピング関係に合意してよく、又はネットワーク装置がPTRSを端末装置へ送信する前に、ネットワーク装置が上位レイヤシグナリングを用いて第１マッピング関係を端末装置に示す。これは、本願の本実施形態において限定されない。
【０１０５】
任意で、参照情報が端末装置のPTRSのシーケンスを含むとき、ネットワーク装置により、端末装置の参照情報に基づき端末装置のPTRSの送信パラメータを決定することは、ネットワーク装置により、端末装置の参照情報に基づき、端末装置のPTRSのシーケンスのスクランブリング値を決定することと、ネットワーク装置により、スクランブリング値に基づき、端末装置のPTRSのシーケンスを生成することと、であってよい。
【０１０６】
任意で、参照情報が端末装置のPTRSの周波数ドメイン位置のオフセットを含むとき、ネットワーク装置により、端末装置の参照情報に基づき端末装置のPTRSの送信パラメータを決定することは、ネットワーク装置により、端末装置の参照情報に基づき、端末装置のPTRSの周波数ドメイン位置のオフセットを決定することと、ネットワーク装置により、オフセットに基づき、端末装置のPTRSの周波数ドメイン位置を生成することと、であってよい。
【０１０７】
任意で、PTRSの周波数ドメイン位置のオフセットの単位はRB又はREであってよい。例えば、オフセットf_offsetの単位がRBであり、１個のRBが１２個のサブキャリアを含むとき、周波数ドメイン位置のオフセットはf_offset＊１２である。
【０１０８】
理解されるべきことに、ネットワーク装置がN個の仮想リソースブロック（virtual  resource  block,  VRB）を端末装置に割り当てるとき、N個のVRBのインデックスの昇順に、N個のVRBはN個の連続関連リソースブロック（resource  block,  RB）に順次対応し、N個の関連RBのインデックスは０、１、．．．、及びN−１であり、Nは０より大きい整数である。例えば、０、１、６、及び７のインデックスを有する４個のVRBが、ネットワーク装置により端末装置に割り当てられ、インデックスの昇順に、４個のVRBが０、１、２、及び３のインデックスを有する４個の関連RBに対応する。
【０１０９】
更に理解されるべきことに、本願の本実施形態では、PTRSの周波数ドメイン位置は、N個の関連RBにおけるPTRSの周波数ドメイン位置として理解されてよい。
【０１１０】
任意で、送信パラメータが関連RBの中のPTRSの周波数ドメイン位置を含むとき、送信パラメータにより示された関連RB内のマッピングされたM番目のPTRSの周波数ドメイン位置は、｛Δf+M*N｝であってよい。ここで、Δfは周波数ドメイン位置のオフセットを示し、Δfの値範囲は０、１、２、．．．、及びN−１であり、NはPTRSの周波数ドメイン間隔を示し、Mは０以上の整数である。
【０１１１】
例えば、各RBがシーケンスの中の１個のシンボルに対応する場合、周波数ドメイン密度は４個のRB毎にマッピングされた１個のPTRSであると仮定すると、第１のマッピングされたPTRSは、シーケンスの中のシンボル０〜シンボル３のうちの１つに対応し、第２のマッピングされたPTRSは、シーケンスの中のシンボル４〜シンボル７のうちの１つに対応する。
【０１１２】
任意的な実施形態では、参照情報が端末装置の識別子（identifier,  ID）を含むとき、端末装置のPTRSの周波数ドメイン位置のオフセットf_offset  １はf１１（端末装置のID）に等しく、端末装置のPTRSのシーケンスのスクランブリング値n_SC  １はf１２（端末装置のID）に等しく、f１１及びf１２は関数であり、f１１の関数は端末装置のIDを端末装置のPTRSの周波数ドメイン位置のオフセットにマッピングするためのものであり、関数f１２は端末装置のIDを端末装置のPTRSのシーケンスのスクランブリング値にマッピングするためのものである。
【０１１３】
理解されるべきことに、周波数オフセットの可能な値範囲は、端末装置のIDの値範囲より小さく、例えば２１６個のC−RNTIがあり、最大で１９２個の周波数オフセットがある。したがって、関数f１１は例えば以下であってよい。
（ａ）モジュロ演算、例えばmod（端末ID，M）、ここでMの値は１２、２４、４８、．．．、等である、又は、
（ｂ）右シフト演算、又は端末のIDからの幾つかのビットの除去、例えば、右シフト（端末ID，N）、ここでNは右シフトが実行されるビット数を示し、値は９、１０、１１、．．．、等であってよい。
【０１１４】
f１２及びf１１は、繰り返しを回避するために同様の原理を有するので、詳細はここで再び記載されない。
【０１１５】
別の任意的な実施形態では、参照情報がDMRSポート番号／数／パターン／リソースエレメント／サブキャリアインデックスを含むとき、端末装置のPTRSの周波数ドメイン位置のオフセットf_offset  ２はf２１（DMRSポート番号／数／パターン／サブキャリアインデックス）に等しく、端末装置のPTRSのシーケンスのスクランブリング値n_SC  ２はf２２（DMRSポート番号／数／パターン／サブキャリアインデックス）に等しい。ここで、f２１及びf２２は関数であり、f２１の関数は、DMRSポート番号／数／パターン／サブキャリアインデックスを端末装置のPTRSの周波数ドメイン位置のオフセットにマッピングするためのものであり、f２２の関数は、DMRSポート番号／数／パターン／サブキャリアインデックスを端末装置のPTRSのシーケンスのスクランブリング値にマッピングするためのものである。
【０１１６】
理解されるべきことに、マッピング関係は１対１対応又は１対多対応であってよく、DMRSポート番号は、PTRSポート番号と１対１対応であってよく、DMRSポート数は、通常PTRSポート数より多く、DMRS周波数ドメイン密度はPTRS周波数ドメイン密度より大きい。したがって、関数f２１は例えば以下であってよい。
（ａ）f_offset  ２=L*（DMRSポート番号−最小DMRSポート番号）、又は、f_offset  ２=L*floor((DMRSポート番号−最小DMRSポート番号)/２)、ここで、Lは、図４に示すように、異なるDMRSポート間の周波数ドメイン間隔を示す。又は、
（ｂ）f_offset  ３=floor((DMRSポート番号−最小DMRSポート番号)/２)+RE_DMRS(i)、ここで、i=DMRSポート番号−最小DMRSポート番号であり、RE_DMRSはDMRSのサブキャリア番号又はリソースエレメント番号である。つまり、PTRSポートに関連付けられた２個のDMRSポートは、時間ドメイン符号分割多重（time  domain−orthogonal  code  division  multiplexing,  TD−CDM）であり、異なるDMRS  RE番号は異なるPTRSポートの周波数オフセットのために構成されてよく、例えばRE_DMRS(０)=０及びRE_DMRS(１)=Kである。ここで、KはDMRSの周波数ドメイン間隔である。つまり、図５に示すように、最小DMRSポート番号に関連付けられたPTRSの位置するREは、最小DMRSポート番号に関連付けられたPTRSの位置するREは、最小DMRSポートの第１REであり、第２DMRSポート番号に関連付けられたPTRSの位置するREは、第２DMRSポートの第２REである。
【０１１７】
任意で、PTRSポートに関連付けられた２個のDMRSポートが周波数ドメイン符号分割多重（frequency  domain  code  division  multiplexing,  FD−CDM）であ、又は同じ周波数ドメイン位置を占有するが、CS（cyclic  shifts）のような異なるシーケンスを使用するときも、前述の場合が適用可能である。
【０１１８】
f２２及びf２１は、同様の原理を有するからである。繰り返しを回避するために、詳細はここに再び記載されない。
【０１１９】
さらに別の任意的な実施形態では、参照情報がPTRSポート番号／数／周波数ドメイン密度を含むとき、これは、参照情報がDMRSポート番号／数／サブキャリアインデックスを含む場合と同様であり、相違点は、PTRS周波数ドメイン密度が、通常、使用のために他の情報と結合されることである。端末装置のIDに基づき決定された周波数オフセットは、PTRSの周波数ドメイン間隔より大きくてよい。本例では、オフセットは意味がない。したがって、オフセットは、PTRSの周波数ドメイン間隔にマッピングされる必要がある。一実装では、PTRSの周波数ドメイン位置の更新されたオフセットを取得するために、モジュロ演算が、PTRSの周波数ドメイン間隔Mに対してPTRS周波数ドメイン密度により実行されてよい。つまり、f_offset_new=mod(f_offset,  M)。
【０１２０】
更に別の任意的な実施形態では、参照情報はコードワード番号／数を含んでよい。コードワード数が２であり、コードワード間のPTRSポートが非直交多重化される場合、異なるコードワードは異なるオフセットを有してよい。例えば、第１コードワードのオフセットは０であり、第２コードワードのオフセットはNである。
【０１２１】
任意で、参照情報が１種類の情報のみを含むとき、送信パラメータは、前述の方法に従い決定されてよい。参照情報が複数種類の情報を含むとき、複数種類の情報は、単に線形に重ね合わされてよく、又は使用のために結合されてよい。これは、本願の本実施形態において限定されない。
【０１２２】
任意的な実施形態では、１個のRBの中で、端末装置のPTRSの周波数ドメイン位置は、PTRSに関連付けられたDMRSポート番号、端末装置の識別子、及びPTRSポート番号のうちの少なくとも１つに基づき決定されてよい。
【０１２３】
例えば、モジュロ演算は、PTRS周波数ドメイン密度に対して、端末装置のIDに基づき決定される周波数ドメイン位置のオフセットにより、実行されてよい。
【０１２４】
別の例では、コードワード数に基づき決定された周波数ドメイン位置のオフセットについて、DMRSパターンが更に考慮されてよい。つまり、第２コードワードのオフセットは、DMRSの周波数ドメイン間隔の整数倍である。
【０１２５】
別の例では、RB内の、３個の端末装置（端末装置１、端末装置２、及び端末装置３）のPTRSに関連付けられたDMRSの位置が、全て、０、４、及び８の番号を有するRE／サブキャリアであるとき、異なるDMRSサブキャリアは、PTRSをマッピングするために端末のIDに基づき割り当てられてよい。例えば、端末装置１のM番目のPTRSのマッピングされた周波数ドメイン位置は０+M*N１であってよく、端末装置２のM番目のPTRSのマッピングされた周波数ドメイン位置は４+M*N２であってよく、端末装置３によりマッピングされたM番目のPTRSの周波数ドメイン位置は８+M*N３であってよい。ここで、Mは０以上の整数であり、N１は端末装置１のPTRSの周波数ドメイン間隔を示し、N２は端末装置２のPTRSの周波数ドメイン間隔を示し、N３は端末装置３のPTRSの周波数ドメイン間隔を示す。
【０１２６】
任意で、端末装置のDMRSポートに基づき決定された複数の端末装置のうちの全部のPTRSの周波数ドメイン位置と、DMRSがマッピングされるリソースエレメントと、が同じであるとき、DMRS周波数ドメイン密度はPTRS周波数ドメイン密度より大きいので、端末装置のPTRSの周波数ドメイン位置は、端末装置の識別子に基づき、DMRSの周波数ドメイン位置から更に選択されてよい。
【０１２７】
本願の本実施形態で提供される参照信号送信方法によると、端末装置のPTRSのシーケンスは、端末装置の参照情報に基づき決定される。その結果、端末装置のPTRSのシーケンスは、別の端末装置のPTRSのシーケンスと異なり得、端末装置のPTRSへの干渉のランダム化が、別の端末装置のPTRSのランダム化を用いて向上されて、端末装置のPTRSへの干渉のランダム化を助ける。それにより、PTRSを用いるノイズ推定の性能を安定化することを助ける。
【０１２８】
さらに、本願の本実施形態で提供される参照信号送信方法によると、複数ユーザ多入力多出力（multi−user  multiple−input  multiple−output,  MU−MIMO）技術は、PTRSポート間の、並びにPTRSポートとデータとの間の、非直交多重化をサポートし、端末装置のPTRSの周波数ドメイン位置は、端末装置の参照情報に基づき決定される。その結果、対にされた（paired）端末装置のPTRSが、RBレベルの周波数ドメインオフセット又はリソースエレメント（resource  element,  RE）レベルの周波数ドメインオフセットを導入することにより、異なる周波数ドメイン位置にマッピングできる。つまり、端末装置のPTRSへの干渉は、別の端末装置のデータから生じ、端末装置のPTRSへの干渉のランダム化は、別の端末装置のデータのランダム化を用いて向上されて、端末装置のPTRSへの干渉のランダム化を助け、それにより、PTRSを用いるノイズ推定の性能を安定化させる。
【０１２９】
Ｓ３２０。端末装置は、送信パラメータを取得する。
【０１３０】
任意で、Ｓ３２０で、端末装置は送信パラメータを決定してよく、又は端末装置はネットワーク装置により送信された送信パラメータを受信してよい。これは、本願の本実施形態において限定されない。
【０１３１】
任意的な実施形態では、Ｓ３２０で、端末装置により、送信パラメータを取得することは、端末装置により、参照情報及び予め構成された第１マッピング関係に基づき、送信パラメータを決定することであってよい。
【０１３２】
別の任意的な実施形態では、Ｓ３２０の前に、ネットワーク装置は、送信パラメータを端末装置へ送信してよい。相応して、Ｓ３２０で、端末装置により送信パラメータを取得することは、端末装置により、ネットワーク装置により送信された送信パラメータを受信することであってよい。
【０１３３】
任意で、ネットワーク装置は、第１シグナリングを用いて、送信パラメータを端末装置へ送信してよい。相応して、端末装置は、ネットワーク装置により送信された送信パラメータを、第１シグナリングを用いて受信してよい。
【０１３４】
任意で、第１シグナリングは、無線リソース制御（radio  resource  control,  RRC）シグナリング、媒体アクセス制御（media  access  control,  MAC）制御要素（control  element,  CE）シグナリング、又はダウンリンク制御情報（downlink  control  information,  DCI）シグナリングであってよい。これは、本願の本実施形態において限定されない。
【０１３５】
さらに別の任意的な実施形態では、Ｓ３２０の前に、ネットワーク装置は、第１マッピング関係を端末装置へ送信してよい。相応して、Ｓ３２０で、端末装置により送信パラメータを取得することは、端末装置により、ネットワーク装置により送信された第１マッピング関係を受信することと、端末装置により、参照情報及び第１マッピング関係に基づき送信パラメータを決定することと、であってよい。
【０１３６】
任意で、ネットワーク装置は、第２シグナリングを用いて、第１マッピング関係を端末装置へ送信してよい。相応して、端末装置は、ネットワーク装置により送信された第１マッピング関係を、第２シグナリングを用いて受信してよい。
【０１３７】
任意で、第２シグナリングは、無線リソース制御（radio  resource  control,  RRC）シグナリング、媒体アクセス制御（media  access  control,  MAC）制御要素（control  element,  CE）シグナリング、又はダウンリンク制御情報（downlink  control  information,  DCI）シグナリングであってよい。これは、本願の本実施形態において限定されない。
【０１３８】
理解されるべきことに、ネットワーク装置が送信パラメータ又は第１マッピング関係を端末装置へ、RRCシグナリングを持ち手送信するとき、RRCシグナリングの構成機関はPTRSのような参照情報の変化速度より大きいので、RRCシグナリングを用いて構成されたPTRSの周波数ドメイン位置のオフセットは、PTRSの周波数ドメイン間隔を超えることがある。２つのシナリオにおいて、ネットワーク装置が端末装置のPTRSの周波数ドメイン位置のオフセットをRRCシグナリングを用いてどのように構成するかが、以下に記載される。
【０１３９】
（ａ）データ送信におけるPTRSでは、端末装置のPTRS周波数ドメイン密度は、端末装置のためにネットワーク装置によりスケジューリングされた帯域幅により決定され、高い帯域幅ほど小さなPTRS周波数ドメイン密度を示す。ネットワーク装置は、端末装置のために、RRCシグナリングを用いて、端末装置のIDのような固定参照情報とPTRSポート番号とに基づき決定された周波数ドメイン位置のオフセットを構成してよい。ネットワーク装置又は端末装置が、固定参照情報に基づき、構成されたオフセットがデータ送信中のPTRSの周波数ドメイン間隔より大きいと決定したとき、構成されたオフセットは意味がない。この場合、モジュロ演算が、PTRSの周波数ドメイン間隔に対して、ネットワーク装置又は端末装置により構成されたオフセットにより実行される。又は、構成されたオフセットは、PTRSの周波数ドメイン間隔に基づき正規化されてよく、つまり、f_offset  new=floor(f_offset*M/(f_offsetの最大値))。又は、構成されたオフセットのPTRSの周波数ドメイン間隔へのマッピングの可能な別の演算が使用されてよい。これは、本願の本実施形態で限定されないが、ネットワーク装置及び端末装置は使用されるべき演算について予め合意する必要がある。
【０１４０】
（ｂ）システム情報におけるPTRSでは、システムメッセージの受信信頼性を保証するために、ネットワーク装置は、デフォルトで、最高PTRS周波数ドメイン密度を構成してよい。この場合、PTRS周波数ドメイン密度及びPTRSポートは、RRCシグナリングに知られている。したがって、PTRSの構成は、ネットワーク装置がRRCシグナリングを用いて周波数ドメイン位置のオフセットを構成するとき、既に考慮されている。つまり、構成は、マッピング中にPTRSの周波数ドメイン位置を決定するために直接使用できる。
【０１４１】
任意で、端末装置のPTRSの周波数ドメイン位置のオフセットは、端末装置のPTRSと別の端末装置のPTRSとの周波数ドメイン位置の間のオフセット（第１オフセット）、及び端末装置の間の複数のPTRSポートの周波数ドメイン位置の間のオフセット（第２オフセット）を含んでよい。同様に、端末装置のPTRSのシーケンスのスクランブリング値は、端末装置のPTRSのシーケンスのスクランブリング値（第１スクランブリング値）、及び端末装置の複数の異なるPTRSポートのシーケンスのスクランブリング値（第２スクランブリング値）を含んでよい。
【０１４２】
任意で、第１オフセット（第１スクランブリング値）は、端末のIDに基づき決定されてよく、第２オフセット（第２スクランブリング値）は、DMRSのスケジューリング情報及び／又は端末装置のIDに基づき決定されてよい。これは、本願の本実施形態において限定されない。
【０１４３】
Ｓ３３０。ネットワーク装置は、送信パラメータに基づき端末装置にPTRSを送信する。相応して、端末装置は、送信パラメータに基づき、ネットワーク装置により送信されたPTRSを受信する。
【０１４４】
任意で、Ｓ３３０で、ネットワーク装置により、送信パラメータに基づきPTRSを端末装置へ送信することは、ネットワーク装置により、PTRSの周波数ドメイン位置に対応するサブキャリア／REのインデックスに基づき、サブキャリア／REのインデックスに対応し且つサブキャリア／REの位置する物理リソースブロック（physical  resource  block,  PRB）のインデックスを決定することと、ネットワーク装置により、PRBのインデックスに基づき、PTRSのシーケンスから、PRBのインデックスに対応するシンボルを選択し、該シンボルを周波数ドメイン位置に対応するサブキャリア／REにマッピングすることと、であってよい。
【０１４５】
相応して、端末装置により、送信パラメータに基づき、ネットワーク装置により送信された送信パラメータを受信することは、端末装置により、PTRSの周波数ドメイン位置に対応するサブキャリア／REのインデックスに基づき、サブキャリア／REのインデックスに対応し且つサブキャリア／REの位置するPRBのインデックスを決定することと、端末装置により、PRBの中のサブキャリア／REから、PRBのインデックスに対応するシンボルを取得し、取得したシンボル及びPTRSのシーケンスに基づき位相ノイズを推定することと、であってよい。
【０１４６】
理解されるべきことに、ネットワーク装置がN個のVRBを端末装置に割り当てるとき、N個のVRBのインデックスの昇順に、N個のVRBはN個の連続関連RBに順次対応し、N個の関連RBのインデックスは０、１、．．．、及びN−１であり、Nは０より大きい整数である。例えば、０、１、６、及び７のインデックスを有する４個のVRBが、ネットワーク装置により端末装置に割り当てられ、インデックスの昇順に、４個のVRBが０、１、２、及び３のインデックスを有する４個の関連RBに対応する。
【０１４７】
更に理解されるべきことに、本願の本実施形態では、PTRSの周波数ドメイン位置は、N個の関連RBにおけるPTRSの周波数ドメイン位置として理解されてよい。
【０１４８】
任意で、ネットワーク装置又は端末装置は、関連RBとVRBとの間の対応、及びVRBとPRBとの間の事前設定された対応に基づき、PTRSの周波数ドメイン位置に対応する物理サブキャリア／REのインデックス、及び、物理サブキャリア／REのインデックスに対応し且つ物理サブキャリア／REの位置するPRBのインデックスを決定できる。
【０１４９】
更に理解されるべきことに、ネットワーク装置及び端末装置は、PTRSに基づき位相ノイズを推定してよく、又はPCRSに基づき位相ノイズを推定してよい。PTRS及びPCRSは、本願の本実施形態では集合的にPTRSと呼ばれ、これは本願の本実施形態において限定されない。
【０１５０】
図６は、本願の一実施形態によるPTRSマッピングの概略図である。図６では、端末装置のPTRSのシーケンスの長さは２４であり、ネットワーク装置は、PTRSを送信するために、端末装置に、インデックス０、１、６、７、８、９、１０、１１、１８、１９、２２、及び２３を有する全部で１２個の不連続仮想リソースブロック（virtual  resource  block,  VRB）をスケジューリングすると仮定する。
【０１５１】
理解されるべきことに、ネットワーク装置によりスケジューリングされた１２個のVRBは不連続であり、PTRS周波数ドメイン密度は１／４である、つまり、１個のシンボルが４個のRB毎にマッピングされるので、ネットワーク装置は、シンボルのマッピングされるべき特定RBを決定する必要がある。
【０１５２】
任意で、１２個の連続関連RBがあり、VRBのインデックスの昇順で、１２個の不連続VRBが１２個の関連RBに順次対応すると仮定する。例えば、０のインデックスを有するVRBは０のインデックスを有する関連RBに対応し、１のインデックスを有するVRBは１のインデックスを有する関連RBに対応し、６のインデックスを有するVRBは２のインデックスを有する関連RBに対応し、７のインデックスを有するVRBは３のインデックスを有する関連RBに対応し、．．．、２３のインデックスを有するVRBは１１のインデックスを有する関連RBに対応する。
【０１５３】
ネットワーク装置により端末装置のために構成されたPTRS周波数ドメイン密度が１／４であり、各RBが１２個のサブキャリアを含むとき、ネットワーク装置は、１０サブキャリアである端末装置のPTRSの周波数ドメイン位置のオフセットに基づき、PTRSの周波数ドメイン位置に対応する関連RBが、１０のインデックスを有するサブキャリア／RE（つまり、０のインデックスを有する関連RBの１１番目のサブキャリア）、５８（つまり、１０＋４８）のインデックスを有するサブキャリア／RE（つまり、４のインデックスを有する関連RBの１１番目のサブキャリア）、及び１０６（つまり、１０＋４８*２）のインデックスを有するサブキャリア／RE（つまり、８のインデックスを有する関連RBの１１番目のサブキャリア）、を含むことを決定する。
【０１５４】
ネットワーク装置は、関連RBとVRBとの間の対応に基づき、PTRSの周波数ドメイン位置に対応するVRBが、０のインデックスを有するVRB、８のインデックスを有するVRB、１８のインデックスを有するVRB、を含むことを決定してよい。ネットワーク装置は、VRBとPRBとの間の対応に基づき、PTRSの周波数ドメイン位置に対応するPRBが、０のインデックスを有するPRB、８のインデックスを有するPRB、１８のインデックスを有するPRB、を含むことを決定してよい。
【０１５５】
したがって、ネットワーク装置は、０のインデックスを有するPRBに対応するPTRSのシーケンスの中のシンボルを、０のインデックスを有するPRBにマッピングし、８のインデックスを有するPRBに対応するシンボルを、８のインデックスを有するPRBにマッピングし、１８のインデックスを有するPRBに対応するシンボルを、１８のインデックスを有するPRBにマッピングしてよい。
【０１５６】
任意的な実施形態では、ネットワーク装置は、端末装置のために、PTRSを送信するための１２個のPRBをスケジューリングし、PTRS周波数ドメイン密度は１／４であり、つまり１個のシンボルが４個のPRB毎にマッピングされる。その結果、PTRSのシーケンスの中の０のインデックスを有するシンボルは０〜３のインデックスを有するPRBに対応し、１のインデックスを有するシンボルは４〜７のインデックスを有するPRVに対応し、２のインデックスを有するシンボルは８〜１１インデックスを有するPRBに対応し、別のシンボルとPRBとの間の対応は、同じ原理を用いて取得できる。
【０１５７】
したがって、０のインデックスを有するPRBに対応するシンボルは、PTRSのシーケンスの中の０のインデックスを有するシンボルであり、８のインデックスを有するPRBに対応するシンボルは、２のインデックスを有するシンボルであり、１８のインデックスを有するPRVに対応するシンボルは、同じ原理を用いて取得できる。
【０１５８】
任意で、本願の本実施形態では、図６のPRBとVRBとの間の対応のみが、説明のための一例として使用されたが、PRBとVRBとの間の別の対応があってよい。これは、本願の本実施形態において限定されない。
【０１５９】
図７は、本願の一実施形態によるPTRSマッピングの概略図である。図７では、端末装置のPTRSのシーケンスの長さは２４であり、ネットワーク装置は、PTRSを送信するために、端末装置に、０、１、６、７、８、９、１０、１１、１８、１９、２２、及び２３のインデックスを有する全部で１２個の不連続VRBをスケジューリングすると仮定する。図７に示すVRBとPRBとの間の対応に基づき、１２個のVRBに対応する０、１、６、７、８、９、１０、１１、１８、１９、２２、及び２３のインデックスを有する全部で１２個の不連続PRBが取得されてよい。
【０１６０】
理解されるべきことに、ネットワーク装置によりスケジューリングされた１２個のPRBは不連続であり、PTRS周波数ドメイン密度は１／４である、つまり、１個のシンボルが４個のRB毎にマッピングされるので、ネットワーク装置は、シンボルのマッピングされるべき特定RBを決定する必要がある。
【０１６１】
任意で、１２個の連続関連RBがあり、PRBのインデックスの昇順で、１２個の不連続PRBが１２個の関連RBに順次対応すると仮定する。例えば、０のインデックスを有するPRBは０のインデックスを有する関連RBに対応し、１のインデックスを有するPRBは１のインデックスを有する関連RBに対応し、６のインデックスを有するPRBは２のインデックスを有する関連RBに対応し、７のインデックスを有するものは３のインデックスを有する関連RBに対応し、．．．、２３のインデックスを有するPRBは１１のインデックスを有する関連RBに対応する。
【０１６２】
ネットワーク装置により端末装置のために構成されたPTRS周波数ドメイン密度が１／４であり、各RBが１２個のサブキャリアを含むとき、ネットワーク装置は、１０サブキャリアである端末装置のPTRSの周波数ドメイン位置のオフセットに基づき、PTRSの周波数ドメイン位置に対応する関連RBが、１０のインデックスを有するサブキャリア／RE（つまり、０のインデックスを有する関連RBの１１番目のサブキャリア）、５８（つまり、１０＋４８）のインデックスを有するサブキャリア／RE（つまり、４のインデックスを有する関連RBの１１番目のサブキャリア）、及び１０６（つまり、１０＋４８*２）のインデックスを有するサブキャリア／RE（つまり、８のインデックスを有する関連RBの１１番目のサブキャリア）、を含むことを決定する。
【０１６３】
ネットワーク装置は、関連RBとPRBとの間の対応に基づき、PTRSの周波数ドメイン位置に対応するPRBが、０のインデックスを有するPRB、８のインデックスを有するPRB、１８のインデックスを有するPRB、を含むことを決定してよい。
【０１６４】
したがって、ネットワーク装置は、０のインデックスを有するPRBに対応するPTRSのシーケンスの中のシンボルを、０のインデックスを有するPRBにマッピングし、８のインデックスを有するPRBに対応するシンボルを、８のインデックスを有するPRBにマッピングし、１８のインデックスを有するPRBに対応するシンボルを、１８のインデックスを有するPRBにマッピングしてよい。
【０１６５】
図８は、本願の一実施形態による参照信号送信方法８００の概略フローチャートである。送信方法８００は、図１に示す通信システム１００に適用されてよく、例えば、参照信号のアップリンク送信シナリオに適用されてよい。
【０１６６】
Ｓ８１０。ネットワーク装置は、端末装置の参照情報に基づき、端末装置のPTRSの送信パラメータを決定する。ここで、参照情報は、端末装置の識別子及び端末装置のスケジューリング情報のうちの少なくとも１つを含み、送信パラメータは、PTRSのシーケンス及びPTRSの周波数ドメイン位置のうちの少なくとも１つを含む。
【０１６７】
Ｓ８２０。端末装置は、送信パラメータを取得する。
【０１６８】
Ｓ８３０。端末装置は、送信パラメータに基づきネットワーク装置へPTRSを送信する。相応して、ネットワーク装置は、送信パラメータに基づき、端末装置により送信されたPTRSを受信する。
【０１６９】
理解されるべきことに、図８のＳ８１０は図３のＳ３１０と同様であり、したがって、Ｓ８１０については、実装のためにＳ３１０における実装を参照し、図８のＳ８２０は図３のＳ３２０と同様であり、したがって、Ｓ８２０については、実装のためにＳ３２０における実装を参照する。繰り返しを回避するために、詳細はここに再び記載されない。
【０１７０】
任意で、Ｓ８３０で、端末装置により、送信パラメータに基づきPTRSをネットワーク装置へ送信することは、端末装置により、PTRSの周波数ドメイン位置に対応するサブキャリア／REのインデックスに基づき、サブキャリア／REのインデックスに対応し且つサブキャリア／REの位置するPRBのインデックスを決定することと、端末装置により、PRBのインデックスに基づき、PTRSのシーケンスから、PRBのインデックスに対応するシンボルを選択し、該シンボルを周波数ドメイン位置に対応するサブキャリア／REにマッピングすることと、であってよい。
【０１７１】
相応して、ネットワーク装置により、送信パラメータに基づき、端末装置により送信されたPTRSを受信することは、ネットワーク装置により、PTRSの周波数ドメイン位置に対応するサブキャリア／REのインデックスに基づき、サブキャリア／REのインデックスに対応し且つサブキャリア／REの位置するPRBのインデックスを決定することと、ネットワーク装置により、PRBの中のサブキャリア／REから、PRBのインデックスに対応するシンボルを取得し、取得したシンボル及びPTRSのシーケンスに基づき位相ノイズを推定することと、であってよい。
【０１７２】
理解されるべきことに、図８のＳ８３０は図３のＳ３３０と同様であり、したがって、Ｓ８３０については、実装のためにＳ３３０の実装を参照する。繰り返しを回避するために、詳細はここに再び記載されない。
【０１７３】
本願の実施形態で提供される参照信号送信方法は、図２〜図８を参照して以上に詳細に記載された。本願の実施形態で提供される参照信号送信機器は、図９〜図１２を参照して以下に記載される。
【０１７４】
図９は、本願の一実施形態による参照信号送信機器９００を示す。送信機器９００は、端末装置の参照情報に基づき、端末装置の位相追跡参照信号PTRSの送信パラメータを決定するよう構成される処理ユニット９１０であって、参照情報は、端末装置の識別子及び端末装置のスケジューリング情報のうちの少なくとも１つを含み、送信パラメータは、PTRSのシーケンス及びPTRSの周波数ドメイン位置のうちの少なくとも１つを含む、処理ユニット９１０と、処理ユニット９１０により取得された送信パラメータに基づき、端末装置と共にPTRSを送信するよう構成される通信機ユニット９２０と、を含む。
【０１７５】
任意で、送信パラメータがPTRSのシーケンスを含むとき、処理ユニットは、具体的に、参照情報に基づき、PTRSのシーケンスのスクランブリング値を決定し、スクランブリング値に基づき、PTRSのシーケンスを決定する、よう構成される。
【０１７６】
任意で、送信パラメータがPTRSの周波数ドメイン位置を含むとき、処理ユニットは、具体的に、参照情報に基づき、PTRSの周波数ドメイン位置のオフセットを決定し、オフセットに基づき、PTRSの周波数ドメイン位置を決定する、よう構成される。
【０１７７】
任意で、処理ユニットは、具体的に、参照情報及び第１マッピング関係に基づき、送信パラメータを決定するよう構成され、第１マッピング関係は、参照情報と送信パラメータとの間の対応を含む。
【０１７８】
任意で、通信機ユニットは、送信パラメータに基づき、端末装置へ、PTRSを送信する前に、端末装置へ第１マッピング関係を送信するよう更に構成される。
【０１７９】
任意で、通信機ユニットは、送信パラメータに基づき、端末装置と共に、PTRSを送信する前に、端末装置へ送信パラメータを送信するよう更に構成される。
【０１８０】
任意で、送信パラメータがPTRSの周波数ドメイン位置を含むとき、PTRSの周波数ドメイン位置のオフセットは、PTRSの周波数ドメイン間隔より小さい。
【０１８１】
任意で、端末装置のスケジューリング情報は、以下の情報：復調参照信号DMRSのスケジューリング情報、PTRSのスケジューリング情報、サウンディング参照信号SRSのスケジューリング情報、及びコードワードのスケジューリング情報、のうちの少なくとも１つを含む。
【０１８２】
理解されるべきことに、送信機器９００は、ここで、機能ユニットの形式で反映される。用語「ユニット」は、ここで、特定用途向け集積回路（application  specific  integrated  circuit,  ASIC）、電子回路、１つ以上のソフトウェア若しくはファームウェアプログラムを実行するよう構成されたプロセッサ（例えば、共有プロセッサ、専用プロセッサ、又はグループプロセッサ）、メモリ、融合論理回路、及び／又は専用機能をサポートする他の適切なコンポーネントを表してよい。任意的な例では、当業者は、送信機器９００が、具体的に、前述の送信方法３００及び送信方法８００の実施形態におけるネットワーク装置であってよく、送信機器９００が、前述の方法３００及び方法８００の実施形態におけるネットワーク装置に対応する手順及び／又はステップを実行するよう構成されてよいことを理解し得る。繰り返しを回避するために、詳細はここに再び記載されない。
【０１８３】
図１０は、本願の一実施形態による参照信号送信機器１０００を示す。送信機器１０００は、位相追跡参照信号PTRSの送信パラメータを取得するよう構成される取得ユニット１０１０であって、送信パラメータは、送信機器の参照情報に基づき決定され、送信パラメータは、PTRSのシーケンス及びPTRSの周波数ドメイン位置のうちの少なくとも１つを含み、参照情報は、送信機器の識別子及び送信機器のスケジューリング情報のうちの少なくとも１つを含む、取得ユニット１０１０と、取得ユニット１０１０により取得された送信パラメータに基づき、ネットワーク装置と共にPTRSを送信するよう構成される通信機ユニット１０２０と、を含む。
【０１８４】
任意で、取得ユニットは、具体的に、参照情報に基づき送信パラメータを決定するよう構成される。
【０１８５】
任意で、送信パラメータがPTRSのシーケンスを含むとき、処理ユニットは、具体的に、参照情報に基づき、PTRSのシーケンスのスクランブリング値を決定し、スクランブリング値に基づき、PTRSのシーケンスを決定する、よう構成される。
【０１８６】
任意で、送信パラメータがPTRSの周波数ドメイン位置を含むとき、処理ユニットは、具体的に、参照情報に基づき、PTRSの周波数ドメイン位置のオフセットを決定し、オフセットに基づき、PTRSの周波数ドメイン位置を決定する、よう構成される。
【０１８７】
任意で、処理ユニットは、具体的に、参照情報及び第１マッピング関係に基づき、送信パラメータを決定するよう構成され、第１マッピング関係は、参照情報と送信パラメータとの間の対応を含む。
【０１８８】
任意で、通信機ユニットは、送信パラメータが参照情報及び第１マッピング関係に基づき決定される前に、ネットワーク装置により送信された第１マッピング関係を受信するよう更に構成される。
【０１８９】
任意で、取得ユニットは、ネットワーク装置により送信された送信パラメータを受信するよう更に構成される。
【０１９０】
任意で、送信パラメータがPTRSの周波数ドメイン位置を含むとき、PTRSの周波数ドメイン位置のオフセットは、PTRSの周波数ドメイン間隔より小さい。
【０１９１】
任意で、送信機器のスケジューリング情報は、以下の情報：復調参照信号DMRSのスケジューリング情報、PTRSのスケジューリング情報、サウンディング参照信号SRSのスケジューリング情報、及びコードワードのスケジューリング情報、のうちの少なくとも１つを含む。
【０１９２】
理解されるべきことに、送信機器１０００は、ここで、機能ユニットの形式で反映される。用語「ユニット」は、ここで、特定用途向け集積回路（application  specific  integrated  circuit,  ASIC）、電子回路、１つ以上のソフトウェア若しくはファームウェアプログラムを実行するよう構成されたプロセッサ（例えば、共有プロセッサ、専用プロセッサ、又はグループプロセッサ）、メモリ、融合論理回路、及び／又は専用機能をサポートする他の適切なコンポーネントを表してよい。任意的な例では、当業者は、送信機器１０００が、具体的に、前述の送信方法３００及び送信方法８００の実施形態における端末装置であってよく、送信機器１０００が、前述の送信方法３００及び送信方法８００の実施形態における端末装置に対応する手順及び／又はステップを実行するよう構成されてよいことを理解し得る。繰り返しを回避するために、詳細はここに再び記載されない。
【０１９３】
図１１は、本願の一実施形態による参照信号送信機器１１００を示す。送信機器１１００は、図１に示す通信システムにおけるネットワーク装置であってよく、ネットワーク装置は図１１に示すハードウェアアーキテクチャを使用してよい。ネットワーク装置は、プロセッサ１１１０、通信機１１２０、及びメモリ１１３０を含んでよい。プロセッサ１１１０、通信機１１２０、及びメモリ１１３０は、互いに内部接続パスを用いて通信する。図９の処理ユニット９１０により実装される関連機能は、プロセッサ１１１０により実装されてよく、通信機ユニット９２０により実装される関連機能は、通信機１１２０により実装されてよい。
【０１９４】
プロセッサ１１１０は、１つ以上のプロセッサ、例えば１つ以上の中央処理ユニット（central  processing  unit,  CPU）を含んでよい。プロセッサが１つのCPUであるとき、CPUは単一コアCPU又はマルチコアCPUであってよい。
【０１９５】
通信機１１２０は、データ及び／又は信号を送信し、データ及び／又は信号を受信するよう構成される。通信機は、送信機及び受信機を含んでよい。送信機はデータ及び／又は信号を送信するよう構成され、受信機はデータ及び／又は信号を受信するよう構成される。
【０１９６】
メモリ１１３０は、限定ではないが、ランダムアクセスメモリ（random  access  memory,  RAM）、読み出し専用メモリ（read−only  memory,  ROM）、消去可能プログラマブル読み出し専用メモリ（erasable  programmable  read  only  memory,  EPROM）、又はコンパクトディスク読み出し専用メモリ（compact  disc  read−only  memory,  CD−ROM）を含むが、これらに限定されない。メモリ１１３０は、関連命令及びデータを格納するよう構成される。
【０１９７】
メモリ１１３０は、ネットワーク装置のプログラムコード及びデータを格納するよう構成され、別個の装置であり又はプロセッサ１１１０に統合されてよい。
【０１９８】
具体的に、プロセッサ１１１０は、端末装置と共に参照信号を送信するよう、例えばＳ３３０を実行するよう、通信機を制御するよう構成される。詳細については、方法の実施形態における記載を参照し、詳細はここで再び記載されない。
【０１９９】
図１１は単にネットワーク装置の簡略な設計を示すことが理解され得る。実際の適用では、ネットワーク装置は、限定ではないが、任意の数の通信機、プロセッサ、制御部、メモリ、等を含む他の必要なコンポーネントを更に別個に含んでよく、本願を実施可能な全てのネットワーク装置は本願の保護範囲に含まれる。
【０２００】
可能な設計では、送信機器１１００は、チップであってよく、例えば、ネットワーク装置内で使用可能な通信チップであってよく、ネットワーク装置内のプロセッサ１１１０の関連機能を実装するよう構成される。チップは、関連機能を実装するフィールドプログラマブルゲートアレイ、専用集積チップ、システムチップ、中央処理ユニット、ネットワークプロセッサ、デジタル信号処理回路、マイクロコントローラ、及びプログラマブルコントローラ又は別の集積チップであってよい。任意で、チップは、プログラムコードを格納するよう構成される１つ以上のメモリを含んでよく、コードが実行されると、プロセッサは対応する機能を実施する。
【０２０１】
図１２は、本願の一実施形態による参照信号送信機器１２００を示す。送信機器１２００は、図１に示す通信システムにおける端末装置であってよく、端末装置は図１２に示すハードウェアアーキテクチャを使用してよい。端末装置は、プロセッサ１２１０、通信機１２２０、及びメモリ１２３０を含んでよい。プロセッサ１２１０、通信機１２２０、及びメモリ１２３０は、互いに内部接続パスを用いて通信する。図１０の処理ユニット１０１０により実装される関連機能は、プロセッサ１２１０により実装されてよく、通信機ユニット１０２０により実装される関連機能は、通信機１２２０により実装されてよい。
【０２０２】
プロセッサ１２１０は、１つ以上のプロセッサ、例えば１つ以上の中央処理ユニットCPUを含んでよい。プロセッサが１つのCPUであるとき、CPUは単一コアCPU又はマルチコアCPUであってよい。
【０２０３】
通信機１２２０は、データ及び／又は信号を送信し、データ及び／又は信号を受信するよう構成される。通信機は、送信機及び受信機を含んでよい。送信機はデータ及び／又は信号を送信するよう構成され、受信機はデータ及び／又は信号を受信するよう構成される。
【０２０４】
メモリ１２３０は、限定ではないが、RAM、ROM、EPROM、又はCD−ROMを含む。メモリ１２３０は、関連命令及びデータを格納するよう構成される。
【０２０５】
メモリ１２３０は、端末装置のプログラムコード及びデータを格納するよう構成され、別個の装置であり又はプロセッサ１２１０に統合されてよい。
【０２０６】
具体的に、プロセッサ１２１０は、ネットワーク装置と共に参照信号を送信するよう、例えばＳ３３０を実行するよう、通信機を制御するよう構成される。詳細については、方法の実施形態における記載を参照し、詳細はここで再び記載されない。
【０２０７】
図１２は単に端末装置の簡略な設計を示すことが理解され得る。実際の適用では、端末装置は、限定ではないが、任意の数の通信機、プロセッサ、制御部、メモリ、等を含む他の必要なコンポーネントを更に別個に含んでよく、本願を実施可能な全ての端末装置は本願の保護範囲に含まれる。
【０２０８】
可能な設計では、送信機器１２００は、チップであってよく、例えば、端末装置のために使用可能な通信チップであってよく、端末装置内のプロセッサ１１１０の関連機能を実装するよう構成される。チップは、関連機能を実装するフィールドプログラマブルゲートアレイ、専用集積チップ、システムチップ、中央処理ユニット、ネットワークプロセッサ、デジタル信号処理回路、マイクロコントローラ、及びプログラマブルコントローラ又は別の集積チップであってよい。任意で、チップは、プログラムコードを格納するよう構成される１つ以上のメモリを含んでよく、コードが実行されると、プロセッサは対応する機能を実施可能にされる。
【０２０９】
前述の実施形態の全部又は一部は、ソフトウェア、ハードウェア、ファームウェア又はそれらの任意の組み合わせを用いて実施されてよい。実施形態を実施するためにソフトウェアが使用されるとき、実施形態は、完全に又は部分的にコンピュータプログラムプロダクトの形式で実施されてよい。コンピュータプログラムプロダクトは、１つ以上のコンピュータ命令を含む。コンピュータプログラム命令はコンピュータ上にロードされ実行されると、本発明の実施形態による手順又は機能が全部又は部分的に生成される。コンピュータは、汎用コンピュータ、専用コンピュータ、コンピュータネットワーク、又は他のプログラマブル機器であってよい。コンピュータ命令は、コンピュータ可読記憶媒体に格納されてよく、又はコンピュータ可読記憶媒体を用いて送信されてよい。コンピュータ命令は、ウェブサイト、コンピュータ、サーバ、又はデータセンタから、別のウェブサイト、コンピュータ、サーバ、又はデータセンタへ、有線（例えば同軸ケーブル、光ファイバ、又はデジタル加入者線（digital  subscriber  line,  DSL））又は無線（例えば赤外線、無線、マイクロ波）方式で送信されてよい。コンピュータ可読記憶媒体は、コンピュータ、又は１つ以上の使用可能媒体を統合するサーバ若しくはデータセンタのようなデータ記憶装置によりアクセス可能な任意の使用可能媒体であってよい。使用可能媒体は、磁気媒体（例えば、フロッピーディスク、ハードディスク、又は磁気テープ）、光媒体（例えば、デジタルバーサタイルディスク（digital  versatile  disc,  DVD））、半導体媒体（例えば、固体ドライブ（solid  state  disk,  SSD））、等であってよい。
【０２１０】
当業者は、実施形態の中の方法の処理のうちの全部又は一部が関連するハードウェアに指示するコンピュータプログラムにより実施されてよいことを理解し得る。プログラムは、コンピュータ可読記憶媒体に格納されてよい。プログラムが実行されると、実施形態の方法の処理が実行されてよい。前述の記憶媒体は、ROM、RAM、磁気ディスク又は光ディスクのようなプログラムコードを格納可能な任意の媒体を含む。
【０２１１】
当業者は、本願明細書に開示の実施形態で記載された例と組み合わせて、ユニット及びアルゴリズムのステップが、電子ハードウェア又はコンピュータソフトウェア及び電子ハードウェアの組み合わせにより実施され得ることを認識できる。機能がハードウェア又はソフトウェアにより実行されるかは、技術的ソリューションの特定の適用及び設計制約条件に依存する。当業者は、各々の特定の適用について記載の機能を実施するために異なる方法を使用し得るが、実装が本願の範囲を超えると考えられるべきではない。
【０２１２】
便宜上及び簡潔な説明のために、前述のシステム、装置、及びユニットの詳細な動作処理については、前述の方法における対応する処理を参照し、詳細事項はここで再び記載されないことが、当業者により明らかに理解され得る。
【０２１３】
本願において提供される幾つかの実施形態では、開示のシステム、機器、及び方法は他の方法で実装されてよいことが理解されるべきである。例えば、記載した機器の実施形態は単なる一例である。例えば、ユニットの分割は、単なる論理的機能の分割であり、実際の実装では他の分割であってよい。例えば、複数のユニット又はコンポーネントは、別のシステムに結合又は統合されてよい。或いは、幾つかの機能は無視されるか又は実行されなくてよい。さらに、表示した又は議論した相互結合又は直接結合又は通信接続は、幾つかのインタフェースを使用することにより実装されてよい。機器又はユニット間の間接結合又は通信接続は、電気的、機械的又は他の形式で実装されてよい。
【０２１４】
別個の部分として記載されたユニットは、物理的に別個であってよく又はそうでなくてよい。並びに、ユニットとして表示された部分は、物理的なユニットであってよく又はそうでなくてよく、１カ所に置かれてよく又は複数のネットワークユニットに分散されてよい。一部又は全部のユニットは、実施形態のソリューションの目的を達成するために実際の要件に基づき選択されてよい。
【０２１５】
さらに、本願の実施形態における機能ユニットは、１つの処理ユニットに統合されてよく、或いは各ユニットが物理的に単独で存在してよく、或いは２以上のユニットが１つのユニットに統合されてよい。
【０２１６】
機能がソフトウェア機能ユニットの形式で実装され、独立した製品として販売され又は使用されるとき、機能は、コンピュータ可読記憶媒体に格納されてよい。このような理解に基づき、本願の基本的技術的ソリューション、又は従来技術に貢献する部分、又は一部の技術的ソリューションは、ソフトウェアプロダクトの形式で実施されてよい。コンピュータソフトウェアプロダクトは、記憶媒体に格納され、コンピュータ装置（パーソナルコンピュータ、サーバ、ネットワーク装置、等であってよい）に、本願の実施形態で記載された方法のステップの全部又は一部を実行するよう指示する複数の命令を含む。前述の記憶媒体は、USBフラッシュドライブ、取り外し可能ハードディスク、ROM、RAM、磁気ディスク又は光ディスクのようなプログラムコードを格納可能な任意の媒体を含む。
【０２１７】
上述の説明は、本願の単なる特定の実装であり、本願の保護範囲を制限することを意図しない。本願に開示された技術範囲内にある、当業者により直ちに考案される任意の変形又は置換は、本願の保護範囲に包含されるべきである。したがって、本願の保護範囲は、請求項の保護範囲に従うべきである。
【図１】
2020523892.tif 000003
【図２】
2020523892.tif 000004
【図３】
2020523892.tif 000005
【図４】
2020523892.tif 000006
【図５】
2020523892.tif 000007
【図６】
2020523892.tif 000008
【図７】
2020523892.tif 000009
【図８】
2020523892.tif 000010
【図９】
2020523892.tif 000011
【図１０】
2020523892.tif 000012
【図１１】
2020523892.tif 000013
【図１２】
2020523892.tif 000014
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
参照信号送信方法であって、
ネットワーク装置により、端末装置の参照情報に基づき、前記端末装置の位相追跡参照信号（PTRS）の送信パラメータを決定するステップであって、前記参照情報は、前記端末装置の識別子又は前記端末装置のスケジューリング情報のうちの少なくとも１つを含み、前記送信パラメータは、前記PTRSのシーケンス及び前記PTRSの周波数ドメイン位置のうちの少なくとも１つを含む、ステップと、
前記ネットワーク装置により、前記送信パラメータに基づき、前記端末装置と共に前記PTRSを送信するステップと、
を含む送信方法。
【請求項２】
前記送信パラメータが前記PTRSの前記シーケンスを含むとき、ネットワーク装置により、端末装置の参照情報に基づき、前記端末装置の位相追跡参照信号（PTRS）の送信パラメータを決定する前記ステップは、
前記ネットワーク装置により、前記参照情報に基づき、前記PTRSの前記シーケンスのスクランブリング値を決定するステップと、
前記ネットワーク装置により、前記スクランブリング値に基づき、前記PTRSの前記シーケンスを決定するステップと、
を含む、請求項１に記載の送信方法。
【請求項３】
前記送信パラメータが前記PTRSの前記周波数ドメイン位置を含むとき、ネットワーク装置により、端末装置の参照情報に基づき、前記端末装置の位相追跡参照信号（PTRS）の送信パラメータを決定する前記ステップは、
前記ネットワーク装置により、前記参照情報に基づき、前記PTRSの前記周波数ドメイン位置のオフセットを決定するステップと、
前記ネットワーク装置により、前記オフセットに基づき、前記PTRSの前記周波数ドメイン位置を決定するステップと、
を含む、請求項１又は２に記載の送信方法。
【請求項４】
前記PTRSの前記周波数ドメイン位置の前記オフセットは、リソースエレメント（RE）のオフセット及び／又はリソースブロック（RB）のオフセットを含み、前記REの前記オフセットは復調参照信号（DMRS）ポート番号に関連し、前記RBの前記オフセットは前記端末装置の前記識別子に関連する、請求項３に記載の送信方法。
【請求項５】
前記ネットワーク装置により、前記端末装置の前記参照情報に基づき、前記PTRSの前記周波数ドメイン位置のオフセットを決定する前記ステップは、
前記ネットワーク装置により、前記参照情報及び第１マッピング関係に基づき、前記PTRSの前記周波数ドメイン位置の前記オフセットを決定するステップであって、前記第１マッピング関係は、前記参照情報と前記PTRSの前記周波数ドメイン位置の前記オフセットとの間の対応を含む、ステップを含む、請求項３又は４に記載の送信方法。
【請求項６】
前記ネットワーク装置により、前記送信パラメータに基づき、前記端末装置と共に前記PTRSを送信する前記ステップの前に、前記送信方法は、
前記ネットワーク装置により、前記端末装置へ前記第１マッピング関係を示すステップ、
を更に含む請求項５に記載の送信方法。
【請求項７】
前記ネットワーク装置により、前記送信パラメータに基づき、前記端末装置と共に前記PTRSを送信する前記ステップの前に、前記送信方法は、
前記ネットワーク装置により、前記端末装置へ前記送信パラメータを送信するステップ、
を更に含む請求項１乃至６のいずれか一項に記載の送信方法。
【請求項８】
前記端末装置の前記スケジューリング情報は、以下の情報：
DMRSのスケジューリング情報、前記PTRSのスケジューリング情報、サウンディング参照信号（SRS）のスケジューリング情報、及びコードワードのスケジューリング情報、のうちの１つ以上を含み、前記DMRSは前記PTRSに関連付けられたDMRSであり、前記DMRSの前記スケジューリング情報は、以下の情報：
DMRSポート番号、DMRSポート数、DMRSポートパターン、リソースエレメントマッピング、前記DMRSのマッピングされたサブキャリアインデックス、又は前記DMRSのマッピングされたリソースエレメント、のうちの１つ以上を含む、請求項１乃至７のいずれか一項に記載の送信方法。
【請求項９】
前記端末装置の前記PTRSの前記周波数ドメイン位置に対応するリソースブロック番号の範囲は、リソーススケジューリングのための物理リソースブロック番号が昇順にソートされた後に取得された０、１、．．．、及びN−１であり、Nは前記端末装置のために前記ネットワーク装置によりスケジューリングされたスケジューリング帯域幅に含まれるRBの数である、請求項１乃至８のいずれか一項に記載の送信方法。
【請求項１０】
参照信号送信方法であって、
端末装置により、位相追跡参照信号（PTRS）の送信パラメータを取得するステップであって、前記送信パラメータは、前記端末装置の参照情報に基づき決定され、前記送信パラメータは、前記PTRSのシーケンス及び前記PTRSの周波数ドメイン位置のうちの少なくとも１つを含み、前記参照情報は、前記端末装置の識別子及び前記端末装置のスケジューリング情報のうちの少なくとも１つを含む、ステップと、
前記端末装置により、前記送信パラメータに基づき、ネットワーク装置と共に前記PTRSを送信するステップと、
を含む送信方法。
【請求項１１】
端末装置により、位相追跡参照信号（PTRS）の送信パラメータを取得する前記ステップは、
前記端末装置により、前記参照情報に基づき、前記送信パラメータを決定するステップを含む、請求項１０に記載の送信方法。
【請求項１２】
前記送信パラメータが前記PTRSの前記シーケンスを含むとき、前記端末装置により、前記参照情報に基づき、前記送信パラメータを決定する前記ステップは、
前記端末装置により、前記参照情報に基づき、前記PTRSの前記シーケンスのスクランブリング値を決定するステップと、
前記端末装置により、前記スクランブリング値に基づき、前記PTRSの前記シーケンスを決定するステップと、
を含む、請求項１１に記載の送信方法。
【請求項１３】
前記送信パラメータが前記PTRSの前記周波数ドメイン位置を含むとき、前記端末装置により、前記参照情報に基づき、前記送信パラメータを決定する前記ステップは、
前記端末装置により、前記参照情報に基づき、前記PTRSの前記周波数ドメイン位置のオフセットを決定するステップと、
前記端末装置により、前記オフセットに基づき、前記PTRSの前記周波数ドメイン位置を決定するステップと、
を含む、請求項１１又は１２に記載の送信方法。
【請求項１４】
前記PTRSの前記周波数ドメイン位置の前記オフセットは、リソースエレメント（RE）のオフセット及び／又はリソースブロック（RB）のオフセットを含み、前記REの前記オフセットは復調参照信号（DMRS）ポート番号に関連し、前記RBの前記オフセットは前記端末装置の前記識別子に関連する、請求項１３に記載の送信方法。
【請求項１５】
前記端末装置により、前記参照情報に基づき、前記PTRSの前記周波数ドメイン位置のオフセットを決定する前記ステップは、
前記端末装置により、前記参照情報及び第１マッピング関係に基づき、前記PTRSの前記周波数ドメイン位置の前記オフセットを決定するステップであって、前記第１マッピング関係は、前記参照情報と前記PTRSの前記周波数ドメイン位置の前記オフセットとの間の対応を含む、ステップを含む、請求項１３又は１４に記載の送信方法。
【請求項１６】
前記端末装置により、前記参照情報及び第１マッピング関係に基づき、前記送信パラメータを決定する前記ステップの前に、前記送信方法は、
前記端末装置により、前記ネットワーク装置により示された前記第１マッピング関係を受信するステップ、
を更に含む請求項１５に記載の送信方法。
【請求項１７】
端末装置により、位相追跡参照信号（PTRS）の送信パラメータを取得する前記ステップは、
前記端末装置により、前記ネットワーク装置により送信された前記送信パラメータを受信するステップを含む、請求項１０乃至１６のいずれか一項に記載の送信方法。
【請求項１８】
前記端末装置の前記スケジューリング情報は、以下の情報：
DMRSのスケジューリング情報、前記PTRSのスケジューリング情報、サウンディング参照信号（SRS）のスケジューリング情報、及びコードワードのスケジューリング情報、のうちの１つ以上を含み、前記DMRSは前記PTRSに関連付けられたDMRSであり、前記DMRSの前記スケジューリング情報は、以下の情報：
DMRSポート番号、DMRSポート数、DMRSポートパターン、リソースエレメントマッピング、前記DMRSのマッピングされたサブキャリアインデックス、又は前記DMRSのマッピングされたリソースエレメント、のうちの１つ以上を含む、請求項１０乃至１７のいずれか一項に記載の送信方法。
【請求項１９】
前記端末装置の前記PTRSの前記周波数ドメイン位置に対応するリソースブロック番号の範囲は、リソーススケジューリングのための物理リソースブロック番号が昇順にソートされた後に取得された０、１、．．．、及びN−１であり、Nは前記端末装置のために前記ネットワーク装置によりスケジューリングされたスケジューリング帯域幅に含まれるRBの数である、請求項１０乃至１８のいずれか一項に記載の送信方法。
【請求項２０】
参照信号送信機器であって、
端末装置の参照情報に基づき、前記端末装置の位相追跡参照信号（PTRS）の送信パラメータを決定するよう構成される処理ユニットであって、前記参照情報は、前記端末装置の識別子及び前記端末装置のスケジューリング情報のうちの少なくとも１つを含み、前記送信パラメータは、前記PTRSのシーケンス及び前記PTRSの周波数ドメイン位置のうちの少なくとも１つを含む、処理ユニットと、
前記処理ユニットにより取得された前記送信パラメータに基づき、前記端末装置と共に前記PTRSを送信するよう構成される通信機ユニットと、
を含む送信機器。
【請求項２１】
前記送信パラメータが前記PTRSの前記シーケンスを含むとき、前記処理ユニットは、具体的に、
前記参照情報に基づき、前記PTRSの前記シーケンスのスクランブリング値を決定し、
前記スクランブリング値に基づき、前記PTRSの前記シーケンスを決定する、
よう構成される、請求項２０に記載の送信機器。
【請求項２２】
前記送信パラメータが前記PTRSの前記周波数ドメイン位置を含むとき、前記処理ユニットは、具体的に、
前記参照情報に基づき、前記PTRSの前記周波数ドメイン位置のオフセットを決定し、
前記オフセットに基づき、前記PTRSの前記周波数ドメイン位置を決定する、
よう構成される、請求項２０又は２１に記載の送信機器。
【請求項２３】
前記処理ユニットは、具体的に、
前記参照情報及び第１マッピング関係に基づき、前記PTRSの前記周波数ドメイン位置の前記オフセットを決定するよう構成され、前記第１マッピング関係は、前記参照情報と前記PTRSの前記周波数ドメイン位置の前記オフセットとの間の対応を含む、請求項２２に記載の送信機器。
【請求項２４】
前記通信機ユニットは、
前記送信パラメータに基づき、前記端末装置へ、前記PTRSを送信する前に、前記端末装置へ前記第１マッピング関係を示すよう更に構成される、請求項２３に記載の送信機器。
【請求項２５】
参照信号送信機器であって、
位相追跡参照信号（PTRS）の送信パラメータを取得するよう構成される取得ユニットであって、前記送信パラメータは、前記送信機器の参照情報に基づき決定され、前記送信パラメータは、前記PTRSのシーケンス及び前記PTRSの周波数ドメイン位置のうちの少なくとも１つを含み、前記参照情報は、前記送信機器の識別子及び前記送信機器のスケジューリング情報のうちの少なくとも１つを含む、取得ユニットと、
前記取得ユニットにより取得された前記送信パラメータに基づき、ネットワーク装置と共に前記PTRSを送信するよう構成される通信機ユニットと、
を含む送信機器。
【請求項２６】
前記取得ユニットは、具体的に、
前記参照情報に基づき、前記送信パラメータを決定するよう構成される、請求項２５に記載の送信機器。
【請求項２７】
前記送信パラメータが前記PTRSの前記シーケンスを含むとき、前記取得ユニットは、具体的に、
前記参照情報に基づき、前記PTRSの前記シーケンスのスクランブリング値を決定し、
前記スクランブリング値に基づき、前記PTRSの前記シーケンスを決定する、
よう構成される、請求項２６に記載の送信機器。
【請求項２８】
前記送信パラメータが前記PTRSの前記周波数ドメイン位置を含むとき、前記取得ユニットは、具体的に、
前記参照情報に基づき、前記PTRSの前記周波数ドメイン位置のオフセットを決定し、
前記オフセットに基づき、前記PTRSの前記周波数ドメイン位置を決定する、
よう構成される、請求項２６又は２７に記載の送信機器。
【請求項２９】
前記取得ユニットは、具体的に、
前記参照情報及び第１マッピング関係に基づき、前記PTRSの前記周波数ドメイン位置の前記オフセットを決定するよう構成され、前記第１マッピング関係は、前記参照情報と前記PTRSの前記周波数ドメイン位置の前記オフセットとの間の対応を含む、請求項２８に記載の送信機器。
【請求項３０】
前記通信機ユニットは、
前記送信パラメータが前記参照情報及び前記第１マッピング関係に基づき決定される前に、前記ネットワーク装置により示された前記第１マッピング関係を受信するよう更に構成される、請求項２９に記載の送信機器。
【請求項３１】
コンピュータ可読記憶媒体であって、前記コンピュータ可読記憶媒体はコンピュータプログラムを格納し、前記コンピュータプログラムがプロセッサ上で実行すると、前記プロセッサは、請求項１乃至９又は１０乃至１９のいずれか一項に記載の方法を実行可能にされる、コンピュータ可読記憶媒体。
【請求項３２】
通信機器であって、
メモリのコンピュータプログラムを実行して、請求項１乃至９又は１０乃至１９のいずれか一項に記載の方法が実施されるよう構成されるプロセッサを含む通信機器。
【請求項３３】
通信機器であって、
コンピュータプログラムを格納したメモリと、
前記コンピュータプログラムを実行して、前記通信機器に、請求項１乃至９又は１０乃至１９のいずれか一項に記載の方法を実施させるよう構成されるプロセッサと、
を含む通信機器。

【手続補正２】
【補正対象書類名】明細書
【補正対象項目名】全文
【補正方法】変更
【補正の内容】
【発明の詳細な説明】
【技術分野】
【０００１】
［関連出願］
本願は、中国特許出願番号２０１７１０４５８４９４．１号、２０１７年６月１６日に中国国家知識産権局に出願、名称「REFERENCE  SIGNAL  TRANSMISSION  METHOD  AND  TRANSMISSION  APPARATUS」の優先権を主張する。該出願は、参照によりその全体がここに組み込まれる。
【０００２】
［技術分野］
本願は、通信分野に関し、より具体的に、通信分野における参照信号送信方法及び送信機器に関する。
【背景技術】
【０００３】
ネットワークシステムの発展に伴い、通信レート及び容量に対する要求が増大しており、高周波数リソースに対する要求も増大している。しかしながら、周波数の増大につれて、周波数装置、つまりローカル発振器、のランダムジッタにより生成される位相ノイズも増大する。したがって、高周波数無線通信における位相ノイズの影響は無視できない。通常、送信端装置は、予め知られている位相追跡参照信号（phase  tracking  reference  signal,  PTRS）を追加してよく、受信端装置は、受信したPTRSに基づき位相ノイズを推定できる。
【０００４】
しかしながら、全ての受信端装置のPTRSのシーケンスは同じセル又はセクタ内で同じなので、同じリソースブロックにマッピングされる異なる端末装置のPTRSは、互いに干渉し、位相ノイズの推定に影響を与える。PTRSへの干渉をどのようにランダム化するかが、緊急に解決される必要のある問題になっている。
【発明の概要】
【０００５】
本願は、PTRSへの干渉をランダム化するのを助けるために、参照信号送信方法及び送信機器を提供する。
【０００６】
第１の態様によると、本願は参照信号送信方法を提供する。参照信号送信方法は、ネットワーク装置により、端末装置の参照情報に基づき、前記端末装置の位相追跡参照信号（PTRS）の送信パラメータを決定するステップであって、前記参照情報は、前記端末装置の識別子及び前記端末装置のスケジューリング情報のうちの少なくとも１つを含み、前記送信パラメータは、前記PTRSのシーケンス及び前記PTRSの周波数ドメイン位置のうちの少なくとも１つを含む、ステップと、前記ネットワーク装置により、前記送信パラメータに基づき、前記端末装置と共に前記PTRSを送信するステップと、を含む。
【０００７】
理解されるべきことに、送信方法は、参照信号のアップリンク送信シナリオに適用されてよく、又は参照信号のダウンリンク送信シナリオに適用されてよい。
【０００８】
ダウンリンク送信シナリオでは、ネットワーク装置により、送信パラメータに基づき端末装置と共にPTRSを送信するステップは、ネットワーク装置により、送信パラメータに基づき端末装置へPTRSを送信するステップとして理解されてよい。
【０００９】
任意的な実施形態では、ネットワーク装置は、PTRSの周波数ドメイン位置に対応するサブキャリア／リソースエレメント（resource  element,  RE）のインデックスに基づき、サブキャリア／REのインデックスに対応し且つサブキャリア／REの位置する物理リソースブロック（physical  resource  block,  PRB）のインデックスを決定してよい。ネットワーク装置は、PRBのインデックスに基づき、PTRSのシーケンスから、PRBのインデックスに対応するシンボルを選択し、該シンボルを、周波数ドメイン位置に対応するサブキャリア／REにマッピングする。
【００１０】
理解されるべきことに、ネットワーク装置がN個の仮想リソースブロック（virtual  resource  block,  VRB）を端末装置に割り当てるとき、N個のVRBのインデックスの昇順に、N個のVRBはN個の連続相対リソースブロック（resource  block,  RB）に順次対応し、N個の相対RBのインデックスは０、１、．．．、及びN−１であり、Nは０より大きい整数である。例えば、０、１、６、及び７のインデックスを有する４個のVRBが、ネットワーク装置により端末装置に割り当てられ、インデックスの昇順に、４個のVRBが０、１、２、及び３のインデックスを有する４個の関連RBに対応する。
【００１１】
更に理解されるべきことに、本願の本実施形態では、PTRSの周波数ドメイン位置は、N個の関連RBにおけるPTRSの周波数ドメイン位置として理解されてよい。
【００１２】
任意で、ネットワーク装置又は端末装置は、関連RBとVRBとの間の対応、及びVRBとPRBとの間の事前設定された対応に基づき、PTRSの周波数ドメイン位置に対応する物理サブキャリア／REのインデックス、及び、物理サブキャリア／REのインデックスに対応し且つ物理サブキャリア／REの位置するPRBのインデックスを決定できる。
【００１３】
アップリンク送信シナリオでは、ネットワーク装置により、送信パラメータに基づき端末装置と共にPTRSを送信するステップは、ネットワーク装置により、送信パラメータに基づき、端末装置により送信されたPTRSを受信するステップとして理解されてよい。任意で、ネットワーク装置が端末装置により送信されたPTRSを受信した後に、ネットワーク装置はPTRSに基づき位相ノイズを推定してよい。
【００１４】
任意的な実施形態では、ネットワーク装置は、PTRSの周波数ドメイン位置に対応するサブキャリア／REのインデックスに基づき、サブキャリア／REのインデックスに対応し且つサブキャリア／REの位置するPRBのインデックスを決定してよい。ネットワーク装置は、PRBの中のサブキャリア／REから、PRBのインデックスに対応するシンボルを取得し、取得したシンボル及びPTRSのシーケンスに基づき、位相ノイズを推定する。
【００１５】
本願の本実施形態で提供される参照信号送信方法によると、端末装置のPTRSのシーケンスは、端末装置の参照情報に基づき決定される。その結果、端末装置のPTRSのシーケンスは、別の端末装置のPTRSのシーケンスと異なり得、端末装置のPTRSへの干渉のランダム化が、別の端末装置のPTRSのランダム化を用いて向上されて、端末装置のPTRSへの干渉のランダム化を助ける。それにより、PTRSを用いてノイズ推定の性能を安定化することを助ける。
【００１６】
さらに、本願の本実施形態で提供される参照信号送信方法によると、複数ユーザ多入力多出力（multi−user  multiple−input  multiple−output,  MU−MIMO）技術は、PTRSポート間の、並びにPTRSポートとデータとの間の、非直交多重化をサポートし、端末装置のPTRSの周波数ドメイン位置は、端末装置の参照情報に基づき決定される。このように、対にされた端末装置のPTRSは、RBレベルの周波数ドメインオフセット又はリソースエレメント（resource  element,  RE）レベルの周波数ドメインオフセットを導入することにより、異なる周波数ドメイン位置にマッピングできる。つまり、端末装置のPTRSへの干渉は、別の端末装置のデータから生じ、端末装置のPTRSへの干渉のランダム化は、別の端末装置のデータのランダム化を用いて向上されて、端末装置のPTRSへの干渉のランダム化を助け、それにより、PTRSを用いるノイズ推定の性能を安定化させる。
【００１７】
理解されるべきことに、ネットワーク装置及び端末装置は、PTRSに基づき位相ノイズを推定してよく、又は位相補償参照信号（phase  compensation  reference  signal,  PCRS）に基づき位相ノイズを推定してよい。PTRS及びPCRSは、本願の本実施形態では集合的にPTRSと呼ばれ、これは本願の本実施形態において限定されない。
【００１８】
可能な実装では前記送信パラメータが前記PTRSの前記シーケンスを含むとき、ネットワーク装置により、端末装置の参照情報に基づき、前記端末装置の位相追跡参照信号PTRSの送信パラメータを決定する前記ステップは、前記ネットワーク装置により、前記参照情報に基づき、前記PTRSの前記シーケンスのスクランブリング値を決定するステップと、前記ネットワーク装置により、前記スクランブリング値に基づき、前記PTRSの前記シーケンスを決定するステップと、を含む。
【００１９】
別の可能な実装では、前記送信パラメータが前記PTRSの前記周波数ドメイン位置を含むとき、ネットワーク装置により、端末装置の参照情報に基づき、前記端末装置の位相追跡参照信号PTRSの送信パラメータを決定する前記ステップは、前記ネットワーク装置により、前記参照情報に基づき、前記PTRSの前記周波数ドメイン位置のオフセットを決定するステップと、前記ネットワーク装置により、前記オフセットに基づき、前記PTRSの前記周波数ドメイン位置を決定するステップと、を含む。
【００２０】
更に別の可能な実装では、前記送信パラメータがPTRSの周波数ドメイン位置を含むとき、前記送信パラメータにより示された関連RB内のマッピングされたM番目のPTRSの周波数ドメイン位置は、｛Δf+M*N｝であってよい。ここで、Δfは周波数ドメイン位置のオフセットを示し、Δfの値範囲は０、１、２、．．．、及びN−１であり、NはPTRSの周波数ドメイン間隔を示し、Mは０以上の整数である。
【００２１】
例えば、各RBがシーケンスの中の１個のシンボルに対応する場合、周波数ドメイン密度は４個のRB毎にマッピングされた１個のPTRSであると仮定すると、第１のマッピングされたPTRSは、シーケンスの中のシンボル０〜シンボル３のうちの１つに対応し、第２のマッピングされたPTRSは、シーケンスの中のシンボル４〜シンボル７のうちの１つに対応する。
【００２２】
更に別の可能な実装では、ネットワーク装置により、端末装置の参照情報に基づき、前記端末装置の位相追跡参照信号（PTRS）の送信パラメータを決定する前記ステップは、前記ネットワーク装置により、前記参照情報及び第１マッピング関係に基づき、前記送信パラメータを決定するステップであって、前記第１マッピング関係は、前記参照情報と前記送信パラメータとの間の対応を含む、ステップを含む。
【００２３】
任意で、前記ネットワーク装置及び前記端末装置は、前記第１マッピング関係について予め合意してよい。例えば、プロトコルの中で第１マッピング関係に合意してよく、又は前記ネットワーク装置が前記PTRSを前記端末装置へ送信する前に、前記ネットワーク装置が前記第１マッピング関係を前記端末装置に示す。これは、本願の本実施形態において限定されない。
【００２４】
更に別の可能な実装では、前記ネットワーク装置により、前記送信パラメータに基づき、前記端末装置と共に前記PTRSを送信する前記ステップの前に、前記送信方法は、前記ネットワーク装置により、前記端末装置へ前記第１マッピング関係を示すステップ、を更に含む。
【００２５】
任意で、前記ネットワーク装置は、第１シグナリングを用いて、前記第１マッピング関係を前記端末装置へ送信してよい。
【００２６】
任意で、第１シグナリングは、無線リソース制御（radio  resource  control,  RRC）シグナリング、媒体アクセス制御（media  access  control,  MAC）制御要素（control  element,  CE）シグナリング、又はダウンリンク制御情報（downlink  control  information,  DCI）シグナリングであってよい。これは、本願の本実施形態において限定されない。
【００２７】
本願の本実施形態で提供される参照情報送信方法によると、ネットワーク装置は、第１シグナリングを用いて第１マッピング関係を端末装置へ送信し、相応して、端末装置は、参照情報及び第１マッピング関係に基づき送信パラメータを決定できる。その結果、ネットワーク装置は、ネットワーク装置がPTRSを送信する度に送信パラメータを端末装置へ送信する必要がない。それにより、シグナリングオーバヘッドを削減する。
【００２８】
更に別の可能な実装では、前記ネットワーク装置により、前記送信パラメータに基づき、前記端末装置と共に前記PTRSを送信する前記ステップの前に、前記送信方法は、前記ネットワーク装置により、前記端末装置へ前記送信パラメータを送信するステップ、を更に含む。
【００２９】
任意で、前記ネットワーク装置は、第２シグナリングを用いて、前記送信パラメータを前記端末装置へ送信してよい。
【００３０】
任意で、第２シグナリングは、無線リソース制御（radio  resource  control,  RRC）シグナリング、媒体アクセス制御（media  access  control,  MAC）制御要素（control  element,  CE）シグナリング、又はダウンリンク制御情報（downlink  control  information,  DCI）シグナリングであってよい。これは、本願の本実施形態において限定されない。
【００３１】
本願の本実施形態で提供される参照情報送信方法によると、前記ネットワーク装置は、シグナリングを用いて、前記送信パラメータを前記端末装置へ直接送信する。ここで、該シグナリングは、簡易であり、低い複雑性を有する。
【００３２】
更に別の可能な実装では、前記端末装置の前記スケジューリング情報は、以下の情報：復調参照信号（DMRS）のスケジューリング情報、PTRSのスケジューリング情報、サウンディング参照信号（SRS）のスケジューリング情報、及びコードワードのスケジューリング情報、のうちの少なくとも１つを含む。
【００３３】
任意で、前記DMRSの前記スケジューリング情報は、DMRSポート番号、DMRSポート数、DMRSポートパターン、リソースエレメントマッピング、前記DMRSがマッピングされるサブキャリアインデックス、又は前記DMRSがマッピングされるリソースエレメント、であってよい。前記PTRSの前記スケジューリング情報は、PTRSポート番号、PTRSポート数、PTRSポート周波数ドメイン密度、又はリソースエレメントマッピングであってよい。前記SRSの前記スケジューリング情報は、SRSポート番号、SRSポート数、SRSポートパターン、リソースエレメントマッピング、前記SRSがマッピングされるサブキャリアインデックス、又は前記SRSがマッピングされるリソースエレメントであってよい。前記コードワードの前記スケジューリング情報は、前記コードワードのコードワード番号又はコードワード数であってよい。
【００３４】
第２の態様によると、本願は別の参照信号送信方法を提供する。前記送信方法は、端末装置により、位相追跡参照信号（PTRS）の送信パラメータを取得するステップであって、前記送信パラメータは、前記PTRSのシーケンス及び前記PTRSの周波数ドメイン位置のうちの少なくとも１つを含み、前記送信パラメータは、前記端末装置の参照情報に基づき決定され、前記参照情報は、前記端末装置の識別子及び前記端末装置のスケジューリング情報のうちの少なくとも１つを含む、ステップと、前記端末装置により、前記送信パラメータに基づき、前記ネットワーク装置と共に前記PTRSを送信するステップと、を含む。
【００３５】
理解されるべきことに、送信方法は、参照信号のアップリンク送信シナリオに適用されてよく、又は参照信号のダウンリンク送信シナリオに適用されてよい。
【００３６】
任意で、アップリンク送信シナリオでは、前記端末装置により、前記送信パラメータに基づきネットワーク装置と共に前記PTRSを送信する前記ステップは、前記端末装置により、前記送信パラメータに基づき前記端末装置へ前記PTRSを送信するステップとして理解されてよい。
【００３７】
任意的な実施形態では、前記端末装置は、前記PTRSの前記周波数ドメイン位置に対応するサブキャリア／REのインデックスに基づき、前記サブキャリア／REの前記インデックスに対応し且つ前記サブキャリア／REの位置するPRBのインデックスを決定してよい。前記端末装置は、前記PRBの前記インデックスに基づき、前記PTRSの前記シーケンスから、前記PRBの前記インデックスに対応するシンボルを選択し、該シンボルを、前記周波数ドメイン位置に対応する前記サブキャリア／REにマッピングする。
【００３８】
理解されるべきことに、ネットワーク装置がN個の仮想リソースブロック（virtual  resource  block,  VRB）を端末装置に割り当てるとき、N個のVRBのインデックスの昇順に、N個のVRBはN個の連続相対リソースブロック（resource  block,  RB）に順次対応し、N個の相対RBのインデックスは０、１、．．．、及びN−１であり、Nは０より大きい整数である。例えば、０、１、６、及び７のインデックスを有する４個のVRBが、ネットワーク装置により端末装置に割り当てられ、インデックスの昇順に、４個のVRBが０、１、２、及び３のインデックスを有する４個の関連RBに対応する。
【００３９】
更に理解されるべきことに、本願の本実施形態では、PTRSの周波数ドメイン位置は、N個の関連RBにおけるPTRSの周波数ドメイン位置として理解されてよい。
【００４０】
任意で、ネットワーク装置又は端末装置は、関連RBとVRBとの間の対応、及びVRBとPRBとの間の事前設定された対応に基づき、PTRSの周波数ドメイン位置に対応する物理サブキャリア／REのインデックス、及び、物理サブキャリア／REのインデックスに対応し且つ物理サブキャリア／REの位置するPRBのインデックスを決定できる。
【００４１】
任意で、ダウンリンク送信シナリオでは、前記端末装置により、前記送信パラメータに基づきネットワーク装置と共に前記PTRSを送信する前記ステップは、前記端末装置により、前記送信パラメータに基づき、前記ネットワーク装置により送信された前記PTRSを受信するステップとして理解されてよい。任意で、前記端末装置が前記ネットワーク装置により送信された前記PTRSを受信した後に、前記端末装置は前記PTRSに基づき位相ノイズを推定してよい。
【００４２】
任意的な実施形態では、前記端末装置は、前記PTRSの前記周波数ドメイン位置に対応するサブキャリア／REのインデックスに基づき、前記サブキャリア／REの前記インデックスに対応し且つ前記サブキャリア／REの位置するPRBのインデックスを決定してよい。前記端末装置は、前記PRBの中の前記サブキャリア／REから、前記PRBの前記インデックスに対応するシンボルを取得し、前記取得したシンボル及び前記PTRSの前記シーケンスに基づき、位相ノイズを推定する。
【００４３】
本願の本実施形態で提供される参照信号送信方法によると、端末装置のPTRSのシーケンスは、端末装置の参照情報に基づき決定される。その結果、端末装置のPTRSのシーケンスは、別の端末装置のPTRSのシーケンスと異なり得、端末装置のPTRSへの干渉のランダム化が、別の端末装置のPTRSのランダム化を用いて向上されて、端末装置のPTRSへの干渉のランダム化を助ける。それにより、PTRSを用いてノイズ推定の性能を安定化することを助ける。
【００４４】
さらに、本願の本実施形態で提供される参照信号送信方法によると、複数ユーザ多入力多出力（multi−user  multiple−input  multiple−output,  MU−MIMO）技術は、PTRSポート間の、並びにPTRSポートとデータとの間の、非直交多重化をサポートし、端末装置のPTRSの周波数ドメイン位置は、端末装置の参照情報に基づき決定される。このように、対にされた端末装置のPTRSは、RBレベルの周波数ドメインオフセット又はリソースエレメント（resource  element,  RE）レベルの周波数ドメインオフセットを導入することにより、異なる周波数ドメイン位置にマッピングできる。つまり、端末装置のPTRSへの干渉は、別の端末装置のデータから生じ、端末装置のPTRSへの干渉のランダム化は、別の端末装置のデータのランダム化を用いて向上されて、端末装置のPTRSへの干渉のランダム化を助け、それにより、PTRSを用いるノイズ推定の性能を安定化させる。
【００４５】
可能な実装では、端末装置により、位相追跡参照信号（PTRS）の送信パラメータを取得する前記ステップは、前記端末装置により、前記参照情報に基づき、前記送信パラメータを決定するステップを含む。
【００４６】
別の可能な実装では、前記送信パラメータが前記PTRSの前記シーケンスを含むとき、前記端末装置により、前記参照情報に基づき、前記送信パラメータを決定する前記ステップは、前記端末装置により、前記参照情報に基づき、前記PTRSの前記シーケンスのスクランブリング値を決定するステップと、前記端末装置により、前記スクランブリング値に基づき、前記PTRSの前記シーケンスを決定するステップと、を含む。
【００４７】
更に別の可能な実装では、前記送信パラメータが前記PTRSの前記周波数ドメイン位置を含むとき、前記端末装置により、前記参照情報に基づき、前記送信パラメータを決定する前記ステップは、前記端末装置により、前記参照情報に基づき、前記PTRSの前記周波数ドメイン位置のオフセットを決定するステップと、前記端末装置により、前記オフセットに基づき、前記PTRSの前記周波数ドメイン位置を決定するステップと、を含む。
【００４８】
更に別の可能な実装では、前記送信パラメータが前記PTRSの前記周波数ドメイン位置を含むとき、前記送信パラメータにより示されたマッピングされたM番目のPTRSの周波数ドメイン位置は、｛Δf+M*N｝であってよい。ここで、Δfは周波数ドメイン位置のオフセットを示し、Δfの値範囲は０、１、２、．．．、及びN−１であり、NはPTRSの周波数ドメイン間隔を示し、Mは０以上の整数である。
【００４９】
例えば、各RBがシーケンスの中の１個のシンボルに対応する場合、周波数ドメイン密度は４個のRB毎にマッピングされた１個のPTRSであると仮定すると、第１のマッピングされたPTRSは、シーケンスの中のシンボル０〜シンボル３のうちの１つに対応し、第２のマッピングされたPTRSは、シーケンスの中のシンボル４〜シンボル７のうちの１つに対応する。
【００５０】
更に別の可能な実装では、前記端末装置により、前記参照情報に基づき、前記送信パラメータを決定する前記ステップは、前記端末装置により、前記参照情報及び第１マッピング関係に基づき、前記送信パラメータを決定するステップであって、前記第１マッピング関係は、前記参照情報と前記送信パラメータとの間の対応を含む、ステップを含む。
【００５１】
任意で、前記ネットワーク装置及び前記端末装置は、前記第１マッピング関係について予め合意してよい。例えば、プロトコルの中で第１マッピング関係に合意してよく、又は前記ネットワーク装置が前記PTRSを前記端末装置へ送信する前に、前記ネットワーク装置が前記第１マッピング関係を前記端末装置に示す。これは、本願の本実施形態において限定されない。
【００５２】
更に別の可能な実装では、前記端末装置により、前記参照情報及び第１マッピング関係に基づき、前記送信パラメータを決定する前記ステップの前に、前記送信方法は、前記端末装置により、前記ネットワーク装置により示された前記第１マッピング関係を受信するステップ、を更に含む。
【００５３】
任意で、前記端末装置は、第１シグナリングを用いて、前記ネットワーク装置により送信された前記第１マッピング関係を受信してよい。
【００５４】
任意で、第１シグナリングは、無線リソース制御（radio  resource  control,  RRC）シグナリング、媒体アクセス制御（media  access  control,  MAC）制御要素（control  element,  CE）シグナリング、又はダウンリンク制御情報（downlink  control  information,  DCI）シグナリングであってよい。これは、本願の本実施形態において限定されない。
【００５５】
本願の本実施形態で提供される参照情報送信方法によると、端末装置は、第１シグナリングを用いて、ネットワーク装置により送信された第１マッピング関係を受信する。その結果、端末装置は、参照情報及び第１マッピング関係に基づき送信パラメータを決定でき、端末装置がPTRSを送信する度に、ネットワーク装置により送信される送信パラメータを受信する必要がない。それにより、シグナリングオーバヘッドを削減する。
【００５６】
更に別の可能な実装では、端末装置により、位相追跡参照信号（PTRS）の送信パラメータを取得する前記ステップは、前記端末装置により、前記ネットワーク装置により送信された前記送信パラメータを受信するステップを含む。
【００５７】
任意で、前記端末装置は、第２シグナリングを用いて、前記ネットワーク装置により送信された前記送信パラメータを受信してよい。
【００５８】
任意で、前記第２シグナリングは、無線リソース制御（radio  resource  control,  RRC）シグナリング、媒体アクセス制御（media  access  control,  MAC）制御要素（control  element,  CE）シグナリング、又はダウンリンク制御情報（downlink  control  information,  DCI）シグナリングであってよい。これは、本願の本実施形態において限定されない。
【００５９】
本願の本実施形態で提供される参照情報送信方法によると、前記端末装置は、シグナリングを用いて、前記ネットワーク装置により送信された前記送信パラメータを直接受信する。ここで、該シグナリングは、簡易であり、低い複雑性を有する。
【００６０】
更に別の可能な実装では、前記端末装置の前記スケジューリング情報は、以下の情報：復調参照信号（DMRS）のスケジューリング情報、PTRSのスケジューリング情報、サウンディング参照信号（SRS）のスケジューリング情報、及びコードワードのスケジューリング情報、のうちの少なくとも１つを含む。
【００６１】
任意で、前記DMRSの前記スケジューリング情報は、DMRSポート番号、DMRSポート数、DMRSポートパターン、リソースエレメントマッピング、前記DMRSがマッピングされるサブキャリアインデックス、又は前記DMRSがマッピングされるリソースエレメント、であってよい。前記PTRSの前記スケジューリング情報は、PTRSポート番号、PTRSポート数、PTRSポート周波数ドメイン密度、又はリソースエレメントマッピングであってよい。前記SRSの前記スケジューリング情報は、SRSポート番号、SRSポート数、SRSポートパターン、リソースエレメントマッピング、前記SRSがマッピングされるサブキャリアインデックス、又は前記SRSがマッピングされるリソースエレメントであってよい。前記コードワードの前記スケジューリング情報は、前記コードワードのコードワード番号又はコードワード数であってよい。
【００６２】
第３の態様によると、本願は、第１の態様又は第１の態様の可能な実装のうちのいずれか１つによる送信方法を実行するよう構成される参照信号送信機器を提供する。
【００６３】
第４の態様によると、本願は、第２の態様又は第２の態様の可能な実装のうちのいずれか１つによる送信方法を実行するよう構成される参照信号送信機器を提供する。
【００６４】
第５の態様によると、本願は参照信号送信機器を提供する。当該送信機器は、メモリと、プロセッサと、通信機と、前記メモリに格納され前記プロセッサ上で実行可能なコンピュータプログラムとを含み、前記コンピュータプログラムを実行すると、前記プロセッサは第１の態様又は第１の態様の可能な実装のいずれか１つによる送信方法を実行する。
【００６５】
第６の態様によると、本願は参照信号送信機器を提供する。当該送信機器は、メモリと、プロセッサと、通信機と、前記メモリに格納され前記プロセッサ上で実行可能なコンピュータプログラムとを含み、前記コンピュータプログラムを実行すると、前記プロセッサは第２の態様又は第２の態様の可能な実装のいずれか１つによる送信方法を実行する。
【００６６】
第１７の態様によると、本願は、コンピュータ可読媒体であって、コンピュータプログラムを格納するよう構成され、コンピュータプログラムは第１の態様又は第１の態様の可能な実装のうちのいずれか１つによる送信方法を実行するために使用される命令を含む、コンピュータ可読媒体を提供する。
【００６７】
第８の態様によると、本願は、コンピュータ可読媒体であって、コンピュータプログラムを格納するよう構成され、コンピュータプログラムは第２の態様又は第２の態様の可能な実装のうちのいずれか１つによる送信方法を実行するために使用される命令を含む、コンピュータ可読媒体を提供する。
【００６８】
第９の態様によると、本願は、命令を含むコンピュータプログラムプロダクトを提供する。命令がコンピュータ上で実行されると、該コンピュータは、第１の態様又は第１の態様の可能な実装のうちのいずれか１つによる送信方法を実行可能にされる。
【００６９】
第１０の態様によると、本願は、命令を含むコンピュータプログラムプロダクトを提供する。命令がコンピュータ上で実行されると、該コンピュータは、第２の態様又は第２の態様の可能な実装のうちのいずれか１つによる送信方法を実行可能にされる。
【００７０】
第１１の態様によると、本願は、命令を格納する通信チップを提供する。命令がネットワーク装置又は端末装置上で実行されると、ネットワーク装置又は端末装置は、前述の態様の各々による方法を実行可能にされる。
【図面の簡単な説明】
【００７１】
【図１】本願の一実施形態による通信システムの概略アーキテクチャ図である。
【００７２】
【図２】本願の一実施形態による参照信号のPTRS周波数ドメイン密度の概略図である。
【００７３】
【図３】本願の一実施形態による参照信号送信方法の概略フローチャートである。
【００７４】
【図４】本願の一実施形態による、DMRSポート及びPTRSポートのマッピングされる周波数ドメイン位置の概略図である。
【００７５】
【図５】本願の一実施形態による、DMRSポート及びPTRSポートのマッピングされる周波数ドメイン位置の別の概略図である。
【００７６】
【図６】本願の一実施形態によるPTRSの周波数ドメイン位置の概略図である。
【００７７】
【図７】本願の一実施形態によるPTRSの周波数ドメイン位置の別の概略図である。
【００７８】
【図８】本願の一実施形態による別の参照信号送信方法の概略フローチャートである。
【００７９】
【図９】本願の一実施形態による参照信号送信機器の概略ブロック図である。
【００８０】
【図１０】本願の一実施形態による別の参照信号送信機器の概略ブロック図である。
【００８１】
【図１１】本願の一実施形態による更に別の参照信号送信機器の概略ブロック図である。
【００８２】
【図１２】本願の一実施形態による更に別の参照信号送信機器の概略ブロック図である。
【発明を実施するための形態】
【００８３】
以下は、添付の図面を参照して本願の技術的ソリューションを記載する。
【００８４】
理解されるべきことに、本願の実施形態の技術的ソリューションは、グローバル・システム・フォー・モバイル・コミュニケーションズ(global  system  for  mobile  communications,  GSM)、符号分割多元接続(code  division  multiple  access,  CDMA)システム、広帯域符号分割多元接続(wideband  code  division  multiple  access,  WCDMA)システム、汎用パケット無線サービス(general  packet  radio  service,  GPRS)システム、ロングタームエボリューション(long  term  evolution,  LTE)システム、LTE周波数分割複信(frequency  division  duplex,  FDD)システム、LTE時分割複信(time  division  duplex,  TDD)システム、ユニバーサル・モバイル・テレコミュニケーションズ・システム(universal  mobile  telecommunications  system,  UMTS)、ワールドワイド・インターオペラビリティ・フォー・マイクロウェーブ・アクセス(worldwide  interoperability  for  microwave  access,  WiMAX)通信システム、無線ローカルエリアネットワーク(wireless  local  area  network,  WLAN)、又は将来の第５世代(the  fifth  Generation、５G)無線通信システム、のような種々の通信システムに適用されてよい。
【００８５】
図１は、本願の一実施形態による通信システム１００の概略アーキテクチャ図である。図１に示されるように、通信システム１００は、少なくとも１つのネットワーク装置（ネットワーク装置１１０が図１に示される）及び複数の端末装置（端末装置１２０及び端末装置１３０が図１に示される）を含んでよい。少なくとも１つのネットワーク装置は、複数の端末装置との無線通信を実行できる。
【００８６】
任意で、ネットワーク装置は、特定地理領域に通信カバレッジを提供でき、カバレッジ内のUEと通信できる。ネットワーク装置は、GSMシステム又はCDMAシステムにおける基地通信機局（base  transceiver  station,  BTS）であってよく、又はWCDMAシステムにおけるNodeB（nodeB,  NB）であってよく、又はLTEシステムにおける進化型NodeB（evolved  NodeB、eNB又はeNodeB）、又はクラウド無線アクセスネットワーク（cloud  radio  access  network,  CRAN）における無線コントローラであってよい。ネットワーク装置は、代替として、コアネットワーク、中継局、アクセスポイント、車載装置、ウェアラブル装置、将来の５Gネットワーク側装置、将来の進化型地上波公共移動体ネットワーク（public  land  mobile  network,  PLMN）におけるネットワーク装置、等であってよい。
【００８７】
任意で、端末装置はモバイル又は固定であってよい。端末装置は、アクセス端末、ユーザ機器（User  Equipment,  UE）、加入者ユニット、加入者局、移動局、移動体コンソール、リモート局、リモート端末、モバイル装置、ユーザ端末、端末、無線通信装置、ユーザエージェント、ユーザ機器、等を表してもよい。アクセス端末は、セルラ電話機、コードレス電話機、セッション開始プロトコル（Session  Initiation  Protocol,  SIP）電話機、無線ローカルループ（Wireless  Local  Loop,  WLL）局、パーソナルデジタルアシスタント（Personal  Digital  Assistant,  PDA）、無線通信機能を備えるハンドヘルド装置、コンピューティング装置、無線モデムに接続される別の処理装置、車載装置、ウェアラブル装置、将来の５Gネットワーク、将来の進化型PLMNにおける端末装置、等であってよい。
【００８８】
図１は、１つのネットワーク装置及び２つの端末装置を一例として示す。任意で、通信システム１００は、代替として複数のネットワーク装置を含んでよく、他の数の端末装置が各ネットワーク装置のカバレッジに含まれてよい。これは、本願の本実施形態において限定されない。任意で、通信システム１００は、ネットワーク制御部又は移動性管理エンティティのような別のネットワークエンティティを更に含んでよい。本願の本実施形態はこれに限定されない。
【００８９】
理解されるべきことに、ネットワーク装置及び端末装置は、PTRSに基づき位相ノイズを推定してよく、又は位相補償参照信号（phase  compensation  reference  signal,  PCRS）に基づき位相ノイズを推定してよい。PTRS及びPCRSは、本願の本実施形態では集合的にPTRSと呼ばれ、これは本願の本実施形態において限定されない。
【００９０】
理解されるべきことに、PTRS周波数ドメイン密度が１/nであることは、PTRSがn個のリソースブロック（resource  block,  RB）毎に１個のサブキャリアにマッピングされること、つまり、各RBが１２個のサブキャリアを含むとき、PTRSの周波数ドメイン間隔は１２＊n個のサブキャリアである、として理解されてよい。nの値は、例えば、１、２、４、８、又は１６であってよい。これは、本願の本実施形態において限定されない。
【００９１】
従来、ネットワーク装置及び端末装置は、ポート（port）６０及び／又はポート６１を用いてPTRSを送信してよい。PTRSの周波数ドメイン位置の、ポート６０に対応するオフセットは２３サブキャリアであり、PTRSの周波数ドメイン位置の、ポート６１に対応するオフセットは２４サブキャリアである。
【００９２】
例えば、図２に示されるように、PTRSの周波数ドメイン密度が１／４であり且つ各RBが１２個のサブキャリアを含むとき、PTRSの周波数ドメイン間隔は４８サブキャリアであると仮定する。ネットワーク装置及び端末装置がポート６０を用いてPTRSを送信するとき、PTRSは、２３、２３＋１＊４８、２３＋２＊４８、．．．、及び２３＋m＊４８のインデックスを有するサブキャリアに連続的にマッピングされ、ネットワーク装置及び端末装置がポート６１を用いてPTRSを送信するとき、PTRSは、２４、２４＋１＊４８、２４＋２＊４８、．．．、及び２４＋m＊４８のインデックスを有するサブキャリアに連続的にマッピングされ、ここでmは０以上の整数である。
【００９３】
従来、同じセル／セクタ内の端末装置は、それぞれ、ネットワーク装置により構成されたPTRSのシーケンスのスクランブリング値に基づき、又はセル／セクタの識別子をPTRSのシーケンスのスクランブリング値として用いて、該端末装置のPTRSのシーケンスを生成する。つまり、セル／セクタ内の全ての端末装置は、PTRSの同じシーケンスを有する。セル／セクタ内にいる、同じリソースがスケジューリングされた又は重なり合うスケジューリングされたリソースを有する第１端末装置及び第２端末装置が、両方とも、同じポートを通じてPTRSを送信するとき、第１端末装置のPTRSがマッピングされる周波数ドメイン位置は、第２端末装置のPTRSがマッピングされる周波数ドメイン位置と重なり合う。この場合、第１端末装置及び第２端末装置の同じサブキャリア上で受信されるPTRS信号は、互いに干渉する。結果として、PTRSを用いる位相ノイズの推定の性能が不安定になる。各端末装置のPTRSを用いる位相ノイズ推定の性能を安定化させるために、PTRSへの干渉がランダム化される必要がある。
【００９４】
本願の本実施形態で提供される参照信号送信方法によると、ネットワーク装置及び端末装置は、端末装置のPTRSの送信パラメータに基づき、端末装置のPTRSを送信してよく、ここで、送信パラメータは、PTRSのシーケンス及び／又は周波数ドメイン位置を含み、送信パラメータは、端末装置の参照情報に基づき決定され、参照情報は、端末装置の識別子及び／又は端末装置のスケジューリング情報を含み、PTRSへの干渉をランダム化することを助け、それによりPTRSを用いる位相ノイズ推定の性能を安定化させる。
【００９５】
図３は、本願の一実施形態による参照信号送信方法３００の概略フローチャートである。送信方法３００は、図１に示す通信システム１００に適用されてよく、例えば、参照信号のダウンリンク送信シナリオに適用されてよい。
【００９６】
Ｓ３１０。ネットワーク装置は、端末装置の参照情報に基づき、端末装置のPTRSの送信パラメータを決定する。ここで、参照情報は、端末装置の識別子及び端末装置のスケジューリング情報のうちの少なくとも１つを含み、送信パラメータは、PTRSのシーケンス及びPTRSの周波数ドメイン位置のうちの少なくとも１つを含む。
【００９７】
任意で、参照情報は、端末装置の識別子及び端末装置のスケジューリング情報のうちの少なくとも１つを含んでよい。端末装置の識別子は、端末装置がネットワーク装置のネットワークにアクセスするとき、ネットワーク装置により端末装置に割り当てられてよい。端末装置のスケジューリング情報は、ネットワーク装置により端末装置のためにスケジューリングされたアップリンク／ダウンリンクリソースであってよい。これは、本願の本実施形態において限定されない。
【００９８】
任意で、Ｓ３１０の前に、ネットワーク装置は、端末装置がネットワークにアクセスするとき、端末装置の識別子を取得してよい。Ｓ３１０の前に、ネットワーク装置は、端末装置にスケジューリング情報を割り当て、該スケジューリング情報を端末装置へ送信してよい。相応して、端末装置は、ネットワーク装置により送信されたスケジューリング情報を受信してよい。
【００９９】
例えば、端末装置の識別子は、以下の識別子：セル無線ネットワーク一時識別子（cell  radio  network  temporary  identifier,  C−RNTI）、ランダムアクセス応答一時識別子（random  access  response  temporary  identifier,  RA−RNTI）、一時C−RNTI、及び送信電力制御一時識別子（transmit  power  control  temporary  identifier,  TPC−RNTI）、のうちの少なくとも１つを含んでよい。これは、本願の本実施形態において限定されない。
【０１００】
別の例では、端末装置のスケジューリング情報は、以下の情報：復調参照信号（demodulation  reference  signal,  DMRS）のスケジューリング情報、PTRSのスケジューリング情報、サウンディング参照信号（sounding  reference  signal,  SRS）のスケジューリング情報、及びコードワードのスケジューリング情報、のうちの少なくとも１つを含んでよい。これは、本願の本実施形態において限定されない。
【０１０１】
DMRSのスケジューリング情報は、DMRSポート番号、DMRSポート数、DMRSポートパターン、リソースエレメントマッピング（resource  element  mapping）、又はDMRSサブキャリアインデックス／リソースエレメント、であってよい。PTRSのスケジューリング情報は、PTRSポート番号、ポート数、ポート周波数ドメイン密度、又はリソースエレメントマッピングであってよい。SRSのスケジューリング情報は、SRSポート番号、SRSポート数、SRSポートパターン、リソースエレメントマッピング、又はSRSサブキャリアインデックス／リソースエレメントであってよい。コードワードのスケジューリング情報は、コードワードのコードワード番号又はコードワード数であってよい。
【０１０２】
理解されるべきことに、DMRSは、PTRSに関連付けられたDMRSであってよい。つまり、DMRSとPTRSは同じプリコーディング行列を使用する。
【０１０３】
任意で、ネットワーク装置により、端末装置の参照情報に基づき、端末装置のPTRSの送信パラメータを決定することは、ネットワーク装置により、参照情報及び第１マッピング関係に基づき送信パラメータを決定することであってよい。
【０１０４】
任意で、ネットワーク装置及び端末装置は、第１マッピング関係について予め合意してよい。例えば、プロトコルの中で第１マッピング関係に合意してよく、又はネットワーク装置がPTRSを端末装置へ送信する前に、ネットワーク装置が上位レイヤシグナリングを用いて第１マッピング関係を端末装置に示す。これは、本願の本実施形態において限定されない。
【０１０５】
任意で、参照情報が端末装置のPTRSのシーケンスを含むとき、ネットワーク装置により、端末装置の参照情報に基づき端末装置のPTRSの送信パラメータを決定することは、ネットワーク装置により、端末装置の参照情報に基づき、端末装置のPTRSのシーケンスのスクランブリング値を決定することと、ネットワーク装置により、スクランブリング値に基づき、端末装置のPTRSのシーケンスを生成することと、であってよい。
【０１０６】
任意で、参照情報が端末装置のPTRSの周波数ドメイン位置のオフセットを含むとき、ネットワーク装置により、端末装置の参照情報に基づき端末装置のPTRSの送信パラメータを決定することは、ネットワーク装置により、端末装置の参照情報に基づき、端末装置のPTRSの周波数ドメイン位置のオフセットを決定することと、ネットワーク装置により、オフセットに基づき、端末装置のPTRSの周波数ドメイン位置を生成することと、であってよい。
【０１０７】
任意で、PTRSの周波数ドメイン位置のオフセットの単位はRB又はREであってよい。例えば、オフセットf_offsetの単位がRBであり、１個のRBが１２個のサブキャリアを含むとき、周波数ドメイン位置のオフセットはf_offset＊１２である。
【０１０８】
理解されるべきことに、ネットワーク装置がN個の仮想リソースブロック（virtual  resource  block,  VRB）を端末装置に割り当てるとき、N個のVRBのインデックスの昇順に、N個のVRBはN個の連続関連リソースブロック（resource  block,  RB）に順次対応し、N個の関連RBのインデックスは０、１、．．．、及びN−１であり、Nは０より大きい整数である。例えば、０、１、６、及び７のインデックスを有する４個のVRBが、ネットワーク装置により端末装置に割り当てられ、インデックスの昇順に、４個のVRBが０、１、２、及び３のインデックスを有する４個の関連RBに対応する。
【０１０９】
更に理解されるべきことに、本願の本実施形態では、PTRSの周波数ドメイン位置は、N個の関連RBにおけるPTRSの周波数ドメイン位置として理解されてよい。
【０１１０】
任意で、送信パラメータが関連RBの中のPTRSの周波数ドメイン位置を含むとき、送信パラメータにより示された関連RB内のマッピングされたM番目のPTRSの周波数ドメイン位置は、｛Δf+M*N｝であってよい。ここで、Δfは周波数ドメイン位置のオフセットを示し、Δfの値範囲は０、１、２、．．．、及びN−１であり、NはPTRSの周波数ドメイン間隔を示し、Mは０以上の整数である。
【０１１１】
例えば、各RBがシーケンスの中の１個のシンボルに対応する場合、周波数ドメイン密度は４個のRB毎にマッピングされた１個のPTRSであると仮定すると、第１のマッピングされたPTRSは、シーケンスの中のシンボル０〜シンボル３のうちの１つに対応し、第２のマッピングされたPTRSは、シーケンスの中のシンボル４〜シンボル７のうちの１つに対応する。
【０１１２】
任意的な実施形態では、参照情報が端末装置の識別子（identifier,  ID）を含むとき、端末装置のPTRSの周波数ドメイン位置のオフセットf_offset  １はf１１（端末装置のID）に等しく、端末装置のPTRSのシーケンスのスクランブリング値n_SC  １はf１２（端末装置のID）に等しく、f１１及びf１２は関数であり、f１１の関数は端末装置のIDを端末装置のPTRSの周波数ドメイン位置のオフセットにマッピングするためのものであり、関数f１２は端末装置のIDを端末装置のPTRSのシーケンスのスクランブリング値にマッピングするためのものである。
【０１１３】
理解されるべきことに、周波数オフセットの可能な値範囲は、端末装置のIDの値範囲より小さく、例えば２１６個のC−RNTIがあり、最大で１９２個の周波数オフセットがある。したがって、関数f１１は例えば以下であってよい。
（ａ）モジュロ演算、例えばmod（端末ID，M）、ここでMの値は１２、２４、４８、．．．、等である、又は、
（ｂ）右シフト演算、又は端末のIDからの幾つかのビットの除去、例えば、右シフト（端末ID，N）、ここでNは右シフトが実行されるビット数を示し、値は９、１０、１１、．．．、等であってよい。
【０１１４】
f１２及びf１１は、繰り返しを回避するために同様の原理を有するので、詳細はここで再び記載されない。
【０１１５】
別の任意的な実施形態では、参照情報がDMRSポート番号／数／パターン／リソースエレメント／サブキャリアインデックスを含むとき、端末装置のPTRSの周波数ドメイン位置のオフセットf_offset  ２はf２１（DMRSポート番号／数／パターン／サブキャリアインデックス）に等しく、端末装置のPTRSのシーケンスのスクランブリング値n_SC  ２はf２２（DMRSポート番号／数／パターン／サブキャリアインデックス）に等しい。ここで、f２１及びf２２は関数であり、f２１の関数は、DMRSポート番号／数／パターン／サブキャリアインデックスを端末装置のPTRSの周波数ドメイン位置のオフセットにマッピングするためのものであり、f２２の関数は、DMRSポート番号／数／パターン／サブキャリアインデックスを端末装置のPTRSのシーケンスのスクランブリング値にマッピングするためのものである。
【０１１６】
理解されるべきことに、マッピング関係は１対１対応又は１対多対応であってよく、DMRSポート番号は、PTRSポート番号と１対１対応であってよく、DMRSポート数は、通常PTRSポート数より多く、DMRS周波数ドメイン密度はPTRS周波数ドメイン密度より大きい。したがって、関数f２１は例えば以下であってよい。
（ａ）f_offset  ２=L*（DMRSポート番号−最小DMRSポート番号）、又は、f_offset  ２=L*floor((DMRSポート番号−最小DMRSポート番号)/２)、ここで、Lは、図４に示すように、異なるDMRSポート間の周波数ドメイン間隔を示す。又は、
（ｂ）f_offset  ３=floor((DMRSポート番号−最小DMRSポート番号)/２)+RE_DMRS(i)、ここで、i=DMRSポート番号−最小DMRSポート番号であり、RE_DMRSはDMRSのサブキャリア番号又はリソースエレメント番号である。つまり、PTRSポートに関連付けられた２個のDMRSポートは、時間ドメイン符号分割多重（time  domain code  division  multiplexing,  TD−CDM）であり、異なるDMRS  RE番号は異なるPTRSポートの周波数オフセットのために構成されてよく、例えばRE_DMRS(０)=０及びRE_DMRS(１)=Kである。ここで、KはDMRSの周波数ドメイン間隔である。つまり、図５に示すように、最小DMRSポート番号に関連付けられたPTRSの位置するREは、最小DMRSポート番号に関連付けられたPTRSの位置するREは、最小DMRSポートの第１REであり、第２DMRSポート番号に関連付けられたPTRSの位置するREは、第２DMRSポートの第２REである。
【０１１７】
任意で、PTRSポートに関連付けられた２個のDMRSポートが周波数ドメイン符号分割多重（frequency  domain  code  division  multiplexing,  FD−CDM）であ、又は同じ周波数ドメイン位置を占有するが、CS（cyclic  shifts）のような異なるシーケンスを使用するときも、前述の場合が適用可能である。
【０１１８】
f２２及びf２１は、同様の原理を有するからである。繰り返しを回避するために、詳細はここに再び記載されない。
【０１１９】
さらに別の任意的な実施形態では、参照情報がPTRSポート番号／数／周波数ドメイン密度を含むとき、これは、参照情報がDMRSポート番号／数／サブキャリアインデックスを含む場合と同様であり、相違点は、PTRS周波数ドメイン密度が、通常、使用のために他の情報と結合されることである。端末装置のIDに基づき決定された周波数オフセットは、PTRSの周波数ドメイン間隔より大きくてよい。本例では、オフセットは意味がない。したがって、オフセットは、PTRSの周波数ドメイン間隔にマッピングされる必要がある。一実装では、PTRSの周波数ドメイン位置の更新されたオフセットを取得するために、モジュロ演算が、PTRSの周波数ドメイン間隔Mに対してPTRS周波数ドメイン密度により実行されてよい。つまり、f_offset_new=mod(f_offset,  M)。
【０１２０】
更に別の任意的な実施形態では、参照情報はコードワード番号／数を含んでよい。コードワード数が２であり、コードワード間のPTRSポートが非直交多重化される場合、異なるコードワードは異なるオフセットを有してよい。例えば、第１コードワードのオフセットは０であり、第２コードワードのオフセットはNである。
【０１２１】
任意で、参照情報が１種類の情報のみを含むとき、送信パラメータは、前述の方法に従い決定されてよい。参照情報が複数種類の情報を含むとき、複数種類の情報は、単に線形に重ね合わされてよく、又は使用のために結合されてよい。これは、本願の本実施形態において限定されない。
【０１２２】
任意的な実施形態では、１個のRBの中で、端末装置のPTRSの周波数ドメイン位置は、PTRSに関連付けられたDMRSポート番号、端末装置の識別子、及びPTRSポート番号のうちの少なくとも１つに基づき決定されてよい。
【０１２３】
例えば、モジュロ演算は、PTRS周波数ドメイン密度に対して、端末装置のIDに基づき決定される周波数ドメイン位置のオフセットにより、実行されてよい。
【０１２４】
別の例では、コードワード数に基づき決定された周波数ドメイン位置のオフセットについて、DMRSパターンが更に考慮されてよい。つまり、第２コードワードのオフセットは、DMRSの周波数ドメイン間隔の整数倍である。
【０１２５】
別の例では、RB内の、３個の端末装置（端末装置１、端末装置２、及び端末装置３）のPTRSに関連付けられたDMRSの位置が、全て、０、４、及び８の番号を有するRE／サブキャリアであるとき、異なるDMRSサブキャリアは、PTRSをマッピングするために端末のIDに基づき割り当てられてよい。例えば、端末装置１のM番目のPTRSのマッピングされた周波数ドメイン位置は０+M*N１であってよく、端末装置２のM番目のPTRSのマッピングされた周波数ドメイン位置は４+M*N２であってよく、端末装置３によりマッピングされたM番目のPTRSの周波数ドメイン位置は８+M*N３であってよい。ここで、Mは０以上の整数であり、N１は端末装置１のPTRSの周波数ドメイン間隔を示し、N２は端末装置２のPTRSの周波数ドメイン間隔を示し、N３は端末装置３のPTRSの周波数ドメイン間隔を示す。
【０１２６】
任意で、端末装置のDMRSポートに基づき決定された複数の端末装置のうちの全部のPTRSの周波数ドメイン位置と、DMRSがマッピングされるリソースエレメントと、が同じであるとき、DMRS周波数ドメイン密度はPTRS周波数ドメイン密度より大きいので、端末装置のPTRSの周波数ドメイン位置は、端末装置の識別子に基づき、DMRSの周波数ドメイン位置から更に選択されてよい。
【０１２７】
本願の本実施形態で提供される参照信号送信方法によると、端末装置のPTRSのシーケンスは、端末装置の参照情報に基づき決定される。その結果、端末装置のPTRSのシーケンスは、別の端末装置のPTRSのシーケンスと異なり得、端末装置のPTRSへの干渉のランダム化が、別の端末装置のPTRSのランダム化を用いて向上されて、端末装置のPTRSへの干渉のランダム化を助ける。それにより、PTRSを用いるノイズ推定の性能を安定化することを助ける。
【０１２８】
さらに、本願の本実施形態で提供される参照信号送信方法によると、複数ユーザ多入力多出力（multi−user  multiple−input  multiple−output,  MU−MIMO）技術は、PTRSポート間の、並びにPTRSポートとデータとの間の、非直交多重化をサポートし、端末装置のPTRSの周波数ドメイン位置は、端末装置の参照情報に基づき決定される。その結果、対にされた（paired）端末装置のPTRSが、RBレベルの周波数ドメインオフセット又はリソースエレメント（resource  element,  RE）レベルの周波数ドメインオフセットを導入することにより、異なる周波数ドメイン位置にマッピングできる。つまり、端末装置のPTRSへの干渉は、別の端末装置のデータから生じ、端末装置のPTRSへの干渉のランダム化は、別の端末装置のデータのランダム化を用いて向上されて、端末装置のPTRSへの干渉のランダム化を助け、それにより、PTRSを用いるノイズ推定の性能を安定化させる。
【０１２９】
Ｓ３２０。端末装置は、送信パラメータを取得する。
【０１３０】
任意で、Ｓ３２０で、端末装置は送信パラメータを決定してよく、又は端末装置はネットワーク装置により送信された送信パラメータを受信してよい。これは、本願の本実施形態において限定されない。
【０１３１】
任意的な実施形態では、Ｓ３２０で、端末装置により、送信パラメータを取得することは、端末装置により、参照情報及び予め構成された第１マッピング関係に基づき、送信パラメータを決定することであってよい。
【０１３２】
別の任意的な実施形態では、Ｓ３２０の前に、ネットワーク装置は、送信パラメータを端末装置へ送信してよい。相応して、Ｓ３２０で、端末装置により送信パラメータを取得することは、端末装置により、ネットワーク装置により送信された送信パラメータを受信することであってよい。
【０１３３】
任意で、ネットワーク装置は、第１シグナリングを用いて、送信パラメータを端末装置へ送信してよい。相応して、端末装置は、ネットワーク装置により送信された送信パラメータを、第１シグナリングを用いて受信してよい。
【０１３４】
任意で、第１シグナリングは、無線リソース制御（radio  resource  control,  RRC）シグナリング、媒体アクセス制御（media  access  control,  MAC）制御要素（control  element,  CE）シグナリング、又はダウンリンク制御情報（downlink  control  information,  DCI）シグナリングであってよい。これは、本願の本実施形態において限定されない。
【０１３５】
さらに別の任意的な実施形態では、Ｓ３２０の前に、ネットワーク装置は、第１マッピング関係を端末装置へ送信してよい。相応して、Ｓ３２０で、端末装置により送信パラメータを取得することは、端末装置により、ネットワーク装置により送信された第１マッピング関係を受信することと、端末装置により、参照情報及び第１マッピング関係に基づき送信パラメータを決定することと、であってよい。
【０１３６】
任意で、ネットワーク装置は、第２シグナリングを用いて、第１マッピング関係を端末装置へ送信してよい。相応して、端末装置は、ネットワーク装置により送信された第１マッピング関係を、第２シグナリングを用いて受信してよい。
【０１３７】
任意で、第２シグナリングは、無線リソース制御（radio  resource  control,  RRC）シグナリング、媒体アクセス制御（media  access  control,  MAC）制御要素（control  element,  CE）シグナリング、又はダウンリンク制御情報（downlink  control  information,  DCI）シグナリングであってよい。これは、本願の本実施形態において限定されない。
【０１３８】
理解されるべきことに、ネットワーク装置が送信パラメータ又は第１マッピング関係を端末装置へ、RRCシグナリングを持ち手送信するとき、RRCシグナリングの構成機関はPTRSのような参照情報の変化速度より大きいので、RRCシグナリングを用いて構成されたPTRSの周波数ドメイン位置のオフセットは、PTRSの周波数ドメイン間隔を超えることがある。２つのシナリオにおいて、ネットワーク装置が端末装置のPTRSの周波数ドメイン位置のオフセットをRRCシグナリングを用いてどのように構成するかが、以下に記載される。
【０１３９】
（ａ）データ送信におけるPTRSでは、端末装置のPTRS周波数ドメイン密度は、端末装置のためにネットワーク装置によりスケジューリングされた帯域幅により決定され、高い帯域幅ほど小さなPTRS周波数ドメイン密度を示す。ネットワーク装置は、端末装置のために、RRCシグナリングを用いて、端末装置のIDのような固定参照情報とPTRSポート番号とに基づき決定された周波数ドメイン位置のオフセットを構成してよい。ネットワーク装置又は端末装置が、固定参照情報に基づき、構成されたオフセットがデータ送信中のPTRSの周波数ドメイン間隔より大きいと決定したとき、構成されたオフセットは意味がない。この場合、モジュロ演算が、PTRSの周波数ドメイン間隔に対して、ネットワーク装置又は端末装置により構成されたオフセットにより実行される。又は、構成されたオフセットは、PTRSの周波数ドメイン間隔に基づき正規化されてよく、つまり、f_offset  new=floor(f_offset*M/(f_offsetの最大値))。又は、構成されたオフセットのPTRSの周波数ドメイン間隔へのマッピングの可能な別の演算が使用されてよい。これは、本願の本実施形態で限定されないが、ネットワーク装置及び端末装置は使用されるべき演算について予め合意する必要がある。
【０１４０】
（ｂ）システム情報におけるPTRSでは、システムメッセージの受信信頼性を保証するために、ネットワーク装置は、デフォルトで、最高PTRS周波数ドメイン密度を構成してよい。この場合、PTRS周波数ドメイン密度及びPTRSポートは、RRCシグナリングに知られている。したがって、PTRSの構成は、ネットワーク装置がRRCシグナリングを用いて周波数ドメイン位置のオフセットを構成するとき、既に考慮されている。つまり、構成は、マッピング中にPTRSの周波数ドメイン位置を決定するために直接使用できる。
【０１４１】
任意で、端末装置のPTRSの周波数ドメイン位置のオフセットは、端末装置のPTRSと別の端末装置のPTRSとの周波数ドメイン位置の間のオフセット（第１オフセット）、及び端末装置の間の複数のPTRSポートの周波数ドメイン位置の間のオフセット（第２オフセット）を含んでよい。同様に、端末装置のPTRSのシーケンスのスクランブリング値は、端末装置のPTRSのシーケンスのスクランブリング値（第１スクランブリング値）、及び端末装置の複数の異なるPTRSポートのシーケンスのスクランブリング値（第２スクランブリング値）を含んでよい。
【０１４２】
任意で、第１オフセット（第１スクランブリング値）は、端末のIDに基づき決定されてよく、第２オフセット（第２スクランブリング値）は、DMRSのスケジューリング情報及び／又は端末装置のIDに基づき決定されてよい。これは、本願の本実施形態において限定されない。
【０１４３】
Ｓ３３０。ネットワーク装置は、送信パラメータに基づき端末装置にPTRSを送信する。相応して、端末装置は、送信パラメータに基づき、ネットワーク装置により送信されたPTRSを受信する。
【０１４４】
任意で、Ｓ３３０で、ネットワーク装置により、送信パラメータに基づきPTRSを端末装置へ送信することは、ネットワーク装置により、PTRSの周波数ドメイン位置に対応するサブキャリア／REのインデックスに基づき、サブキャリア／REのインデックスに対応し且つサブキャリア／REの位置する物理リソースブロック（physical  resource  block,  PRB）のインデックスを決定することと、ネットワーク装置により、PRBのインデックスに基づき、PTRSのシーケンスから、PRBのインデックスに対応するシンボルを選択し、該シンボルを周波数ドメイン位置に対応するサブキャリア／REにマッピングすることと、であってよい。
【０１４５】
相応して、端末装置により、送信パラメータに基づき、ネットワーク装置により送信された送信パラメータを受信することは、端末装置により、PTRSの周波数ドメイン位置に対応するサブキャリア／REのインデックスに基づき、サブキャリア／REのインデックスに対応し且つサブキャリア／REの位置するPRBのインデックスを決定することと、端末装置により、PRBの中のサブキャリア／REから、PRBのインデックスに対応するシンボルを取得し、取得したシンボル及びPTRSのシーケンスに基づき位相ノイズを推定することと、であってよい。
【０１４６】
理解されるべきことに、ネットワーク装置がN個のVRBを端末装置に割り当てるとき、N個のVRBのインデックスの昇順に、N個のVRBはN個の連続関連RBに順次対応し、N個の関連RBのインデックスは０、１、．．．、及びN−１であり、Nは０より大きい整数である。例えば、０、１、６、及び７のインデックスを有する４個のVRBが、ネットワーク装置により端末装置に割り当てられ、インデックスの昇順に、４個のVRBが０、１、２、及び３のインデックスを有する４個の関連RBに対応する。
【０１４７】
更に理解されるべきことに、本願の本実施形態では、PTRSの周波数ドメイン位置は、N個の関連RBにおけるPTRSの周波数ドメイン位置として理解されてよい。
【０１４８】
任意で、ネットワーク装置又は端末装置は、関連RBとVRBとの間の対応、及びVRBとPRBとの間の事前設定された対応に基づき、PTRSの周波数ドメイン位置に対応する物理サブキャリア／REのインデックス、及び、物理サブキャリア／REのインデックスに対応し且つ物理サブキャリア／REの位置するPRBのインデックスを決定できる。
【０１４９】
更に理解されるべきことに、ネットワーク装置及び端末装置は、PTRSに基づき位相ノイズを推定してよく、又はPCRSに基づき位相ノイズを推定してよい。PTRS及びPCRSは、本願の本実施形態では集合的にPTRSと呼ばれ、これは本願の本実施形態において限定されない。
【０１５０】
図６は、本願の一実施形態によるPTRSマッピングの概略図である。図６では、端末装置のPTRSのシーケンスの長さは２４であり、ネットワーク装置は、PTRSを送信するために、端末装置に、インデックス０、１、６、７、８、９、１０、１１、１８、１９、２２、及び２３を有する全部で１２個の不連続仮想リソースブロック（virtual  resource  block,  VRB）をスケジューリングすると仮定する。
【０１５１】
理解されるべきことに、ネットワーク装置によりスケジューリングされた１２個のVRBは不連続であり、PTRS周波数ドメイン密度は１／４である、つまり、１個のシンボルが４個のRB毎にマッピングされるので、ネットワーク装置は、シンボルのマッピングされるべき特定RBを決定する必要がある。
【０１５２】
任意で、１２個の連続関連RBがあり、VRBのインデックスの昇順で、１２個の不連続VRBが１２個の関連RBに順次対応すると仮定する。例えば、０のインデックスを有するVRBは０のインデックスを有する関連RBに対応し、１のインデックスを有するVRBは１のインデックスを有する関連RBに対応し、６のインデックスを有するVRBは２のインデックスを有する関連RBに対応し、７のインデックスを有するVRBは３のインデックスを有する関連RBに対応し、．．．、２３のインデックスを有するVRBは１１のインデックスを有する関連RBに対応する。
【０１５３】
ネットワーク装置により端末装置のために構成されたPTRS周波数ドメイン密度が１／４であり、各RBが１２個のサブキャリアを含むとき、ネットワーク装置は、１０サブキャリアである端末装置のPTRSの周波数ドメイン位置のオフセットに基づき、PTRSの周波数ドメイン位置に対応する関連RBが、１０のインデックスを有するサブキャリア／RE（つまり、０のインデックスを有する関連RBの１１番目のサブキャリア）、５８（つまり、１０＋４８）のインデックスを有するサブキャリア／RE（つまり、４のインデックスを有する関連RBの１１番目のサブキャリア）、及び１０６（つまり、１０＋４８*２）のインデックスを有するサブキャリア／RE（つまり、８のインデックスを有する関連RBの１１番目のサブキャリア）、を含むことを決定する。
【０１５４】
ネットワーク装置は、関連RBとVRBとの間の対応に基づき、PTRSの周波数ドメイン位置に対応するVRBが、０のインデックスを有するVRB、８のインデックスを有するVRB、１８のインデックスを有するVRB、を含むことを決定してよい。ネットワーク装置は、VRBとPRBとの間の対応に基づき、PTRSの周波数ドメイン位置に対応するPRBが、０のインデックスを有するPRB、８のインデックスを有するPRB、１８のインデックスを有するPRB、を含むことを決定してよい。
【０１５５】
したがって、ネットワーク装置は、０のインデックスを有するPRBに対応するPTRSのシーケンスの中のシンボルを、０のインデックスを有するPRBにマッピングし、８のインデックスを有するPRBに対応するシンボルを、８のインデックスを有するPRBにマッピングし、１８のインデックスを有するPRBに対応するシンボルを、１８のインデックスを有するPRBにマッピングしてよい。
【０１５６】
任意的な実施形態では、ネットワーク装置は、端末装置のために、PTRSを送信するための１２個のPRBをスケジューリングし、PTRS周波数ドメイン密度は１／４であり、つまり１個のシンボルが４個のPRB毎にマッピングされる。その結果、PTRSのシーケンスの中の０のインデックスを有するシンボルは０〜３のインデックスを有するPRBに対応し、１のインデックスを有するシンボルは４〜７のインデックスを有するPRBに対応し、２のインデックスを有するシンボルは８〜１１インデックスを有するPRBに対応し、別のシンボルとPRBとの間の対応は、同じ原理を用いて取得できる。
【０１５７】
したがって、０のインデックスを有するPRBに対応するシンボルは、PTRSのシーケンスの中の０のインデックスを有するシンボルであり、８のインデックスを有するPRBに対応するシンボルは、２のインデックスを有するシンボルであり、１８のインデックスを有するPRBに対応するシンボルは、同じ原理を用いて取得できる。
【０１５８】
任意で、本願の本実施形態では、図６のPRBとVRBとの間の対応のみが、説明のための一例として使用されたが、PRBとVRBとの間の別の対応があってよい。これは、本願の本実施形態において限定されない。
【０１５９】
図７は、本願の一実施形態によるPTRSマッピングの概略図である。図７では、端末装置のPTRSのシーケンスの長さは２４であり、ネットワーク装置は、PTRSを送信するために、端末装置に、０、１、６、７、８、９、１０、１１、１８、１９、２２、及び２３のインデックスを有する全部で１２個の不連続VRBをスケジューリングすると仮定する。図７に示すVRBとPRBとの間の対応に基づき、１２個のVRBに対応する０、１、６、７、８、９、１０、１１、１８、１９、２２、及び２３のインデックスを有する全部で１２個の不連続PRBが取得されてよい。
【０１６０】
理解されるべきことに、ネットワーク装置によりスケジューリングされた１２個のPRBは不連続であり、PTRS周波数ドメイン密度は１／４である、つまり、１個のシンボルが４個のRB毎にマッピングされるので、ネットワーク装置は、シンボルのマッピングされるべき特定RBを決定する必要がある。
【０１６１】
任意で、１２個の連続関連RBがあり、PRBのインデックスの昇順で、１２個の不連続PRBが１２個の関連RBに順次対応すると仮定する。例えば、０のインデックスを有するPRBは０のインデックスを有する関連RBに対応し、１のインデックスを有するPRBは１のインデックスを有する関連RBに対応し、６のインデックスを有するPRBは２のインデックスを有する関連RBに対応し、７のインデックスを有するものは３のインデックスを有する関連RBに対応し、．．．、２３のインデックスを有するPRBは１１のインデックスを有する関連RBに対応する。
【０１６２】
ネットワーク装置により端末装置のために構成されたPTRS周波数ドメイン密度が１／４であり、各RBが１２個のサブキャリアを含むとき、ネットワーク装置は、１０サブキャリアである端末装置のPTRSの周波数ドメイン位置のオフセットに基づき、PTRSの周波数ドメイン位置に対応する関連RBが、１０のインデックスを有するサブキャリア／RE（つまり、０のインデックスを有する関連RBの１１番目のサブキャリア）、５８（つまり、１０＋４８）のインデックスを有するサブキャリア／RE（つまり、４のインデックスを有する関連RBの１１番目のサブキャリア）、及び１０６（つまり、１０＋４８*２）のインデックスを有するサブキャリア／RE（つまり、８のインデックスを有する関連RBの１１番目のサブキャリア）、を含むことを決定する。
【０１６３】
ネットワーク装置は、関連RBとPRBとの間の対応に基づき、PTRSの周波数ドメイン位置に対応するPRBが、０のインデックスを有するPRB、８のインデックスを有するPRB、１８のインデックスを有するPRB、を含むことを決定してよい。
【０１６４】
したがって、ネットワーク装置は、０のインデックスを有するPRBに対応するPTRSのシーケンスの中のシンボルを、０のインデックスを有するPRBにマッピングし、８のインデックスを有するPRBに対応するシンボルを、８のインデックスを有するPRBにマッピングし、１８のインデックスを有するPRBに対応するシンボルを、１８のインデックスを有するPRBにマッピングしてよい。
【０１６５】
図８は、本願の一実施形態による参照信号送信方法８００の概略フローチャートである。送信方法８００は、図１に示す通信システム１００に適用されてよく、例えば、参照信号のアップリンク送信シナリオに適用されてよい。
【０１６６】
Ｓ８１０。ネットワーク装置は、端末装置の参照情報に基づき、端末装置のPTRSの送信パラメータを決定する。ここで、参照情報は、端末装置の識別子及び端末装置のスケジューリング情報のうちの少なくとも１つを含み、送信パラメータは、PTRSのシーケンス及びPTRSの周波数ドメイン位置のうちの少なくとも１つを含む。
【０１６７】
Ｓ８２０。端末装置は、送信パラメータを取得する。
【０１６８】
Ｓ８３０。端末装置は、送信パラメータに基づきネットワーク装置へPTRSを送信する。相応して、ネットワーク装置は、送信パラメータに基づき、端末装置により送信されたPTRSを受信する。
【０１６９】
理解されるべきことに、図８のＳ８１０は図３のＳ３１０と同様であり、したがって、Ｓ８１０については、実装のためにＳ３１０における実装を参照し、図８のＳ８２０は図３のＳ３２０と同様であり、したがって、Ｓ８２０については、実装のためにＳ３２０における実装を参照する。繰り返しを回避するために、詳細はここに再び記載されない。
【０１７０】
任意で、Ｓ８３０で、端末装置により、送信パラメータに基づきPTRSをネットワーク装置へ送信することは、端末装置により、PTRSの周波数ドメイン位置に対応するサブキャリア／REのインデックスに基づき、サブキャリア／REのインデックスに対応し且つサブキャリア／REの位置するPRBのインデックスを決定することと、端末装置により、PRBのインデックスに基づき、PTRSのシーケンスから、PRBのインデックスに対応するシンボルを選択し、該シンボルを周波数ドメイン位置に対応するサブキャリア／REにマッピングすることと、であってよい。
【０１７１】
相応して、ネットワーク装置により、送信パラメータに基づき、端末装置により送信されたPTRSを受信することは、ネットワーク装置により、PTRSの周波数ドメイン位置に対応するサブキャリア／REのインデックスに基づき、サブキャリア／REのインデックスに対応し且つサブキャリア／REの位置するPRBのインデックスを決定することと、ネットワーク装置により、PRBの中のサブキャリア／REから、PRBのインデックスに対応するシンボルを取得し、取得したシンボル及びPTRSのシーケンスに基づき位相ノイズを推定することと、であってよい。
【０１７２】
理解されるべきことに、図８のＳ８３０は図３のＳ３３０と同様であり、したがって、Ｓ８３０については、実装のためにＳ３３０の実装を参照する。繰り返しを回避するために、詳細はここに再び記載されない。
【０１７３】
本願の実施形態で提供される参照信号送信方法は、図２〜図８を参照して以上に詳細に記載された。本願の実施形態で提供される参照信号送信機器は、図９〜図１２を参照して以下に記載される。
【０１７４】
図９は、本願の一実施形態による参照信号送信機器９００を示す。送信機器９００は、端末装置の参照情報に基づき、端末装置の位相追跡参照信号（PTRS）の送信パラメータを決定するよう構成される処理ユニット９１０であって、参照情報は、端末装置の識別子及び端末装置のスケジューリング情報のうちの少なくとも１つを含み、送信パラメータは、PTRSのシーケンス及びPTRSの周波数ドメイン位置のうちの少なくとも１つを含む、処理ユニット９１０と、処理ユニット９１０により取得された送信パラメータに基づき、端末装置と共にPTRSを送信するよう構成される通信機ユニット９２０と、を含む。
【０１７５】
任意で、送信パラメータがPTRSのシーケンスを含むとき、処理ユニットは、具体的に、参照情報に基づき、PTRSのシーケンスのスクランブリング値を決定し、スクランブリング値に基づき、PTRSのシーケンスを決定する、よう構成される。
【０１７６】
任意で、送信パラメータがPTRSの周波数ドメイン位置を含むとき、処理ユニットは、具体的に、参照情報に基づき、PTRSの周波数ドメイン位置のオフセットを決定し、オフセットに基づき、PTRSの周波数ドメイン位置を決定する、よう構成される。
【０１７７】
任意で、処理ユニットは、具体的に、参照情報及び第１マッピング関係に基づき、送信パラメータを決定するよう構成され、第１マッピング関係は、参照情報と送信パラメータとの間の対応を含む。
【０１７８】
任意で、通信機ユニットは、送信パラメータに基づき、端末装置へ、PTRSを送信する前に、端末装置へ第１マッピング関係を送信するよう更に構成される。
【０１７９】
任意で、通信機ユニットは、送信パラメータに基づき、端末装置と共に、PTRSを送信する前に、端末装置へ送信パラメータを送信するよう更に構成される。
【０１８０】
任意で、送信パラメータがPTRSの周波数ドメイン位置を含むとき、PTRSの周波数ドメイン位置のオフセットは、PTRSの周波数ドメイン間隔より小さい。
【０１８１】
任意で、端末装置のスケジューリング情報は、以下の情報：復調参照信号（DMRS）のスケジューリング情報、PTRSのスケジューリング情報、サウンディング参照信号（SRS）のスケジューリング情報、及びコードワードのスケジューリング情報、のうちの少なくとも１つを含む。
【０１８２】
理解されるべきことに、送信機器９００は、ここで、機能ユニットの形式で反映される。用語「ユニット」は、ここで、特定用途向け集積回路（application−specific  integrated  circuit,  ASIC）、電子回路、１つ以上のソフトウェア若しくはファームウェアプログラムを実行するよう構成されたプロセッサ（例えば、共有プロセッサ、専用プロセッサ、又はグループプロセッサ）、メモリ、融合論理回路、及び／又は専用機能をサポートする他の適切なコンポーネントを表してよい。任意的な例では、当業者は、送信機器９００が、具体的に、前述の送信方法３００及び送信方法８００の実施形態におけるネットワーク装置であってよく、送信機器９００が、前述の方法３００及び方法８００の実施形態におけるネットワーク装置に対応する手順及び／又はステップを実行するよう構成されてよいことを理解し得る。繰り返しを回避するために、詳細はここに再び記載されない。
【０１８３】
図１０は、本願の一実施形態による参照信号送信機器１０００を示す。送信機器１０００は、位相追跡参照信号（PTRS）の送信パラメータを取得するよう構成される取得ユニット１０１０であって、送信パラメータは、送信機器の参照情報に基づき決定され、送信パラメータは、PTRSのシーケンス及びPTRSの周波数ドメイン位置のうちの少なくとも１つを含み、参照情報は、送信機器の識別子及び送信機器のスケジューリング情報のうちの少なくとも１つを含む、取得ユニット１０１０と、取得ユニット１０１０により取得された送信パラメータに基づき、ネットワーク装置と共にPTRSを送信するよう構成される通信機ユニット１０２０と、を含む。
【０１８４】
任意で、取得ユニットは、具体的に、参照情報に基づき送信パラメータを決定するよう構成される。
【０１８５】
任意で、送信パラメータがPTRSのシーケンスを含むとき、処理ユニットは、具体的に、参照情報に基づき、PTRSのシーケンスのスクランブリング値を決定し、スクランブリング値に基づき、PTRSのシーケンスを決定する、よう構成される。
【０１８６】
任意で、送信パラメータがPTRSの周波数ドメイン位置を含むとき、処理ユニットは、具体的に、参照情報に基づき、PTRSの周波数ドメイン位置のオフセットを決定し、オフセットに基づき、PTRSの周波数ドメイン位置を決定する、よう構成される。
【０１８７】
任意で、処理ユニットは、具体的に、参照情報及び第１マッピング関係に基づき、送信パラメータを決定するよう構成され、第１マッピング関係は、参照情報と送信パラメータとの間の対応を含む。
【０１８８】
任意で、通信機ユニットは、送信パラメータが参照情報及び第１マッピング関係に基づき決定される前に、ネットワーク装置により送信された第１マッピング関係を受信するよう更に構成される。
【０１８９】
任意で、取得ユニットは、ネットワーク装置により送信された送信パラメータを受信するよう更に構成される。
【０１９０】
任意で、送信パラメータがPTRSの周波数ドメイン位置を含むとき、PTRSの周波数ドメイン位置のオフセットは、PTRSの周波数ドメイン間隔より小さい。
【０１９１】
任意で、送信機器のスケジューリング情報は、以下の情報：復調参照信号（DMRS）のスケジューリング情報、PTRSのスケジューリング情報、サウンディング参照信号（SRS）のスケジューリング情報、及びコードワードのスケジューリング情報、のうちの少なくとも１つを含む。
【０１９２】
理解されるべきことに、送信機器１０００は、ここで、機能ユニットの形式で反映される。用語「ユニット」は、ここで、特定用途向け集積回路（application  specific  integrated  circuit,  ASIC）、電子回路、１つ以上のソフトウェア若しくはファームウェアプログラムを実行するよう構成されたプロセッサ（例えば、共有プロセッサ、専用プロセッサ、又はグループプロセッサ）、メモリ、融合論理回路、及び／又は専用機能をサポートする他の適切なコンポーネントを表してよい。任意的な例では、当業者は、送信機器１０００が、具体的に、前述の送信方法３００及び送信方法８００の実施形態における端末装置であってよく、送信機器１０００が、前述の送信方法３００及び送信方法８００の実施形態における端末装置に対応する手順及び／又はステップを実行するよう構成されてよいことを理解し得る。繰り返しを回避するために、詳細はここに再び記載されない。
【０１９３】
図１１は、本願の一実施形態による参照信号送信機器１１００を示す。送信機器１１００は、図１に示す通信システムにおけるネットワーク装置であってよく、ネットワーク装置は図１１に示すハードウェアアーキテクチャを使用してよい。ネットワーク装置は、プロセッサ１１１０、通信機１１２０、及びメモリ１１３０を含んでよい。プロセッサ１１１０、通信機１１２０、及びメモリ１１３０は、互いに内部接続パスを用いて通信する。図９の処理ユニット９１０により実装される関連機能は、プロセッサ１１１０により実装されてよく、通信機ユニット９２０により実装される関連機能は、通信機１１２０により実装されてよい。
【０１９４】
プロセッサ１１１０は、１つ以上のプロセッサ、例えば１つ以上の中央処理ユニット（central  processing  unit,  CPU）を含んでよい。プロセッサが１つのCPUであるとき、CPUは単一コアCPU又はマルチコアCPUであってよい。
【０１９５】
通信機１１２０は、データ及び／又は信号を送信し、データ及び／又は信号を受信するよう構成される。通信機は、送信機及び受信機を含んでよい。送信機はデータ及び／又は信号を送信するよう構成され、受信機はデータ及び／又は信号を受信するよう構成される。
【０１９６】
メモリ１１３０は、限定ではないが、ランダムアクセスメモリ（random  access  memory,  RAM）、読み出し専用メモリ（read−only  memory,  ROM）、消去可能プログラマブル読み出し専用メモリ（erasable  programmable  read−only  memory,  EPROM）、又はコンパクトディスク読み出し専用メモリ（compact  disc  read−only  memory,  CD−ROM）を含むが、これらに限定されない。メモリ１１３０は、関連命令及びデータを格納するよう構成される。
【０１９７】
メモリ１１３０は、ネットワーク装置のプログラムコード及びデータを格納するよう構成され、別個の装置であり又はプロセッサ１１１０に統合されてよい。
【０１９８】
具体的に、プロセッサ１１１０は、端末装置と共に参照信号を送信するよう、例えばＳ３３０を実行するよう、通信機を制御するよう構成される。詳細については、方法の実施形態における記載を参照し、詳細はここで再び記載されない。
【０１９９】
図１１は単にネットワーク装置の簡略な設計を示すことが理解され得る。実際の適用では、ネットワーク装置は、限定ではないが、任意の数の通信機、プロセッサ、制御部、メモリ、等を含む他の必要なコンポーネントを更に別個に含んでよく、本願を実施可能な全てのネットワーク装置は本願の保護範囲に含まれる。
【０２００】
可能な設計では、送信機器１１００は、チップであってよく、例えば、ネットワーク装置内で使用可能な通信チップであってよく、ネットワーク装置内のプロセッサ１１１０の関連機能を実装するよう構成される。チップは、関連機能を実装するフィールドプログラマブルゲートアレイ、専用集積チップ、システムチップ、中央処理ユニット、ネットワークプロセッサ、デジタル信号処理回路、マイクロコントローラ、及びプログラマブルコントローラ又は別の集積チップであってよい。任意で、チップは、プログラムコードを格納するよう構成される１つ以上のメモリを含んでよく、コードが実行されると、プロセッサは対応する機能を実施する。
【０２０１】
図１２は、本願の一実施形態による参照信号送信機器１２００を示す。送信機器１２００は、図１に示す通信システムにおける端末装置であってよく、端末装置は図１２に示すハードウェアアーキテクチャを使用してよい。端末装置は、プロセッサ１２１０、通信機１２２０、及びメモリ１２３０を含んでよい。プロセッサ１２１０、通信機１２２０、及びメモリ１２３０は、互いに内部接続パスを用いて通信する。図１０の処理ユニット１０１０により実装される関連機能は、プロセッサ１２１０により実装されてよく、通信機ユニット１０２０により実装される関連機能は、通信機１２２０により実装されてよい。
【０２０２】
プロセッサ１２１０は、１つ以上のプロセッサ、例えば１つ以上の中央処理ユニットCPUを含んでよい。プロセッサが１つのCPUであるとき、CPUは単一コアCPU又はマルチコアCPUであってよい。
【０２０３】
通信機１２２０は、データ及び／又は信号を送信し、データ及び／又は信号を受信するよう構成される。通信機は、送信機及び受信機を含んでよい。送信機はデータ及び／又は信号を送信するよう構成され、受信機はデータ及び／又は信号を受信するよう構成される。
【０２０４】
メモリ１２３０は、限定ではないが、RAM、ROM、EPROM、又はCD−ROMを含む。メモリ１２３０は、関連命令及びデータを格納するよう構成される。
【０２０５】
メモリ１２３０は、端末装置のプログラムコード及びデータを格納するよう構成され、別個の装置であり又はプロセッサ１２１０に統合されてよい。
【０２０６】
具体的に、プロセッサ１２１０は、ネットワーク装置と共に参照信号を送信するよう、例えばＳ３３０を実行するよう、通信機を制御するよう構成される。詳細については、方法の実施形態における記載を参照し、詳細はここで再び記載されない。
【０２０７】
図１２は単に端末装置の簡略な設計を示すことが理解され得る。実際の適用では、端末装置は、限定ではないが、任意の数の通信機、プロセッサ、制御部、メモリ、等を含む他の必要なコンポーネントを更に別個に含んでよく、本願を実施可能な全ての端末装置は本願の保護範囲に含まれる。
【０２０８】
可能な設計では、送信機器１２００は、チップであってよく、例えば、端末装置のために使用可能な通信チップであってよく、端末装置内のプロセッサ１１１０の関連機能を実装するよう構成される。チップは、関連機能を実装するフィールドプログラマブルゲートアレイ、専用集積チップ、システムチップ、中央処理ユニット、ネットワークプロセッサ、デジタル信号処理回路、マイクロコントローラ、及びプログラマブルコントローラ又は別の集積チップであってよい。任意で、チップは、プログラムコードを格納するよう構成される１つ以上のメモリを含んでよく、コードが実行されると、プロセッサは対応する機能を実施可能にされる。
【０２０９】
前述の実施形態の全部又は一部は、ソフトウェア、ハードウェア、ファームウェア又はそれらの任意の組み合わせを用いて実施されてよい。実施形態を実施するためにソフトウェアが使用されるとき、実施形態は、完全に又は部分的にコンピュータプログラムプロダクトの形式で実施されてよい。コンピュータプログラムプロダクトは、１つ以上のコンピュータプログラム命令を含む。コンピュータプログラム命令はコンピュータ上にロードされ実行されると、本発明の実施形態による手順又は機能が全部又は部分的に生成される。コンピュータは、汎用コンピュータ、専用コンピュータ、コンピュータネットワーク、又は他のプログラマブル機器であってよい。コンピュータ命令は、コンピュータ可読記憶媒体に格納されてよく、又はコンピュータ可読記憶媒体を用いて送信されてよい。コンピュータ命令は、ウェブサイト、コンピュータ、サーバ、又はデータセンタから、別のウェブサイト、コンピュータ、サーバ、又はデータセンタへ、有線（例えば同軸ケーブル、光ファイバ、又はデジタル加入者線（digital  subscriber  line,  DSL））又は無線（例えば赤外線、無線、マイクロ波）方式で送信されてよい。コンピュータ可読記憶媒体は、コンピュータ、又は１つ以上の使用可能媒体を統合するサーバ若しくはデータセンタのようなデータ記憶装置によりアクセス可能な任意の使用可能媒体であってよい。使用可能媒体は、磁気媒体（例えば、フロッピーディスク、ハードディスク、又は磁気テープ）、光媒体（例えば、デジタルバーサタイルディスク（digital  versatile  disc,  DVD））、半導体媒体（例えば、固体ドライブ（solid−state  drive,  SSD））、等であってよい。
【０２１０】
当業者は、実施形態の中の方法の処理のうちの全部又は一部が関連するハードウェアに指示するコンピュータプログラムにより実施されてよいことを理解し得る。プログラムは、コンピュータ可読記憶媒体に格納されてよい。プログラムが実行されると、実施形態の方法の処理が実行されてよい。前述の記憶媒体は、ROM、RAM、磁気ディスク又は光ディスクのようなプログラムコードを格納可能な任意の媒体を含む。
【０２１１】
当業者は、本願明細書に開示の実施形態で記載された例と組み合わせて、ユニット及びアルゴリズムのステップが、電子ハードウェア又はコンピュータソフトウェア及び電子ハードウェアの組み合わせにより実施され得ることを認識できる。機能がハードウェア又はソフトウェアにより実行されるかは、技術的ソリューションの特定の適用及び設計制約条件に依存する。当業者は、各々の特定の適用について記載の機能を実施するために異なる方法を使用し得るが、実装が本願の範囲を超えると考えられるべきではない。
【０２１２】
便宜上及び簡潔な説明のために、前述のシステム、装置、及びユニットの詳細な動作処理については、前述の方法における対応する処理を参照し、詳細事項はここで再び記載されないことが、当業者により明らかに理解され得る。
【０２１３】
本願において提供される幾つかの実施形態では、開示のシステム、機器、及び方法は他の方法で実装されてよいことが理解されるべきである。例えば、記載した機器の実施形態は単なる一例である。例えば、ユニットの分割は、単なる論理的機能の分割であり、実際の実装では他の分割であってよい。例えば、複数のユニット又はコンポーネントは、別のシステムに結合又は統合されてよい。或いは、幾つかの機能は無視されるか又は実行されなくてよい。さらに、表示した又は議論した相互結合又は直接結合又は通信接続は、幾つかのインタフェースを使用することにより実装されてよい。機器又はユニット間の間接結合又は通信接続は、電気的、機械的又は他の形式で実装されてよい。
【０２１４】
別個の部分として記載されたユニットは、物理的に別個であってよく又はそうでなくてよい。並びに、ユニットとして表示された部分は、物理的なユニットであってよく又はそうでなくてよく、１カ所に置かれてよく又は複数のネットワークユニットに分散されてよい。一部又は全部のユニットは、実施形態のソリューションの目的を達成するために実際の要件に基づき選択されてよい。
【０２１５】
さらに、本願の実施形態における機能ユニットは、１つの処理ユニットに統合されてよく、或いは各ユニットが物理的に単独で存在してよく、或いは２以上のユニットが１つのユニットに統合されてよい。
【０２１６】
機能がソフトウェア機能ユニットの形式で実装され、独立した製品として販売され又は使用されるとき、機能は、コンピュータ可読記憶媒体に格納されてよい。このような理解に基づき、本願の基本的技術的ソリューション、又は従来技術に貢献する部分、又は一部の技術的ソリューションは、ソフトウェアプロダクトの形式で実施されてよい。コンピュータソフトウェアプロダクトは、記憶媒体に格納され、コンピュータ装置（パーソナルコンピュータ、サーバ、ネットワーク装置、等であってよい）に、本願の実施形態で記載された方法のステップの全部又は一部を実行するよう指示する複数の命令を含む。前述の記憶媒体は、USBフラッシュドライブ、取り外し可能ハードディスク、ROM、RAM、磁気ディスク又は光ディスクのようなプログラムコードを格納可能な任意の媒体を含む。
【０２１７】
上述の説明は、本願の単なる特定の実装であり、本願の保護範囲を制限することを意図しない。本願に開示された技術範囲内にある、当業者により直ちに考案される任意の変形又は置換は、本願の保護範囲に包含されるべきである。したがって、本願の保護範囲は、請求項の保護範囲に従うべきである。
【国際調査報告】
2020523892.tif 000015
2020523892.tif 000016
2020523892.tif 000017
2020523892.tif 000018